(57)【特許請求の範囲】
【請求項１】
第１の信号と第２の信号のＮＡＮＤ演算を行う論理回路を備える半導体装置であって、
第１のトランジスタ乃至第８のトランジスタを有し、
前記第１のトランジスタのチャネル形成領域と、前記第３のトランジスタのチャネル形成領域と、前記第６のトランジスタのチャネル形成領域と、前記第８のトランジスタのチャネル形成領域とは、酸化物半導体に設けられ、
前記第２のトランジスタのチャネル形成領域と、前記第４のトランジスタのチャネル形成領域と、前記第５のトランジスタのチャネル形成領域と、前記第７のトランジスタのチャネル形成領域とは、シリコンに設けられ、
前記第５のトランジスタのゲートは、前記第６のトランジスタのソース又はドレインの一方と電気的に接続され、
前記第２のトランジスタのゲートは、前記第１のトランジスタのソース又はドレインの一方と電気的に接続され、
前記第７のトランジスタのゲートは、前記第８のトランジスタのソース又はドレインの一方と電気的に接続され、
前記第４のトランジスタのゲートは、前記第３のトランジスタのソース又はドレインの一方と電気的に接続され、
前記第５のトランジスタのソース又はドレインの一方は、前記第２のトランジスタのソース又はドレインの一方と電気的に接続され、
前記第７のトランジスタのソース又はドレインの一方は、前記第４のトランジスタのソース又はドレインの一方と電気的に接続され、
前記第７のトランジスタのソース又はドレインの他方は、前記第４のトランジスタのソース又はドレインの他方と電気的に接続され、
前記第６のトランジスタのソース又はドレインの他方には、前記第１の信号が入力され、
前記第１のトランジスタのソース又はドレインの他方には、前記第２の信号が入力され、
前記第８のトランジスタのソース又はドレインの他方には、前記第１の信号の反転信号が入力され、
前記第３のトランジスタのソース又はドレインの他方には、前記第２の信号の反転信号が入力され、
前記第５のトランジスタのソース又はドレインの他方から、出力信号を出力することを特徴とする半導体装置。
【請求項２】
第１のトランジスタ乃至第１３のトランジスタを有し、
前記第１のトランジスタのチャネル形成領域と、前記第３のトランジスタのチャネル形成領域と、前記第６のトランジスタのチャネル形成領域と、前記第８のトランジスタのチャネル形成領域とは、酸化物半導体に設けられ、
前記第２のトランジスタのチャネル形成領域と、前記第４のトランジスタのチャネル形成領域と、前記第５のトランジスタのチャネル形成領域と、前記第７のトランジスタのチャネル形成領域と、前記第９のトランジスタのチャネル形成領域と、前記第１０のトランジスタのチャネル形成領域と、前記第１１のトランジスタのチャネル形成領域と、前記第１２のトランジスタのチャネル形成領域と、前記第１３のトランジスタのチャネル形成領域とは、シリコンに設けられ、
前記第５のトランジスタのゲートは、前記第６のトランジスタのソース又はドレインの一方と電気的に接続され、
前記第２のトランジスタのゲートは、前記第１のトランジスタのソース又はドレインの一方と電気的に接続され、
前記第７のトランジスタのゲートは、前記第８のトランジスタのソース又はドレインの一方と電気的に接続され、
前記第４のトランジスタのゲートは、前記第３のトランジスタのソース又はドレインの一方と電気的に接続され、
前記第５のトランジスタのソース又はドレインの一方は、前記第２のトランジスタのソース又はドレインの一方と電気的に接続され、
前記第７のトランジスタのソース又はドレインの一方は、前記第４のトランジスタのソース又はドレインの一方と電気的に接続され、
前記第７のトランジスタのソース又はドレインの他方は、前記第４のトランジスタのソース又はドレインの他方と電気的に接続され、
前記第２のトランジスタのソース又はドレインの他方と、前記第４のトランジスタのソース又はドレインの他方とは、前記第９のトランジスタのソース又はドレインの一方と電気的に接続され、
前記第９のトランジスタのソース又はドレインの他方は、第１の電源電位が供給され、
前記第５のトランジスタのソース又はドレインの他方は、前記第１３のトランジスタのソース又はドレインの一方、前記第１１のトランジスタのソース又はドレインの一方、及び、前記第１０のトランジスタのゲートと電気的に接続され、
前記第７のトランジスタのソース又はドレインの一方は、前記第１０のトランジスタのソース又はドレインの一方、前記第１２のトランジスタのソース又はドレインの一方、及び、前記第１１のトランジスタのゲートと電気的に接続され、
前記第１０のトランジスタのソース又はドレインの他方、前記第１１のトランジスタのソース又はドレインの他方、前記第１２のトランジスタのソース又はドレインの他方、及び、前記第１３のトランジスタのソース又はドレインの他方は、第２の電源電位が供給され、
前記第６のトランジスタのソース又はドレインの他方には、第１の信号が入力され、
前記第１のトランジスタのソース又はドレインの他方には、第２の信号が入力され、
前記第８のトランジスタのソース又はドレインの他方には、前記第１の信号の反転信号が入力され、
前記第３のトランジスタのソース又はドレインの他方には、前記第２の信号の反転信号が入力され、
前記第１２のトランジスタのゲートと、前記第１３のトランジスタのゲートには、クロック信号が入力され、
前記第６のトランジスタのゲートと、前記第１のトランジスタのゲートと、前記第８のトランジスタのゲートと、前記第３のトランジスタのゲートには、前記クロック信号の反転信号が入力され、
前記第５のトランジスタのソース又はドレインの他方から、出力信号を出力する論理回路を備えることを特徴とする半導体装置。
【請求項３】
請求項１又は請求項２において、
前記第２のトランジスタのゲート上方、前記第４のトランジスタのゲート上方、前記第５のトランジスタのゲート上方、及び、前記第７のトランジスタのゲート上方に、絶縁層を有し、
前記絶縁層上方に、前記第１のトランジスタのチャネル形成領域を有する酸化物半導体層と、前記第３のトランジスタのチャネル形成領域を有する酸化物半導体層と、前記第６のトランジスタのチャネル形成領域を有する酸化物半導体層と、前記第８のトランジスタのチャネル形成領域を有する酸化物半導体層と、が設けられることを特徴とする半導体装置。
【請求項４】
請求項１乃至請求項３のいずれか一において、
前記第１のトランジスタのチャネル形成領域を有する酸化物半導体層と、前記第３のトランジスタのチャネル形成領域を有する酸化物半導体層と、前記第６のトランジスタのチャネル形成領域を有する酸化物半導体層と、前記第８のトランジスタのチャネル形成領域を有する酸化物半導体層とは、表面に垂直な方向にｃ軸が配向した結晶を有することを特徴とする半導体装置。
【発明の詳細な説明】
【技術分野】
【０００１】
酸化物半導体を用いる半導体集積回路及びその駆動方法に関する。
【背景技術】
【０００２】
半導体集積回路は、ＮＡＮＤ回路（否定論理積回路）やＮＯＲ回路（否定論理和回路）や、インバータ回路（論理否定回路）などを組み合わせて構成される。
【０００３】
ＮＡＮＤ回路やＮＯＲ回路の従来の回路構成として、例えば２個のＰチャネル型トランジスタと２個のＮチャネル型トランジスタを組み合わせて構成される。
【０００４】
また、ＮＡＮＤ回路として、例えば強誘電体キャパシタを用いたＮＡＮＤ回路が知られている（特許文献１参照）。
【先行技術文献】
【特許文献】
【０００５】
【特許文献１】特開２００５−３０３５８０号公報
【発明の概要】
【発明が解決しようとする課題】
【０００６】
従来の論理回路は、Ｐチャネル型トランジスタとＮチャネル型トランジスタを相補的に組み合わせたＣＭＯＳ回路で構成されている。この従来の論理回路は、電源遮断時にはデータが消えてしまう。
【０００７】
そこで、電源が遮断されてもデータが保持される新規な論理回路を提供することを課題の一つとする。
【０００８】
また、ＣＭＯＳ回路を用いた従来の論理回路では、電源電位（ＶＤＤ）端子から基準電位（ＧＮＤ）端子までのパスが多く存在し、待機時の消費電力が大きくなっている。
【０００９】
消費電力を低減できる新規な論理回路を提供することも課題の一つとする。
【００１０】
また、論理回路の面積を削減し、さらなる小型化を図ることも課題の一つとする。
【００１１】
また、従来の論理回路における素子数よりも少なく、特に論理回路を構成するトランジスタの総個数が低減された新規な論理回路を提供することも課題の一つとする。
【課題を解決するための手段】
【００１２】
電源が遮断されてもデータが保持される新規な論理回路として、レジスタ機能を有する論理回路を構成する。
【００１３】
本明細書で開示する本発明の一態様は、２つの出力ノードを比較する比較器と、該比較器と電気的に接続された電荷保持部と、該電荷保持部と電気的に接続された出力ノード電位確定部と、を有する論理回路であり、電荷保持部は、酸化物半導体を用いたトランジスタとゲートが電気的に接続されているＮチャネル型トランジスタを有することを特徴とする半導体集積回路である。
【００１４】
本明細書で開示する本発明の一態様は、２つの出力ノードを比較する比較器と、該比較器と電気的に接続された電荷保持部と、該電荷保持部と電気的に接続された出力ノード電位確定部と、を有する論理回路であり、電荷保持部は、酸化物半導体を用いたトランジスタとゲートが電気的に接続されているＰチャネル型トランジスタを有することを特徴とする半導体集積回路である。
【００１５】
また、本明細書で開示する本発明の一態様は、２つの出力ノードを比較する比較器と、比較器と電気的に接続された電荷保持部と、電荷保持部と電気的に接続された出力ノード電位確定部と、を有する論理回路であり、電荷保持部は、第１の酸化物半導体を用いたトランジスタとゲートが電気的に接続されている第１のシリコンを用いたトランジスタと、第２の酸化物半導体を用いたトランジスタとゲートが電気的に接続されている第２のシリコンを用いたトランジスタと、第３の酸化物半導体を用いたトランジスタとゲートが電気的に接続されている第３のシリコンを用いたトランジスタと、第４の酸化物半導体を用いたトランジスタとゲートが電気的に接続されている第４のシリコンを用いたトランジスタと、を有することを特徴とする半導体集積回路である。
【００１６】
上記構成において比較器は、クロック信号がゲートに入力される２つのＰチャネル型トランジスタと、２つの出力ノードにそれぞれゲートが接続されている２つのＰチャネル型トランジスタとを有していてもよい。また、出力ノード電位確定部は、クロック信号がゲートに入力される１つのＮチャネル型トランジスタであり、該トランジスタのドレインは接地電位端子と電気的に接続され、該トランジスタのソースは電源電位端子に電気的に接続されていてもよい。
【００１７】
上記構成において比較器は、クロック信号がゲートに入力される２つのＮチャネル型トランジスタと、２つの出力ノードにそれぞれゲートが接続されている２つのＮチャネル型トランジスタとを有していてもよい。また、出力ノード電位確定部は、該クロック信号がゲートに入力される１つのＰチャネル型トランジスタであり、該トランジスタのドレインは電源電位端子と電気的に接続され、該トランジスタのソースは接地電位端子に電気的に接続されていてもよい。
【００１８】
また、本明細書で開示する本発明の一態様は、２つの出力ノードを比較する比較器と、該比較器と電気的に接続された電荷保持部と、該電荷保持部と電気的に接続された出力ノード電位確定部と、を有する論理回路であり、該電荷保持部は、第１の酸化物半導体を用いたトランジスタのソース又はドレインの一方及び第１のシリコンを用いたトランジスタのゲートと電気的に接続されている第１の保持容量と、第２の酸化物半導体を用いたトランジスタのソース又はドレインの一方及び第２のシリコンを用いたトランジスタのゲートと電気的に接続されている第２の保持容量と、第３の酸化物半導体を用いたトランジスタのソース又はドレインの一方及び第３のシリコンを用いたトランジスタのゲートと電気的に接続されている第３の保持容量と、第４の酸化物半導体を用いたトランジスタのソース又はドレインの一方及び第４のシリコンを用いたトランジスタのゲートと電気的に接続されている第４の保持容量と、を有することを特徴とする半導体集積回路である。
【００１９】
上記構成において、第１の酸化物半導体を用いたトランジスタと第１のシリコンを用いたトランジスタとは重畳して形成され、第２の酸化物半導体を用いたトランジスタと第２のシリコンを用いたトランジスタとは重畳して形成され、第３の酸化物半導体を用いたトランジスタと第３のシリコンを用いたトランジスタとは重畳して形成され、第４の酸化物半導体を用いたトランジスタと第４のシリコンを用いたトランジスタとは重畳して形成されていてもよい。
【００２０】
また、Ｎチャネル型トランジスタは、半導体として酸化物を用いることができる。
【００２１】
また、Ｐチャネル型トランジスタは、半導体として酸化物を用いることができる。
【００２２】
また、Ｎチャネル型トランジスタは、半導体としてシリコンを用いることができる。
【００２３】
また、Ｐチャネル型トランジスタは、半導体としてシリコンを用いることができる。
【００２４】
本明細書で開示するレジスタ機能を有する新規な論理回路は、電源が遮断されてもシリコン半導体を用いたトランジスタと、酸化物半導体を用いたトランジスタとの間のノードに電荷が保持され、データが記憶され、保持される特徴を有している。
【００２５】
また、本明細書で開示するレジスタ機能を有する新規な論理回路は、電源電位端子から基準電位端子までのパスが少ないため、消費電力の削減が可能である。また、待機時は電源をオフする構成にすることで更なる電力削減が可能となる。
【００２６】
また、本明細書で開示するレジスタ機能を有する新規な論理回路は、酸化物半導体を用いたトランジスタと、シリコン半導体を用いたトランジスタ（Ｐチャネル型トランジスタやＮチャネル型トランジスタ）を積層することができる。積層させた場合には、論理回路の面積を削減することができる。
【００２７】
また、ＣＭＯＳ回路のみを用いた従来のレジスタ回路は、クロックドインバータが２個、インバータが１個で構成され、Ｐチャネル型トランジスタとＮチャネル型トランジスタとをそれぞれ５個、合計で１０個のトランジスタを用いる。従って、ＮＡＮＤ回路やＮＯＲ回路が前述したようにＰチャネル型トランジスタとＮチャネル型トランジスタとをそれぞれ２個ずつ、合計４個のトランジスタを用いるため、従来のレジスタ回路を有するＮＡＮＤ回路やＮＯＲ回路は、合計１４個のトランジスタを用いる。
【００２８】
本明細書で開示するレジスタ機能を有する新規な論理回路は、Ｐチャネル型（Ｎチャネル型）トランジスタ４個、Ｎチャネル型（Ｐチャネル型）トランジスタ５個、酸化物半導体を用いたトランジスタ４個の合計１３個のトランジスタで構成することができる。新規な論理回路は、従来のレジスタ回路を有するＮＡＮＤ回路やＮＯＲ回路に比べてトランジスタ１個分を削減できる。
【発明の効果】
【００２９】
本発明の一態様によれば、２つの出力ノードを比較する比較器と、電荷保持部と、出力ノード電位確定部とを電気的に接続することにより、論理回路を構成する。それにより、電源が遮断されてもデータが保持される論理回路を得ることができる。また、電源電位端子から基準電位端子までのパスを少なくできるため、消費電力を低減した論理回路を得ることができる。更に、論理回路の面積を削減させたＮＡＮＤ回路やＮＯＲ回路を得ることができる。
【図面の簡単な説明】
【００３０】
【図１】実施の形態１に係わるＮＡＮＤ回路を説明する図。
【図２】ラッチ回路、インバータ、クロックドインバータの回路図。
【図３】ラッチ回路の回路図。
【図４】実施の形態１に係わるＮＡＮＤ回路のタイミングチャートを説明する図。
【図５】実施の形態１に係わるＮＡＮＤ回路の動作を説明する図。
【図６】実施の形態１に係わるＮＡＮＤ回路の動作を説明する図。
【図７】実施の形態１に係わるＮＡＮＤ回路の動作を説明する図。
【図８】実施の形態１に係わるＮＡＮＤ回路の動作を説明する図。
【図９】実施の形態２に係わるＮＡＮＤ回路を説明する図。
【図１０】実施の形態２に係わるＮＡＮＤ回路のタイミングチャートを説明する図。
【図１１】実施の形態２に係わるＮＡＮＤ回路の動作を説明する図。
【図１２】実施の形態２に係わるＮＡＮＤ回路の動作を説明する図。
【図１３】実施の形態２に係わるＮＡＮＤ回路の動作を説明する図。
【図１４】実施の形態２に係わるＮＡＮＤ回路の動作を説明する図。
【図１５】実施の形態３に係わるＮＡＮＤ回路を説明する図。
【図１６】実施の形態３に係わるＮＡＮＤ回路を説明する図。
【図１７】実施の形態４に係わるＮＯＲ回路を説明する図。
【図１８】実施の形態４に係わるＮＯＲ回路のタイミングチャートを説明する図。
【図１９】実施の形態４に係わるＮＯＲ回路の動作を説明する図。
【図２０】実施の形態４に係わるＮＯＲ回路の動作を説明する図。
【図２１】実施の形態４に係わるＮＯＲ回路の動作を説明する図。
【図２２】実施の形態４に係わるＮＯＲ回路の動作を説明する図。
【図２３】実施の形態５に係わるＮＯＲ回路を説明する図。
【図２４】実施の形態５に係わるＮＯＲ回路のタイミングチャートを説明する図。
【図２５】実施の形態５に係わるＮＯＲ回路の動作を説明する図。
【図２６】実施の形態５に係わるＮＯＲ回路の動作を説明する図。
【図２７】実施の形態５に係わるＮＯＲ回路の動作を説明する図。
【図２８】実施の形態５に係わるＮＯＲ回路の動作を説明する図。
【図２９】実施の形態６に係わるＮＯＲ回路を説明する図。
【図３０】実施の形態６に係わるＮＯＲ回路を説明する図。
【図３１】トランジスタの断面図。
【図３２】論理回路の構造を示す断面図。
【図３３】論理回路を用いたＣＰＵのブロック図。
【図３４】酸化物材料の結晶構造を説明する図。
【図３５】酸化物材料の結晶構造を説明する図。
【図３６】酸化物材料の結晶構造を説明する図。
【図３７】酸化物材料の結晶構造を説明する図。
【図３８】シミュレーションによって得られた移動度のゲート電圧依存性を説明する図。
【図３９】シミュレーションによって得られたドレイン電流と移動度のゲート電圧依存性を説明する図。
【図４０】シミュレーションによって得られたドレイン電流と移動度のゲート電圧依存性を説明する図。
【図４１】シミュレーションによって得られたドレイン電流と移動度のゲート電圧依存性を説明する図。
【図４２】シミュレーションに用いたトランジスタの断面構造を説明する図。
【図４３】酸化物半導体膜を用いたトランジスタ特性のグラフ。
【図４４】トランジスタの構造を示す上面図及び断面図。
【図４５】トランジスタの構造を示す上面図及び断面図。
【図４６】試料Ａおよび試料ＢのＸＲＤスペクトルを示す図。
【図４７】トランジスタのオフ電流と測定時基板温度との関係を示す図。
【図４８】Ｉｄｓおよび電界効果移動度のＶｇｓ依存性を示す図。
【図４９】基板温度としきい値電圧の関係および基板温度と電界効果移動度の関係を示す図。
【発明を実施するための形態】
【００３１】
実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。なお、以下に説明する発明の構成において、同一部分又は同様な機能を有する部分には同一の符号を異なる図面間で共通して用い、その繰り返しの説明は省略する。
【００３２】
（実施の形態１）
本実施の形態では、データの保持機能を有し、消費電力を削減したＮＡＮＤ回路について図１乃至図８を用いて説明する。
【００３３】
＜ＮＡＮＤ回路１００の構成＞
図１に本実施の形態のＮＡＮＤ回路の回路図を示す。図１に示すＮＡＮＤ回路１００は、第１のトランジスタ１０１、第２のトランジスタ１０２、第３のトランジスタ１０３、第４のトランジスタ１０４、第５のトランジスタ１０５、第６のトランジスタ１０６、第７のトランジスタ１０７、第８のトランジスタ１０８、第９のトランジスタ１０９、第１０のトランジスタ１１０、第１１のトランジスタ１１１、第１２のトランジスタ１１２、第１３のトランジスタ１１３、を有している。
【００３４】
第２のトランジスタ１０２、第４のトランジスタ１０４、第５のトランジスタ１０５、第７のトランジスタ１０７、第９のトランジスタ１０９の５個のトランジスタとして、ｎチャネル型トランジスタを用いる。第１０のトランジスタ１１０、第１１のトランジスタ１１１、第１２のトランジスタ１１２、第１３のトランジスタ１１３の４個のトランジスタとして、ｐチャネル型トランジスタを用いる。
【００３５】
第１のトランジスタ１０１、第３のトランジスタ１０３、第６のトランジスタ１０６、第８のトランジスタ１０８の４個のトランジスタとして、例えば酸化物半導体層にチャネルが形成されるトランジスタを用いる。なお当該酸化物半導体を用いたトランジスタは、ｎチャネル型トランジスタである。
【００３６】
当該酸化物半導体を用いたトランジスタはリーク電流（オフ電流ともいう）が極小である。トランジスタのリーク電流が極小であるために得られる利点として、論理回路における単位面積当たりのデータの保持機能が高められることが挙げられる。一般に、データの保持時間とリーク電流は比例する。例えば、リーク電流が１．０×１０−２４Ａの場合、データの保持時間は１０年になり、リーク電流が１．０×１０−２１Ａの場合、データの保持時間は３日〜４日になる。リーク電流が一桁変化するだけで、データの保持時間は大きく変化し、論理回路全体に大きな影響を及ぼす。必要とする特性に合わせて最適なトランジスタを選択することが好ましい。
【００３７】
なお、ｎチャネル型の酸化物半導体を用いたトランジスタのリーク電流は、１００ｙＡ／μｍ（１．０×１０−２２Ａ）以下、好ましくは１０ｙＡ／μｍ（１．０×１０−２３Ａ）以下、より好ましくは１ｙＡ／μｍ（１．０×１０−２４Ａ）以下を得ることができる。なお、測定時は、ドレイン電圧とゲート電圧の絶対値が等しい事が好ましい。酸化物半導体を用いたトランジスタのリーク電流は、ゲート電圧が−３Ｖ以下になっても、極小を維持する。これに対して、ｎチャネル型のシリコン半導体を用いたトランジスタのリーク電流は、概ね１０ｐＡ／μｍ（１．０×１０−１１Ａ）程度であり、ゲート電圧が−３Ｖ以下になると、リーク電流は急速に大きくなってしまう。また、リーク電流は、測定時のトランジスタの温度にも依存する。高温であるほど、リーク電流は大きくなる。
【００３８】
第２のトランジスタ１０２、第４のトランジスタ１０４、第５のトランジスタ１０５、第７のトランジスタ１０７、第９のトランジスタ１０９、第１０のトランジスタ１１０、第１１のトランジスタ１１１、第１２のトランジスタ１１２、第１３のトランジスタ１１３の９個のトランジスタとして、例えば珪素層にチャネルが形成されるトランジスタを用いる。当該珪素層は、単結晶珪素層、微結晶珪素層、非晶質珪素層であってもよい。
【００３９】
なお、第２のトランジスタ１０２、第４のトランジスタ１０４、第５のトランジスタ１０５、第７のトランジスタ１０７、第９のトランジスタ１０９の５個のトランジスタ全て、又は一部を、酸化物半導体を用いたトランジスタに置き換えることもできる。ただし、酸化物半導体を用いたトランジスタはオフ電流が極小という利点を有する一方、動作速度が、シリコン半導体を用いたトランジスタと比べて劣るため、ＮＡＮＤ回路１００の動作速度への影響を考慮して、これらのトランジスタを酸化物半導体を用いたトランジスタに置き換えることが必要である。
【００４０】
ＮＡＮＤ回路１００に入力される２つの信号のうち入力信号Ａは、第６のトランジスタ１０６のソース又はドレインの一方に、入力される。また入力信号Ｂは、第１のトランジスタ１０１のソース又はドレインの一方に、入力される。なお、第８のトランジスタ１０８のソース又はドレインの一方には、入力信号Ａと位相が反転した信号ＡＢが入力され、第３のトランジスタ１０３のソース又はドレインの一方には、入力信号Ｂと位相が反転した信号ＢＢが入力される。
【００４１】
第１のトランジスタ１０１のゲートは、第６のトランジスタ１０６のゲートと電気的に接続されている。第１のトランジスタ１０１のソース又はドレインの他方は、第２のトランジスタ１０２のゲートと電気的に接続されている。なお、第１のトランジスタ１０１のソース又はドレインの他方と第２のトランジスタ１０２のゲートとの接続部分をノードＢとする。第２のトランジスタ１０２のソース又はドレインの一方は、第５のトランジスタ１０５のソース又はドレインの一方と電気的に接続され、第２のトランジスタ１０２のソース又はドレインの他方は、第９のトランジスタ１０９のソース又はドレインの一方、及び第４のトランジスタ１０４のソース又はドレインの一方、及び第７のトランジスタ１０７のソース又はドレインの一方と電気的に接続されている。
【００４２】
第３のトランジスタ１０３のゲートは、第８のトランジスタ１０８のゲートと電気的に接続されている。第３のトランジスタ１０３のソース又はドレインの他方は、第４のトランジスタ１０４のゲートと電気的に接続されている。なお、第３のトランジスタ１０３のソース又はドレインの他方と第４のトランジスタ１０４のゲートとの接続部分をノードＥとする。第４のトランジスタ１０４のソース又はドレインの他方は、第７のトランジスタ１０７のソース又はドレインの他方、及び第１０のトランジスタ１１０のソース又はドレインの一方、及び第１２のトランジスタ１１２のソース又はドレインの一方、及び第１１のトランジスタ１１１のゲートと電気的に接続されている。なお、第４のトランジスタ１０４のソース又はドレインの他方と、第７のトランジスタ１０７のソース又はドレインの他方と、第１０のトランジスタ１１０のソース又はドレインの一方と、第１２のトランジスタ１１２のソース又はドレインの一方と、第１１のトランジスタ１１１のゲートとの接続部分をノードＤとする。
【００４３】
第５のトランジスタ１０５のゲートは、第６のトランジスタ１０６のソース又はドレインの他方と電気的に接続されている。なお、第５のトランジスタ１０５のゲートと、第６のトランジスタ１０６のソース又はドレインの他方との接続部分をノードＣとする。第５のトランジスタ１０５のソース又はドレインの他方は、第１０のトランジスタ１１０のゲート、及び第１１のトランジスタ１１１のソース又はドレインの一方、及び第１３のトランジスタ１１３のソース又はドレインの一方と電気的に接続されている。なお、第５のトランジスタ１０５のソース又はドレインの他方と、第１０のトランジスタ１１０のゲートと、第１１のトランジスタ１１１のソース又はドレインの一方と、第１３のトランジスタ１１３のソース又はドレインの一方との接続部分をノードＡとする。
【００４４】
第６のトランジスタ１０６のゲートには、クロック信号ＣＬＫと位相が反転した信号ＣＬＫＢが入力されている。第７のトランジスタ１０７のゲートは、第８のトランジスタ１０８のソース又はドレインの他方と電気的に接続されている。なお、第７のトランジスタ１０７のゲートと、第８のトランジスタ１０８のソース又はドレインの他方との接続部分をノードＦとする。第８のトランジスタ１０８のゲートには、クロック信号ＣＬＫと位相が反転した信号ＣＬＫＢが入力されている。第９のトランジスタ１０９のゲートには、クロック信号ＣＬＫが入力され、第９のトランジスタ１０９のソース又はドレインの他方は、接地電位ＧＮＤ端子と電気的に接続されている。なお、第９のトランジスタ１０９のソース又はドレインの他方と、接地電位ＧＮＤ端子との接続部分をノードＧとする。
【００４５】
第１０のトランジスタ１１０のソース又はドレインの他方と、第１１のトランジスタ１１１のソース又はドレインの他方と、第１２のトランジスタ１１２のソース又はドレインの他方と、第１３のトランジスタ１１３のソース又はドレインの他方とは、電気的に接続されており、電源電位ＶＤＤが供給されている。第１２のトランジスタ１１２のゲートには、クロック信号ＣＬＫが入力され、第１３のトランジスタ１１３のゲートには、クロック信号ＣＬＫが入力されている。
【００４６】
ノードＡの電位は、ＮＡＮＤ回路１００の出力信号ＯＵＴとして出力される。ノードＤの電位は、ＮＡＮＤ回路１００の出力信号ＯＵＴと、位相が反転した信号ＯＵＴＢとして出力される。
【００４７】
本実施の形態のＮＡＮＤ回路１００において、酸化物半導体を用いたトランジスタのゲートが閉じている時、電源電位ＶＤＤ端子から接地電位ＧＮＤ端子までのリーク電流のパスは、１つしか存在しない。リーク電流のパスが１つしか存在しないため、ＮＡＮＤ回路１００の消費電力を抑えることができる。
【００４８】
比較として従来のラッチ回路を図２に示す。図２（Ａ）に示すラッチ回路１２０は、クロックドインバータ１２１、インバータ１２２、クロックドインバータ１２３を有している。
【００４９】
クロックドインバータ１２１の入力端子は、ラッチ回路１２０の入力端子ＩＮとして機能する。
【００５０】
クロックドインバータ１２１の出力端子は、インバータ１２２の入力端子及びクロックドインバータ１２３の出力端子と電気的に接続されている。
【００５１】
インバータ１２２の出力端子は、クロックドインバータ１２３の入力端子と電気的に接続されており、ラッチ回路１２０の出力端子ＯＵＴとして機能する。
【００５２】
インバータ１２２として用いることが可能な回路構成の例を図２（Ｂ）に示す。
【００５３】
図２（Ｂ）に示されるインバータ１３３は、ｐチャネル型トランジスタであるトランジスタ１３１及びｎチャネル型トランジスタであるトランジスタ１３２を有している。
【００５４】
インバータ１３３のトランジスタ１３１のゲートは、トランジスタ１３２のゲートと電気的に接続されており、インバータ１３３の入力端子ＩＮとして機能する。トランジスタ１３１のソース又はドレインの一方には、電源電位ＶＤＤが供給される。トランジスタ１３１のソース又はドレインの他方は、トランジスタ１３２のソース又はドレインの一方と電気的に接続されており、インバータ１３３の出力端子ＯＵＴとして機能する。
【００５５】
トランジスタ１３２のソース又はドレインの他方は、接地電位ＧＮＤ端子と電気的に接続されている。
【００５６】
クロックドインバータ１２１及びクロックドインバータ１２３のそれぞれとして用いることが可能な回路構成の例を図２（Ｃ）に示す。
【００５７】
図２（Ｃ）に示すクロックドインバータ１６０は、ｐチャネル型トランジスタであるトランジスタ１６１、ｐチャネル型トランジスタであるトランジスタ１６２、ｎチャネル型トランジスタであるトランジスタ１６３、ｎチャネル型トランジスタであるトランジスタ１６４を有している。
【００５８】
トランジスタ１６１のゲートは、トランジスタ１６４のゲートと電気的に接続されており、クロックドインバータ１６０の入力端子ＩＮとして機能する。トランジスタ１６１のソース又はドレインの一方には、電源電位ＶＤＤが供給される。トランジスタ１６１のソース又はドレインの他方は、トランジスタ１６２のソース又はドレインの一方と電気的に接続されている。
【００５９】
トランジスタ１６２のゲートには、クロック信号ＣＬＫが入力される。トランジスタ１６２のソース又はドレインの他方は、トランジスタ１６３のソース又はドレインの一方と電気的に接続され、クロックドインバータ１６０の出力端子ＯＵＴとして機能する。
【００６０】
トランジスタ１６３のゲートには、クロック信号ＣＬＫと位相が反転した信号ＣＬＫＢが入力される。トランジスタ１６３のソース又はドレインの他方は、トランジスタ１６４のソース又はドレインの一方と電気的に接続されている。
【００６１】
トランジスタ１６４のソース又はドレインの他方は、接地電位ＧＮＤ端子と電気的に接続されている。
【００６２】
インバータ１３３、クロックドインバータ１６０Ａ及びクロックドインバータ１６０Ｂを用いた場合のラッチ回路１２０の具体的な回路構成を図３に示す。なお図３において、クロックドインバータ１６０Ａ及びクロックドインバータ１６０Ｂ、並びにそれぞれに含まれるトランジスタは、クロックドインバータ１６０と同様であり、それぞれ「Ａ」及び「Ｂ」を追加して表記している。
【００６３】
図３に示されるように、ラッチ回路１２０において、電源電位ＶＤＤ端子から接地電位ＧＮＤ端子へのリーク電流のパスは３つ存在する（パスＩ１〜パスＩ３）。よって、ラッチ回路１２０の消費電力は増大する恐れがある。
【００６４】
上述のように、本実施の形態のＮＡＮＤ回路１００は、電源電位ＶＤＤ端子から接地電位ＧＮＤ端子へのリーク電流のパスは１つである。そのため、本実施の形態のＮＡＮＤ回路１００では消費電力が抑制できる。
【００６５】
また本実施の形態のＮＡＮＤ回路１００は、４個の酸化物半導体を用いたトランジスタ及び９個のシリコン半導体を用いたトランジスタを有している。
【００６６】
酸化物半導体を用いたトランジスタは、上述のようにリーク電流が極小である。そのため、ＮＡＮＤ回路１００に電源電位ＶＤＤの供給を停止しても、例えば酸化物半導体を用いたトランジスタである第１のトランジスタ１０１のソース又はドレインの他方と、第２のトランジスタ１０２のゲートとの間（ノードＢ）に蓄えられている電荷は保持される。よって、電源電位ＶＤＤの供給を再開すると、ＮＡＮＤ回路１００は、電源電位ＶＤＤの供給を停止する前の状態から、動作を開始することができる。
【００６７】
このように、ＮＡＮＤ回路１００は電源電位ＶＤＤの供給を停止してもデータが消失しない。すなわち、本実施の形態のＮＡＮＤ回路１００は、不揮発性の記憶回路である。従って、ＮＡＮＤ回路１００において、酸化物半導体を用いたトランジスタのゲートが閉じている時は、電源電位ＶＤＤの供給を停止することが可能である。即ち不揮発性のＮＡＮＤ回路１００は消費電力を抑制することができる。
【００６８】
また本実施の形態のＮＡＮＤ回路１００において、酸化物半導体を用いたトランジスタとシリコン半導体を用いたトランジスタは積層して形成することが可能である（後述）。そのため、ＮＡＮＤ回路１００の回路面積を小さくすることができる。
【００６９】
＜ＮＡＮＤ回路１００の動作＞
図４乃至図８を用いて、本実施の形態のＮＡＮＤ回路１００の動作について説明する。図４には、ＮＡＮＤ回路１００におけるタイミングチャートを示す。図４では、期間Ｔ１、期間Ｔ２、期間Ｔ３、期間Ｔ４、期間Ｔ５、期間Ｔ６、期間Ｔ７、期間Ｔ８、期間Ｔ９、期間Ｔ１０、に分けてタイミングチャートを示す。図５乃至図８では、期間Ｔ１、期間Ｔ２、期間Ｔ３、期間Ｔ４におけるＮＡＮＤ回路１００の動作の状態を示す。
【００７０】
ＮＡＮＤ回路１００は、クロック同期式であり、第９のトランジスタ１０９、第１２のトランジスタ１１２、第１３のトランジスタ１１３に同様のクロック信号ＣＬＫを入力することで、ＮＡＮＤ回路として動作する。なお、クロック信号ＣＬＫと同期して第９のトランジスタ１０９がオン状態となる、期間Ｔ２、期間Ｔ４、期間Ｔ６、期間Ｔ８、期間Ｔ１０においてのみ、出力信号ＯＵＴが決定される。
【００７１】
＜期間Ｔ１（図５参照。）＞
まず図４の期間Ｔ１に示すように、入力信号ＡにＨ電位（ＶＤＤ）、入力信号ＢにＬ電位（ＶＳＳ）が入力された場合を考える。この時、クロック信号ＣＬＫがＬ電位（ＶＳＳ）なので、第１２のトランジスタ１１２のゲート、及び第１３のトランジスタ１１３のゲートにＬ電位（ＶＳＳ）が印加される。従って、第１２のトランジスタ１１２（Ｐｃｈ）及び第１３のトランジスタ１１３（Ｐｃｈ）は、オン状態となる。この時、ノードＡに対してＨ電位（ＶＤＤ）が入り込み、ノードＤに対してＨ電位（ＶＤＤ）が入り込む。（プリチャージ動作。）第１２のトランジスタ１１２及び第１３のトランジスタ１１３は、ノードＡとノードＤにＨ電位（ＶＤＤ）を充電するか否かを制御するために設けられている。
【００７２】
クロック信号ＣＬＫと位相が反転した信号ＣＬＫＢがＨ電位（ＶＤＤ）なので、第１のトランジスタ１０１及び第６のトランジスタ１０６は、オン状態となる。従って、第２のトランジスタ１０２のゲート（ノードＢ）に入力信号Ｂと同じＬ電位（ＶＳＳ）がチャージされ、第５のトランジスタ１０５のゲート（ノードＣ）に入力信号Ａと同じＨ電位（ＶＤＤ）がチャージされる。
【００７３】
また、クロック信号ＣＬＫと位相が反転した信号ＣＬＫＢがＨ電位（ＶＤＤ）なので、第３のトランジスタ１０３及び第８のトランジスタ１０８は、オン状態となる。従って、第４のトランジスタ１０４のゲート（ノードＥ）に入力信号Ｂと位相が反転した信号ＢＢと同じＨ電位（ＶＤＤ）がチャージされ、第７のトランジスタ１０７のゲート（ノードＦ）に入力信号Ａと位相が反転した信号ＡＢと同じＬ電位（ＶＳＳ）がチャージされる。
【００７４】
以上のように期間Ｔ１では、ノードＢ、ノードＣ、ノードＥ、ノードＦのそれぞれに、入力信号Ａ及び入力信号Ｂに応じた電位が、ノードＡ、ノードＤのそれぞれに、Ｈ電位（ＶＤＤ）がチャージされた状態となる。
【００７５】
＜期間Ｔ２（図６参照。）＞
次に図４の期間Ｔ２に示すように、クロック信号ＣＬＫがＨ電位（ＶＤＤ）となるので、第１２のトランジスタ１１２のゲート、第１３のトランジスタ１１３のゲート、第９のトランジスタ１０９のゲートのそれぞれにＨ電位（ＶＤＤ）が印加される。この時、第１２のトランジスタ１１２（Ｐｃｈ）及び第１３のトランジスタ１１３（Ｐｃｈ）は、オフ状態となる。第１３のトランジスタ１１３がオフ状態となることにより、ノードＡに対してＨ電位（ＶＤＤ）の供給が無くなり、ノードＡはＨ電位（ＶＤＤ）を維持する状態となる。また、第１２のトランジスタ１１２がオフ状態となることにより、ノードＤに対してＨ電位（ＶＤＤ）の供給が無くなり、ノードＤはＨ電位（ＶＤＤ）を維持する状態となる。
【００７６】
第９のトランジスタ１０９（Ｎｃｈ）は、オン状態となる。
【００７７】
一方、クロック信号ＣＬＫと位相が反転した信号ＣＬＫＢがＬ電位（ＶＳＳ）となるので、第１のトランジスタ１０１（Ｎｃｈ）及び第６のトランジスタ１０６（Ｎｃｈ）は、オフ状態となる。ノードＢには、Ｌ電位（ＶＳＳ）に応じた電荷が蓄積されているため、第１のトランジスタ１０１がオフ状態となることで、ノードＢにはＬ電位（ＶＳＳ）に応じた電荷が保持される。（電荷保持動作。）更に、第２のトランジスタ１０２は、ノードＢの電位に応じて、オフ状態となる。ノードＣには、Ｈ電位（ＶＤＤ）に応じた電荷が蓄積されているため、第６のトランジスタ１０６がオフ状態となることで、ノードＣにはＨ電位（ＶＤＤ）に応じた電荷が保持される。（電荷保持動作。）更に、第５のトランジスタ１０５は、ノードＣの電位に応じて、オン状態となる。
【００７８】
同様に、クロック信号ＣＬＫと位相が反転した信号ＣＬＫＢがＬ電位（ＶＳＳ）となるので、第３のトランジスタ１０３（Ｎｃｈ）及び第８のトランジスタ１０８（Ｎｃｈ）は、オフ状態となる。ノードＥには、Ｈ電位（ＶＤＤ）に応じた電荷が蓄積されているため、第３のトランジスタ１０３がオフ状態となることで、ノードＥにはＨ電位（ＶＤＤ）に応じた電荷が保持される。（電荷保持動作。）更に、第４のトランジスタ１０４は、ノードＥの電位に応じて、オン状態となる。ノードＦには、Ｌ電位（ＶＳＳ）に応じた電荷が蓄積されているため、第８のトランジスタ１０８がオフ状態となることで、ノードＦにはＬ電位（ＶＳＳ）に応じた電荷が保持される。（電荷保持動作。）更に、第８のトランジスタ１０８は、ノードＦの電位に応じて、オフ状態となる。
【００７９】
この時、第４のトランジスタ１０４と、第７のトランジスタ１０７が電気的に並列で接続されているため、第７のトランジスタ１０７がオフ状態になってしまっても、ノードＤから、ノードＧまでの電流経路が形成される。従ってノードＤに溜められたＨ電位（ＶＤＤ）に応じた電荷は、オン状態となっている第４のトランジスタ１０４及び、オン状態となっている第９のトランジスタ１０９を通して、ノードＧの有する基準電位（ＧＮＤ）へと引き抜かれていく。即ちノードＤからノードＧに向かって電流が流れる。なお、第２のトランジスタ１０２と、第５のトランジスタ１０５が電気的に直列で接続されているため、ノードＡから、ノードＧまでの電流経路は形成されない。
【００８０】
ノードＤからノードＧに向かって電流が流れることで、ノードＤの電位は、Ｈ電位（ＶＤＤ）から徐々に減少し、Ｌ電位（ＶＳＳ）となる。その結果、第１１のトランジスタ１１１のゲートに、Ｌ電位（ＶＳＳ）が印加されるため、第１１のトランジスタ１１１（Ｐｃｈ）は、オン状態となる。この時、ノードＡの電位が確定し、出力信号ＯＵＴがＨ電位（ＶＤＤ）となる。
【００８１】
第１０のトランジスタ１１０及び第１１のトランジスタ１１１は、ノードＡとノードＤに対して、該ノード間の電位を相互に補償し合う機能を有する。ノードＡとノードＤ間の電位を相互に補償し合うとは、例えば、ノードＤがＬ電位（ＶＳＳ）になった場合、第１１のトランジスタ１１１は、ノードＡにＨ電位（ＶＤＤ）を供給する。例えば、ノードＡがＬ電位（ＶＳＳ）になった場合、第１０のトランジスタ１１０は、ノードＤにＨ電位（ＶＤＤ）を供給する。即ち、ノードＡとノードＤ間において、Ｌ電位（ＶＳＳ）になったノードと逆のノードに、Ｈ電位（ＶＤＤ）を供給する。
【００８２】
なお、ノードＡの電位とノードＤの電位は、第９のトランジスタ１０９のオン状態及びオフ状態に依存する。即ち出力信号ＯＵＴの電位が確定するのは、クロック信号ＣＬＫがＨ電位（ＶＤＤ）の時に限られる。従ってＮＡＮＤ回路１００の出力信号ＯＵＴの電位が確定するのは図４に示すタイミングチャートにおいて、期間Ｔ２、期間Ｔ４、期間Ｔ６、期間Ｔ８、期間Ｔ１０の時である。
【００８３】
以上のように期間Ｔ２では、Ｈ電位（ＶＤＤ）の入力信号Ａ及びＬ電位（ＶＳＳ）の入力信号Ｂの入力に対して、Ｈ電位（ＶＤＤ）の出力信号ＯＵＴが、確定された状態となる。
【００８４】
上述のように、第１０のトランジスタ１１０及び第１１のトランジスタ１１１は、電位補償機能を有し、第１２のトランジスタ１１２及び第１３のトランジスタ１１３は、充電機能を有する。従って、これら４つのトランジスタは、常にノードＡとノードＤの電位を比較し、Ｌ電位（ＶＳＳ）となったノードと逆のノードに、Ｈ電位（ＶＤＤ）を供給するという比較器としての機能を有する。
【００８５】
また、第９のトランジスタ１０９は、放電機能を有する。オン状態となっている第９のトランジスタ１０９を通して、ノードＡ又はノードＤの電位はノードＧの有する基準電位（ＧＮＤ）へと引き抜かれていく。その結果、第９のトランジスタ１０９がオン状態となる時（クロック信号ＣＬＫがＨ電位（ＶＤＤ）の時）のみ、出力信号ＯＵＴの電位が確定することになるため、該トランジスタは、最終的な出力信号ＯＵＴを確定するという機能（電位確定機能）も有する。
【００８６】
＜期間Ｔ３（図７参照。）＞
次に図４の期間Ｔ３に示すように、入力信号ＡにＬ電位（ＶＳＳ）、入力信号ＢにＬ電位（ＶＳＳ）が入力された場合を考える。この時、クロック信号ＣＬＫがＬ電位（ＶＳＳ）なので、第１２のトランジスタ１１２のゲート、及び第１３のトランジスタ１１３のゲートにＬ電位（ＶＳＳ）が印加される。従って、第１２のトランジスタ１１２（Ｐｃｈ）及び第１３のトランジスタ１１３（Ｐｃｈ）は、オン状態となる。この時、ノードＡに対してＨ電位（ＶＤＤ）が入り込み、ノードＤに対してＨ電位（ＶＤＤ）が入り込む。（プリチャージ動作。）
【００８７】
クロック信号ＣＬＫと位相が反転した信号ＣＬＫＢがＨ電位（ＶＤＤ）なので、第１のトランジスタ１０１及び第６のトランジスタ１０６は、オン状態となる。従って、第２のトランジスタ１０２のゲート（ノードＢ）に入力信号Ｂと同じＬ電位（ＶＳＳ）がチャージされ、第５のトランジスタ１０５のゲート（ノードＣ）に入力信号Ａと同じＬ電位（ＶＳＳ）がチャージされる。
【００８８】
また、クロック信号ＣＬＫと位相が反転した信号ＣＬＫＢがＨ電位（ＶＤＤ）なので、第３のトランジスタ１０３及び第８のトランジスタ１０８は、オン状態となる。従って、第４のトランジスタ１０４のゲート（ノードＥ）に入力信号Ｂと位相が反転した信号ＢＢと同じＨ電位（ＶＤＤ）がチャージされ、第７のトランジスタ１０７のゲート（ノードＦ）に入力信号Ａと位相が反転した信号ＡＢと同じＨ電位（ＶＤＤ）がチャージされる。
【００８９】
以上のように期間Ｔ３では、ノードＢ、ノードＣ、ノードＥ、ノードＦのそれぞれに、入力信号Ａ及び入力信号Ｂに応じた電位が、ノードＡ、ノードＤのそれぞれに、Ｈ電位（ＶＤＤ）がチャージされた状態となる。
【００９０】
＜期間Ｔ４（図８参照。）＞
次に図４の期間Ｔ４に示すように、クロック信号ＣＬＫがＨ電位（ＶＤＤ）となるので、第１２のトランジスタ１１２のゲート、第１３のトランジスタ１１３のゲート、第９のトランジスタ１０９のゲートのそれぞれにＨ電位（ＶＤＤ）が印加される。この時、第１２のトランジスタ１１２（Ｐｃｈ）及び第１３のトランジスタ１１３（Ｐｃｈ）は、オフ状態となる。第１３のトランジスタ１１３がオフ状態となることにより、ノードＡに対してＨ電位（ＶＤＤ）の供給が無くなり、ノードＡはＨ電位（ＶＤＤ）を維持する状態となる。また、第１２のトランジスタ１１２がオフ状態となることにより、ノードＤに対してＨ電位（ＶＤＤ）の供給が無くなり、ノードＤはＨ電位（ＶＤＤ）を維持する状態となる。
【００９１】
第９のトランジスタ１０９（Ｎｃｈ）は、オン状態となる。
【００９２】
一方、クロック信号ＣＬＫと位相が反転した信号ＣＬＫＢがＬ電位（ＶＳＳ）となるので、第１のトランジスタ１０１（Ｎｃｈ）及び第６のトランジスタ１０６（Ｎｃｈ）は、オフ状態となる。ノードＢには、Ｌ電位（ＶＳＳ）に応じた電荷が蓄積されているため、第１のトランジスタ１０１がオフ状態となることで、ノードＢにはＬ電位（ＶＳＳ）に応じた電荷が保持される。（電荷保持動作。）更に、第２のトランジスタ１０２は、ノードＢの電位に応じて、オフ状態となる。ノードＣには、Ｌ電位（ＶＳＳ）に応じた電荷が蓄積されているため、第６のトランジスタ１０６がオフ状態となることで、ノードＣにはＬ電位（ＶＳＳ）に応じた電荷が保持される。（電荷保持動作。）更に、第５のトランジスタ１０５は、ノードＣの電位に応じて、オフ状態となる。
【００９３】
同様に、クロック信号ＣＬＫと位相が反転した信号ＣＬＫＢがＬ電位（ＶＳＳ）となるので、第３のトランジスタ１０３（Ｎｃｈ）及び第８のトランジスタ１０８（Ｎｃｈ）は、オフ状態となる。ノードＥには、Ｈ電位（ＶＤＤ）に応じた電荷が蓄積されているため、第３のトランジスタ１０３がオフ状態となることで、ノードＥにはＨ電位（ＶＤＤ）に応じた電荷が保持される。（電荷保持動作。）更に、第４のトランジスタ１０４は、ノードＥの電位に応じて、オン状態となる。ノードＦには、Ｈ電位（ＶＤＤ）に応じた電荷が蓄積されているため、第８のトランジスタ１０８がオフ状態となることで、ノードＦにはＨ電位（ＶＤＤ）に応じた電荷が保持される。（電荷保持動作。）更に、第８のトランジスタ１０８は、ノードＦの電位に応じて、オン状態となる。
【００９４】
この時、第４のトランジスタ１０４と、第７のトランジスタ１０７が電気的に並列で接続されているため、ノードＤから、ノードＧまでの電流経路が形成される。従ってノードＤに溜められたＨ電位（ＶＤＤ）に応じた電荷は、オン状態となっている第４のトランジスタ１０４及び、オン状態となっている第９のトランジスタ１０９を通して、ノードＧの有する基準電位（ＧＮＤ）へと引き抜かれていく。即ちノードＤからノードＧに向かって電流が流れる。
【００９５】
ノードＤからノードＧに向かって電流が流れることで、ノードＤの電位は、Ｈ電位（ＶＤＤ）から徐々に減少し、Ｌ電位（ＶＳＳ）となる。その結果、第１１のトランジスタ１１１のゲートに、Ｌ電位（ＶＳＳ）が印加されるため、第１１のトランジスタ１１１（Ｐｃｈ）は、オン状態となる。この時、ノードＡの電位が確定し、出力信号ＯＵＴがＨ電位（ＶＤＤ）となる。
【００９６】
以上のように期間Ｔ４では、Ｌ電位（ＶＳＳ）の入力信号Ａ及びＬ電位（ＶＳＳ）の入力信号Ｂの入力に対して、Ｈ電位（ＶＤＤ）の出力信号ＯＵＴが、確定された状態となる。
【００９７】
入力信号Ａに応じた電位を保持するノードＣをゲートに有する第５のトランジスタ１０５と、入力信号Ｂに応じた電位を保持するノードＢをゲートに有する第２のトランジスタ１０２とが電気的に直列で接続されている。従って、どちらかの入力信号にＬ電位（ＶＳＳ）が入力されてしまうと、ノードＡからノードＧまでの電流経路は形成されず、両方の入力信号に、Ｈ電位（ＶＤＤ）が入力された時のみ電流経路が形成される。一方、第４のトランジスタ１０４と、第７のトランジスタ１０７とが電気的に並列で接続されている。従って、どちらかの入力信号にＬ電位（ＶＳＳ）が入力されれば、ノードＡからノードＧまでの電流経路が形成される。
【００９８】
即ち、どちらかの入力信号にＬ電位（ＶＳＳ）が入力されれば、必ずノードＤは、Ｌ電位（ＶＳＳ）になる。ノードＤの逆の電位がノードＡに供給されるため、この時必ず出力信号ＯＵＴは、Ｈ電位（ＶＤＤ）になる。また、両方の入力信号に、Ｈ電位（ＶＤＤ）が入力されれば、必ずノードＡは、Ｌ電位（ＶＳＳ）になり、この時必ず出力信号ＯＵＴは、Ｌ電位（ＶＳＳ）になる。このようにして、ＮＡＮＤ回路が形成できる。
【００９９】
期間Ｔ５、期間Ｔ６の動作は、期間Ｔ１、期間Ｔ２の動作と全く同様である。期間Ｔ７、期間Ｔ８の動作は、期間Ｔ１、期間Ｔ２の動作において、入力信号ＡにＬ電位（ＶＳＳ）、入力信号ＢにＨ電位（ＶＤＤ）が入力された場合の動作に対応する。期間Ｔ９、期間Ｔ１０の動作は、期間Ｔ３、期間Ｔ４の動作において、入力信号ＡにＨ電位（ＶＤＤ）、入力信号ＢにＨ電位（ＶＤＤ）が入力された場合の動作に対応する。
【０１００】
本実施の形態により、ＮＡＮＤ回路のリーク電流のパスを抑制することができる。従って、ＮＡＮＤ回路の消費電力を抑制することができる。
【０１０１】
本実施の形態により、ＮＡＮＤ回路において電源が遮断されてもデータを保持することができる。
【０１０２】
本実施の形態により、ＮＡＮＤ回路において酸化物半導体を用いたトランジスタとシリコン半導体を用いたトランジスタは積層して形成することが可能であるため、回路面積を縮小させることができる。
【０１０３】
なお、本実施の形態は、本明細書で示す他の実施の形態と適宜組み合わせることができる。
【０１０４】
（実施の形態２）
本実施の形態では、データの保持機能を有し、消費電力を削減したＮＡＮＤ回路の別の構成について図９乃至図１４を用いて説明する。
【０１０５】
＜ＮＡＮＤ回路２００の構成＞
図９に本実施の形態のＮＡＮＤ回路の回路図を示す。図９に示すＮＡＮＤ回路２００は、第１５のトランジスタ１１５、第１６のトランジスタ１１６、第１７のトランジスタ１１７、第１８のトランジスタ１１８、第２４のトランジスタ１２４、第２５のトランジスタ１２５、第２６のトランジスタ１２６、第２７のトランジスタ１２７、第２８のトランジスタ１２８、第２９のトランジスタ１２９、第３０のトランジスタ１３０、第３１のトランジスタ１３１、第３２のトランジスタ１３２、を有している。
【０１０６】
第２８のトランジスタ１２８、第２９のトランジスタ１２９、第３０のトランジスタ１３０、第３１のトランジスタ１３１、第３２のトランジスタ１３２の５個のトランジスタとして、ｐチャネル型トランジスタを用いる。第１５のトランジスタ１１５、第１６のトランジスタ１１６、第１７のトランジスタ１１７、第１８のトランジスタ１１８の４個のトランジスタとして、ｎチャネル型トランジスタを用いる。
【０１０７】
第２４のトランジスタ１２４、第２５のトランジスタ１２５、第２６のトランジスタ１２６、第２７のトランジスタ１２７の４個のトランジスタとして、例えば酸化物半導体層にチャネルが形成されるトランジスタを用いる。酸化物半導体を用いたトランジスタはリーク電流（オフ電流ともいう）が極小という利点を有する。なお当該酸化物半導体を用いたトランジスタは、ｎチャネル型トランジスタである。
【０１０８】
第１５のトランジスタ１１５、第１６のトランジスタ１１６、第１７のトランジスタ１１７、第１８のトランジスタ１１８、第２８のトランジスタ１２８、第２９のトランジスタ１２９、第３０のトランジスタ１３０、第３１のトランジスタ１３１、第３２のトランジスタ１３２の９個のトランジスタとして、例えば珪素層にチャネルが形成されるトランジスタを用いる。当該珪素層は、単結晶珪素層、微結晶珪素層、非晶質珪素層であってもよい。
【０１０９】
なお、第１５のトランジスタ１１５、第１６のトランジスタ１１６、第１７のトランジスタ１１７、第１８のトランジスタ１１８の４個のトランジスタ全て、又は一部を、酸化物半導体を用いたトランジスタに置き換えることもできる。ただし、酸化物半導体を用いたトランジスタはオフ電流が極小という利点を有する一方、動作速度が、シリコン半導体を用いたトランジスタと比べて劣るため、ＮＡＮＤ回路２００の動作速度への影響を考慮して、これらのトランジスタを酸化物半導体を用いたトランジスタに置き換えることが必要である。
【０１１０】
ＮＡＮＤ回路２００に入力される２つの信号のうち入力信号Ａは、第２６のトランジスタ１２６のソース又はドレインの一方に、入力される。また入力信号Ｂは、第２７のトランジスタ１２７のソース又はドレインの一方に、入力される。なお、第２４のトランジスタ１２４のソース又はドレインの一方には、入力信号Ａと位相が反転した信号ＡＢが入力され、第２５のトランジスタ１２５のソース又はドレインの一方には、入力信号Ｂと位相が反転した信号ＢＢが入力される。
【０１１１】
第２５のトランジスタ１２５のゲートは、第２４のトランジスタ１２４のゲートと電気的に接続されている。第２５のトランジスタ１２５のソース又はドレインの他方は、第２９のトランジスタ１２９のゲートと電気的に接続されている。なお、第２５のトランジスタ１２５のソース又はドレインの他方と第２９のトランジスタ１２９のゲートとの接続部分をノードＥ’とする。第２９のトランジスタ１２９のソース又はドレインの一方は、第２８のトランジスタ１２８のソース又はドレインの一方と電気的に接続され、第２９のトランジスタ１２９のソース又はドレインの他方は、第１８のトランジスタ１１８のゲート、及び第１５のトランジスタ１１５のソース又はドレインの一方、及び第１６のトランジスタ１１６のソース又はドレインの一方と電気的に接続されている。なお、第２９のトランジスタ１２９のソース又はドレインの他方と、第１８のトランジスタ１１８のゲートと、第１５のトランジスタ１１５のソース又はドレインの一方と、第１６のトランジスタ１１６のソース又はドレインの一方との接続部分をノードＤ’とする。
【０１１２】
第２４のトランジスタ１２４のゲートには、クロック信号ＣＬＫが入力されている。第２６のトランジスタ１２６のゲートには、クロック信号ＣＬＫが入力されている。第３２のトランジスタ１３２のゲートには、クロック信号ＣＬＫが入力されている。
【０１１３】
第２７のトランジスタ１２７のゲートは、第２６のトランジスタ１２６のゲートと電気的に接続されている。第２７のトランジスタ１２７のソース又はドレインの他方は、第３１のトランジスタ１３１のゲートと電気的に接続されている。なお、第２７のトランジスタ１２７のソース又はドレインの他方と第３１のトランジスタ１３１のゲートとの接続部分をノードＢ’とする。
【０１１４】
第３１のトランジスタ１３１のソース又はドレインの一方は、第３０のトランジスタ１３０のソース又はドレインの一方、及び第３２のトランジスタ１３２のソース又はドレインの一方、及び第２８のトランジスタ１２８のソース又はドレインの他方と電気的に接続されている。第３１のトランジスタ１３１のソース又はドレインの他方は、第３０のトランジスタ１３０のソース又はドレインの他方、及び第１７のトランジスタ１１７のソース又はドレインの一方、及び第１８のトランジスタ１１８のソース又はドレインの一方、及び第１５のトランジスタ１１５のゲートと電気的に接続されている。なお、第３１のトランジスタ１３１のソース又はドレインの他方と、第３０のトランジスタ１３０のソース又はドレインの他方と、第１７のトランジスタ１１７のソース又はドレインの一方と、第１８のトランジスタ１１８のソース又はドレインの一方と、第１５のトランジスタ１１５のゲートとの接続部分をノードＡ’とする。
【０１１５】
第３０のトランジスタ１３０のゲートは、第２６のトランジスタ１２６のソース又はドレインの他方と電気的に接続されている。なお、第３０のトランジスタ１３０のゲートと、第２６のトランジスタ１２６のソース又はドレインの他方との接続部分をノードＣ’とする。
【０１１６】
第２８のトランジスタ１２８のゲートは、第２４のトランジスタ１２４のソース又はドレインの他方と電気的に接続されている。なお、第２８のトランジスタ１２８のゲートと、第２４のトランジスタ１２４のソース又はドレインの他方との接続部分をノードＦ’とする。
【０１１７】
第１５のトランジスタ１１５のソース又はドレインの他方と、第１６のトランジスタ１１６のソース又はドレインの他方と、第１７のトランジスタ１１７のソース又はドレインの他方と、第１８のトランジスタ１１８のソース又はドレインの他方とは、電気的に接続されており、接地電位ＧＮＤ端子と電気的に接続されている。なお、第１５のトランジスタ１１５のソース又はドレインの他方と、第１６のトランジスタ１１６のソース又はドレインの他方と、第１７のトランジスタ１１７のソース又はドレインの他方と、第１８のトランジスタ１１８のソース又はドレインの他方と、接地電位ＧＮＤ端子との接続部分をノードＧ’とする。
【０１１８】
第３２のトランジスタ１３２のソース又はドレインの他方には、電源電位ＶＤＤが供給されている。なお、第３２のトランジスタ１３２のソース又はドレインの他方と、電源電位ＶＤＤ端子との接続部分をノードＨ’とする。第１６のトランジスタ１１６のゲートには、クロック信号ＣＬＫが入力され、第１７のトランジスタ１１７のゲートには、クロック信号ＣＬＫが入力されている。
【０１１９】
ノードＡ’の電位は、ＮＡＮＤ回路２００の出力信号ＯＵＴとして出力される。ノードＤ’の電位は、ＮＡＮＤ回路２００の出力信号ＯＵＴと、位相が反転した信号ＯＵＴＢとして出力される。
【０１２０】
本実施の形態のＮＡＮＤ回路２００において、酸化物半導体を用いたトランジスタのゲートが閉じている時、リーク電流のパスは、電源電位ＶＤＤ端子から接地電位ＧＮＤ端子まで１つしか存在しない。リーク電流のパスが１つしか存在しないため、ＮＡＮＤ回路２００の消費電力を抑えることができる。
【０１２１】
また本実施の形態のＮＡＮＤ回路２００は、４個の酸化物半導体を用いたトランジスタ及び９個のシリコン半導体を用いたトランジスタを有している。
【０１２２】
酸化物半導体を用いたトランジスタは、上述のようにリーク電流が極小である。そのため、ＮＡＮＤ回路２００に電源電位ＶＤＤの供給を停止しても、例えば酸化物半導体を用いたトランジスタである第２４のトランジスタ１２４のソース又はドレインの他方と、第２８のトランジスタ１２８のゲートとの間（ノードＦ’）に蓄えられている電荷は保持される。よって、電源電位ＶＤＤの供給を再開すると、ＮＡＮＤ回路２００は、電源電位ＶＤＤの供給を停止する前の状態から、動作を開始することができる。
【０１２３】
このように、ＮＡＮＤ回路２００は電源電位ＶＤＤの供給を停止してもデータが消失しない。すなわち、本実施の形態のＮＡＮＤ回路２００は、不揮発性の記憶回路である。従って、電源電位ＶＤＤの供給を停止してもデータが消失しないので、ＮＡＮＤ回路２００において、酸化物半導体を用いたトランジスタのゲートが閉じている時は、電源電位ＶＤＤの供給を停止することが可能である。即ち不揮発性のＮＡＮＤ回路２００は消費電力を抑制することができる。
【０１２４】
また本実施の形態のＮＡＮＤ回路２００において、酸化物半導体を用いたトランジスタとシリコン半導体を用いたトランジスタは積層して形成することが可能である（後述）。そのため、ＮＡＮＤ回路２００の回路面積を小さくすることができる。
【０１２５】
＜ＮＡＮＤ回路２００の動作＞
図１０乃至図１４を用いて、本実施の形態のＮＡＮＤ回路２００の動作について説明する。図１０には、ＮＡＮＤ回路２００におけるタイミングチャートを示す。図１０では、期間Ｔ１、期間Ｔ２、期間Ｔ３、期間Ｔ４、期間Ｔ５、期間Ｔ６、期間Ｔ７、期間Ｔ８、期間Ｔ９、期間Ｔ１０、に分けてタイミングチャートを示す。図１１乃至図１４では、期間Ｔ１、期間Ｔ２、期間Ｔ３、期間Ｔ４におけるＮＡＮＤ回路２００の動作の状態を示す。
【０１２６】
ＮＡＮＤ回路２００は、クロック同期式であり、第１６のトランジスタ１１６、第１７のトランジスタ１１７、第２４のトランジスタ１２４、第２６のトランジスタ１２６、第３２のトランジスタ１３２に同様のクロック信号ＣＬＫを入力することで、ＮＡＮＤ回路として動作する。なお、クロック信号ＣＬＫと同期して第３２のトランジスタ１３２がオン状態となる、期間Ｔ２、期間Ｔ４、期間Ｔ６、期間Ｔ８、期間Ｔ１０においてのみ、出力信号ＯＵＴが決定される。
【０１２７】
＜期間Ｔ１（図１１参照。）＞
まず図１０の期間Ｔ１に示すように、入力信号ＡにＨ電位（ＶＤＤ）、入力信号ＢにＬ電位（ＶＳＳ）が入力された場合を考える。この時、クロック信号ＣＬＫがＨ電位（ＶＤＤ）なので、第１６のトランジスタ１１６のゲート、及び第１７のトランジスタ１１７のゲートにＨ電位（ＶＤＤ）が印加される。従って、第１６のトランジスタ１１６（Ｎｃｈ）及び第１７のトランジスタ１１７（Ｎｃｈ）は、オン状態となる。この時、ノードＤ’の電位はノードＧ’の電位に引き込まれるため、ノードＤ’にはＬ電位（ＶＳＳ）が入り込み、ノードＡ’の電位はノードＧ’の電位に引き込まれるため、ノードＡ’にはＬ電位（ＶＳＳ）が入り込む。（放電動作。）第１６のトランジスタ１１６及び第１７のトランジスタ１１７は、ノードＡ’とノードＤ’をＬ電位（ＶＳＳ）へと放電するか否かを制御するために設けられている。
【０１２８】
クロック信号ＣＬＫがＨ電位（ＶＤＤ）なので、第２６のトランジスタ１２６及び第２７のトランジスタ１２７は、オン状態となる。従って、第３１のトランジスタ１３１のゲート（ノードＢ’）に入力信号Ｂと同じＬ電位（ＶＳＳ）がチャージされ、第３０のトランジスタ１３０のゲート（ノードＣ’）に入力信号Ａと同じＨ電位（ＶＤＤ）がチャージされる。
【０１２９】
また、クロック信号ＣＬＫがＨ電位（ＶＤＤ）なので、第２４のトランジスタ１２４及び第２５のトランジスタ１２５は、オン状態となる。従って、第２９のトランジスタ１２９のゲート（ノードＥ’）に入力信号Ｂと位相が反転した信号ＢＢと同じＨ電位（ＶＤＤ）がチャージされ、第２８のトランジスタ１２８のゲート（ノードＦ’）に入力信号Ａと位相が反転した信号ＡＢと同じＬ電位（ＶＳＳ）がチャージされる。
【０１３０】
以上のように期間Ｔ１では、ノードＢ’、ノードＣ’、ノードＥ’、ノードＦ’のそれぞれに、入力信号Ａ及び入力信号Ｂに応じた電位が、ノードＡ’、ノードＤ’のそれぞれに、Ｌ電位（ＶＳＳ）がチャージされた状態となる。
【０１３１】
＜期間Ｔ２（図１２参照。）＞
次に図１０の期間Ｔ２に示すように、クロック信号ＣＬＫがＬ電位（ＶＳＳ）となるので、第１６のトランジスタ１１６のゲート、第１７のトランジスタ１１７のゲート、第３２のトランジスタ１３２のゲートのそれぞれにＬ電位（ＶＳＳ）が印加される。この時、第１６のトランジスタ１１６（Ｎｃｈ）及び第１７のトランジスタ１１７（Ｎｃｈ）は、オフ状態となる。第１７のトランジスタ１１７がオフ状態となることにより、ノードＡ’に対してノードＧ’のＬ電位（ＶＳＳ）の引き込みは無くなり、ノードＡ’はＬ電位（ＶＳＳ）を維持する状態となる。また、第１６のトランジスタ１１６がオフ状態となることにより、ノードＤ’に対してノードＧ’のＬ電位（ＶＳＳ）の引き込みは無くなり、ノードＤ’はＬ電位（ＶＳＳ）を維持する状態となる。
【０１３２】
第３２のトランジスタ１３２（Ｐｃｈ）は、オン状態となる。
【０１３３】
一方、クロック信号ＣＬＫがＬ電位（ＶＳＳ）となるので、第２６のトランジスタ１２６（Ｎｃｈ）及び第２７のトランジスタ１２７（Ｎｃｈ）は、オフ状態となる。ノードＢ’には、Ｌ電位（ＶＳＳ）に応じた電荷が蓄積されているため、第２７のトランジスタ１２７がオフ状態となることで、ノードＢ’にはＬ電位（ＶＳＳ）に応じた電荷が保持される。（電荷保持動作。）更に、第３１のトランジスタ１３１（Ｐｃｈ）は、ノードＢ’の電位に応じて、オン状態となる。ノードＣ’には、Ｈ電位（ＶＤＤ）に応じた電荷が蓄積されているため、第２６のトランジスタ１２６がオフ状態となることで、ノードＣ’にはＨ電位（ＶＤＤ）に応じた電荷が保持される。（電荷保持動作。）更に、第３０のトランジスタ１３０（Ｐｃｈ）は、ノードＣ’の電位に応じて、オフ状態となる。
【０１３４】
同様に、クロック信号ＣＬＫがＬ電位（ＶＳＳ）となるので、第２４のトランジスタ１２４（Ｎｃｈ）及び第２５のトランジスタ１２５（Ｎｃｈ）は、オフ状態となる。ノードＥ’には、Ｈ電位（ＶＤＤ）に応じた電荷が蓄積されているため、第２５のトランジスタ１２５がオフ状態となることで、ノードＥ’にはＨ電位（ＶＤＤ）に応じた電荷が保持される。（電荷保持動作。）更に、第２９のトランジスタ１２９（Ｐｃｈ）は、ノードＥ’の電位に応じて、オフ状態となる。ノードＦ’には、Ｌ電位（ＶＳＳ）に応じた電荷が蓄積されているため、第２４のトランジスタ１２４がオフ状態となることで、ノードＦ’にＬ電位（ＶＳＳ）に応じた電荷が保持される。（電荷保持動作。）更に、第２８のトランジスタ１２８（Ｐｃｈ）は、ノードＦ’の電位に応じて、オン状態となる。
【０１３５】
この時、第３０のトランジスタ１３０と、第３１のトランジスタ１３１が電気的に並列で接続されているため、ノードＨ’から、ノードＡ’までの電流経路が形成される。従って、オン状態となっている第３２のトランジスタ１３２及び、オン状態となっている第３０のトランジスタ１３０を通して、ノードＨ’からノードＡ’に向かって電流が流れる。即ち、ノードＨ’の有する電源電位（ＶＤＤ）が、ノードＡ’へと供給される。なお、第２８のトランジスタ１２８と、第２９のトランジスタ１２９が電気的に直列で接続されているため、ノードＨ’から、ノードＡ’までの電流経路は形成されない。
【０１３６】
ノードＨ’からノードＡ’に向かって電流が流れることで、ノードＡ’の電位は、Ｌ電位（ＶＳＳ）から徐々に増加し、Ｈ電位（ＶＤＤ）となる。この時、ノードＡ’の電位が確定し、出力信号ＯＵＴがＨ電位（ＶＤＤ）となる。
【０１３７】
その結果、第１５のトランジスタ１１５のゲートに、Ｈ電位（ＶＤＤ）が印加されるため、第１５のトランジスタ１１５（Ｎｃｈ）は、オン状態となる。この時、第１５のトランジスタ１１５を通して、ノードＤ’から、ノードＧ’までの電流経路が形成される。従って、ノードＤ’の電位はノードＧ’の電位に引き込まれるため、ノードＤ’の電位はＬ電位（ＶＳＳ）となる。
【０１３８】
第１５のトランジスタ１１５及び第１８のトランジスタ１１８は、ノードＡ’とノードＤ’に対して、該ノード間の電位を相互に補償し合う機能を有する。ノードＡ’とノードＤ’間の電位を相互に補償し合うとは、例えば、ノードＡ’がＨ電位（ＶＤＤ）になった場合、第１５のトランジスタ１１５は、ノードＤ’の電位を、ノードＧ’の有するＬ電位（ＶＳＳ）に引き抜く。例えば、ノードＤ’がＨ電位（ＶＤＤ）になった場合、第１８のトランジスタ１１８は、ノードＡ’の電位を、ノードＧ’の有するＬ電位（ＶＳＳ）に引き抜く。即ち、ノードＡ’とノードＤ’間において、Ｈ電位（ＶＤＤ）になったノードと逆のノードの電位を、ノードＧ’の有するＬ電位（ＶＳＳ）に引き抜く。
【０１３９】
なお、ノードＡ’の電位とノードＤ’の電位は、第３２のトランジスタ１３２のオン状態及びオフ状態に依存する。即ち出力信号ＯＵＴの電位が確定するのは、クロック信号ＣＬＫがＬ電位（ＶＳＳ）の時に限られる。従ってＮＡＮＤ回路２００の出力信号ＯＵＴの電位が確定するのは図１０に示すタイミングチャートにおいて、期間Ｔ２、期間Ｔ４、期間Ｔ６、期間Ｔ８、期間Ｔ１０の時である。
【０１４０】
以上のように期間Ｔ２では、Ｈ電位（ＶＤＤ）の入力信号Ａ及びＬ電位（ＶＳＳ）の入力信号Ｂの入力に対して、Ｈ電位（ＶＤＤ）の出力信号ＯＵＴが、確定された状態となる。
【０１４１】
上述のように、第１５のトランジスタ１１５及び第１８のトランジスタ１１８は、電位補償機能を有し、第１６のトランジスタ１１６及び第１７のトランジスタ１１７は、放電機能を有する。従って、これら４つのトランジスタは、常にノードＡ’とノードＤ’の電位を比較し、Ｈ電位（ＶＤＤ）となったノードと逆のノードの電位を、ノードＧ’の有するＬ電位（ＶＳＳ）に引き抜くという比較器としての機能を有する。
【０１４２】
また、第３２のトランジスタ１３２は、充電機能を有する。オン状態となっている第３２のトランジスタ１３２を通して、ノードＡ’又はノードＤ’には、ノードＨ’の有する電源電位（ＶＤＤ）が供給される。その結果、第３２のトランジスタ１３２がオン状態となる時（クロック信号ＣＬＫがＬ電位（ＶＳＳ）の時）のみ、出力信号ＯＵＴの電位が確定することになるため、該トランジスタは、最終的な出力信号ＯＵＴを確定するという機能（電位確定機能）も有する。
【０１４３】
＜期間Ｔ３（図１３参照。）＞
次に図１０の期間Ｔ３に示すように、入力信号ＡにＬ電位（ＶＳＳ）、入力信号ＢにＬ電位（ＶＳＳ）が入力された場合を考える。この時、クロック信号ＣＬＫがＨ電位（ＶＤＤ）なので、第１６のトランジスタ１１６のゲート、及び第１７のトランジスタ１１７のゲートにＨ電位（ＶＤＤ）が印加される。従って、第１６のトランジスタ１１６（Ｎｃｈ）及び第１７のトランジスタ１１７（Ｎｃｈ）は、オン状態となる。この時、ノードＤ’の電位はノードＧ’の電位に引き込まれるため、ノードＤ’にはＬ電位（ＶＳＳ）が入り込み、ノードＡ’の電位はノードＧ’の電位に引き込まれるため、ノードＡ’にはＬ電位（ＶＳＳ）が入り込む。（放電動作。）
【０１４４】
クロック信号ＣＬＫがＨ電位（ＶＤＤ）なので、第２６のトランジスタ１２６及び第２７のトランジスタ１２７は、オン状態となる。従って、第３１のトランジスタ１３１のゲート（ノードＢ’）に入力信号Ｂと同じＬ電位（ＶＳＳ）がチャージされ、第３０のトランジスタ１３０のゲート（ノードＣ’）に入力信号Ａと同じＬ電位（ＶＳＳ）がチャージされる。
【０１４５】
また、クロック信号ＣＬＫがＨ電位（ＶＤＤ）なので、第２４のトランジスタ１２４及び第２５のトランジスタ１２５は、オン状態となる。従って、第２９のトランジスタ１２９のゲート（ノードＥ’）に入力信号Ｂと位相が反転した信号ＢＢと同じＨ電位（ＶＤＤ）がチャージされ、第２８のトランジスタ１２８のゲート（ノードＦ’）に入力信号Ａと位相が反転した信号ＡＢと同じＨ電位（ＶＤＤ）がチャージされる。
【０１４６】
以上のように期間Ｔ３では、ノードＢ’、ノードＣ’、ノードＥ’、ノードＦ’のそれぞれに、入力信号Ａ及び入力信号Ｂに応じた電位が、ノードＡ’、ノードＤ’のそれぞれに、Ｌ電位（ＶＳＳ）がチャージされた状態となる。
【０１４７】
＜期間Ｔ４（図１４参照。）＞
次に図１０の期間Ｔ４に示すように、クロック信号ＣＬＫがＬ電位（ＶＳＳ）となるので、第１６のトランジスタ１１６のゲート、第１７のトランジスタ１１７のゲート、第３２のトランジスタ１３２のゲートのそれぞれにＬ電位（ＶＳＳ）が印加される。この時、第１６のトランジスタ１１６（Ｎｃｈ）及び第１７のトランジスタ１１７（Ｎｃｈ）は、オフ状態となる。第１７のトランジスタ１１７がオフ状態となることにより、ノードＡ’に対してノードＧ’のＬ電位（ＶＳＳ）の引き込みは無くなり、ノードＡ’はＬ電位（ＶＳＳ）を維持する状態となる。また、第１６のトランジスタ１１６がオフ状態となることにより、ノードＤ’に対してノードＧ’のＬ電位（ＶＳＳ）の引き込みは無くなり、ノードＤ’はＬ電位（ＶＳＳ）を維持する状態となる。
【０１４８】
第３２のトランジスタ１３２（Ｐｃｈ）は、オン状態となる。
【０１４９】
一方、クロック信号ＣＬＫがＬ電位（ＶＳＳ）となるので、第２６のトランジスタ１２６（Ｎｃｈ）及び第２７のトランジスタ１２７（Ｎｃｈ）は、オフ状態となる。ノードＢ’には、Ｌ電位（ＶＳＳ）に応じた電荷が蓄積されているため、第２７のトランジスタ１２７がオフ状態となることで、ノードＢ’にはＬ電位（ＶＳＳ）に応じた電荷が保持される。（電荷保持動作。）更に、第３１のトランジスタ１３１（Ｐｃｈ）は、ノードＢ’の電位に応じて、オン状態となる。ノードＣ’には、Ｌ電位（ＶＳＳ）に応じた電荷が蓄積されているため、第２６のトランジスタ１２６がオフ状態となることで、ノードＣ’にはＬ電位（ＶＳＳ）に応じた電荷が保持される。（電荷保持動作。）更に、第３０のトランジスタ１３０（Ｐｃｈ）は、ノードＣ’の電位に応じて、オン状態となる。
【０１５０】
同様に、クロック信号ＣＬＫがＬ電位（ＶＳＳ）となるので、第２４のトランジスタ１２４（Ｎｃｈ）及び第２５のトランジスタ１２５（Ｎｃｈ）は、オフ状態となる。ノードＥ’には、Ｈ電位（ＶＤＤ）に応じた電荷が蓄積されているため、第２５のトランジスタ１２５がオフ状態となることで、ノードＥ’にはＨ電位（ＶＤＤ）に応じた電荷が保持される。（電荷保持動作。）更に、第２９のトランジスタ１２９（Ｐｃｈ）は、ノードＥ’の電位に応じて、オフ状態となる。ノードＦ’には、Ｈ電位（ＶＤＤ）に応じた電荷が蓄積されているため、第２４のトランジスタ１２４がオフ状態となることで、ノードＦ’にはＨ電位（ＶＤＤ）に応じた電荷が保持される。（電荷保持動作。）更に、第２８のトランジスタ１２８（Ｐｃｈ）は、ノードＦ’の電位に応じて、オフ状態となる。
【０１５１】
この時、ノードＨ’から、ノードＡ’までの電流経路が形成される。従って、オン状態となっている第３２のトランジスタ１３２及び、オン状態となっている第３１のトランジスタ１３１を通して（又は、オン状態となっている第３２のトランジスタ１３２及び、オン状態となっている第３０のトランジスタ１３０を通して）、ノードＨ’からノードＡ’に向かって電流が流れる。即ち、ノードＨ’の有する電源電位（ＶＤＤ）が、ノードＡ’へと供給される。なお、第２８のトランジスタ１２８と、第２９のトランジスタ１２９は、共にオフ状態であるため、ノードＨ’から、ノードＤ’までの電流経路は形成されない。
【０１５２】
ノードＨ’からノードＡ’に向かって電流が流れることで、ノードＡ’の電位は、Ｌ電位（ＶＳＳ）から徐々に増加し、Ｈ電位（ＶＤＤ）となる。この時、ノードＡ’の電位が確定し、出力信号ＯＵＴがＨ電位（ＶＤＤ）となる。
【０１５３】
その結果、第１５のトランジスタ１１５のゲートに、Ｈ電位（ＶＤＤ）が印加されるため、第１５のトランジスタ１１５（Ｎｃｈ）は、オン状態となる。この時、第１５のトランジスタ１１５を通して、ノードＤ’から、ノードＧ’までの電流経路が形成される。従って、ノードＤ’の電位はノードＧ’の電位に引き込まれるため、ノードＤ’の電位はＬ電位（ＶＳＳ）となる。
【０１５４】
以上のように期間Ｔ４では、Ｌ電位（ＶＳＳ）の入力信号Ａ及びＬ電位（ＶＳＳ）の入力信号Ｂの入力に対して、Ｈ電位（ＶＤＤ）の出力信号ＯＵＴが、確定された状態となる。
【０１５５】
入力信号Ａに応じた電位を保持するノードＣ’をゲートに有する第３０のトランジスタ１３０と、入力信号Ｂに応じた電位を保持するノードＢ’をゲートに有する第３１のトランジスタ１３１とが電気的に並列で接続されている。従って、どちらかの入力信号にＬ電位（ＶＳＳ）が入力されれば、ノードＨ’からノードＡ’までの電流経路が形成され、ノードＨ’の有する電源電位（ＶＤＤ）が、ノードＡ’へと供給される事になる。一方、第２８のトランジスタ１２８と、第２９のトランジスタ１２９とが電気的に直列で接続されている。従って、どちらかの入力信号にＬ電位（ＶＳＳ）が入力されてしまうと、ノードＨ’からノードＤ’までの電流経路は形成されず、両方の入力信号に、Ｈ電位（ＶＤＤ）が入力された時のみノードＨ’からノードＤ’までの電流経路が形成される。
【０１５６】
即ち、どちらかの入力信号にＬ電位（ＶＳＳ）が入力されれば、必ずノードＡ’は、Ｈ電位（ＶＤＤ）になる。この時必ず出力信号ＯＵＴは、Ｈ電位（ＶＤＤ）になる。また、両方の入力信号に、Ｈ電位（ＶＤＤ）が入力されれば、必ずノードＡ’は、Ｌ電位（ＶＳＳ）になる。この時必ず出力信号ＯＵＴは、Ｌ電位（ＶＳＳ）になる。このようにして、ＮＡＮＤ回路が形成できる。
【０１５７】
期間Ｔ５、期間Ｔ６の動作は、期間Ｔ１、期間Ｔ２の動作と全く同様である。期間Ｔ７、期間Ｔ８の動作は、期間Ｔ１、期間Ｔ２の動作において、入力信号ＡにＬ電位（ＶＳＳ）、入力信号ＢにＨ電位（ＶＤＤ）が入力された場合の動作に対応する。期間Ｔ９、期間Ｔ１０の動作は、期間Ｔ３、期間Ｔ４の動作において、入力信号ＡにＨ電位（ＶＤＤ）、入力信号ＢにＨ電位（ＶＤＤ）が入力された場合の動作に対応する。
【０１５８】
本実施の形態により、ＮＡＮＤ回路のリーク電流のパスを抑制することができる。従って、ＮＡＮＤ回路の消費電力を抑制することができる。
【０１５９】
本実施の形態により、ＮＡＮＤ回路において電源が遮断されてもデータを保持することができる。
【０１６０】
本実施の形態により、ＮＡＮＤ回路において酸化物半導体を用いたトランジスタとシリコン半導体を用いたトランジスタは積層して形成することが可能であるため、回路面積を縮小させることができる。
【０１６１】
なお、本実施の形態は、本明細書で示す他の実施の形態と適宜組み合わせることができる。
【０１６２】
（実施の形態３）
本実施の形態では、データの保持機能を有し、消費電力を削減したＮＡＮＤ回路の別の構成について図１５及び図１６を用いて説明する。
【０１６３】
図１５及び図１６に本実施の形態のＮＡＮＤ回路の回路図を示す。図１５に示すＮＡＮＤ回路３００は、図１に示すＮＡＮＤ回路１００において、容量１４０、容量１４１、容量１４２、容量１４３を接続したものである。具体的には、容量１４２の一方の端子は、ノードＢと電気的に接続され、容量１４２の他方の端子は、接地電位ＧＮＤ端子と電気的に接続されている。容量１４３の一方の端子は、ノードＣと電気的に接続され、容量１４３の他方の端子は、接地電位ＧＮＤ端子と電気的に接続されている。容量１４０の一方の端子は、ノードＥと電気的に接続され、容量１４０の他方の端子は、接地電位ＧＮＤ端子と電気的に接続されている。容量１４１の一方の端子は、ノードＦと電気的に接続され、容量１４１の他方の端子は、接地電位ＧＮＤ端子と電気的に接続されている。容量１４０、容量１４１、容量１４２、容量１４３、以外の構成は、ＮＡＮＤ回路１００と全く同様である。
【０１６４】
図１６に示すＮＡＮＤ回路４００は、図９に示すＮＡＮＤ回路２００において、容量１５０、容量１５１、容量１５２、容量１５３を接続したものである。具体的には、容量１５０の一方の端子は、ノードＢ’と電気的に接続され、容量１５０の他方の端子は、接地電位ＧＮＤ端子と電気的に接続されている。容量１５１の一方の端子は、ノードＣ’と電気的に接続され、容量１５１の他方の端子は、接地電位ＧＮＤ端子と電気的に接続されている。容量１５２の一方の端子は、ノードＥ’と電気的に接続され、容量１５２の他方の端子は、接地電位ＧＮＤ端子と電気的に接続されている。容量１５３の一方の端子は、ノードＦ’と電気的に接続され、容量１５３の他方の端子は、接地電位ＧＮＤ端子と電気的に接続されている。容量１５０、容量１５１、容量１５２、容量１５３、以外の構成は、ＮＡＮＤ回路２００と全く同様である。
【０１６５】
ノードＢに容量１４２を接続し（ノードＢ’に容量１５０を接続し）、ノードＣに容量１４３を接続し（ノードＣ’に容量１５１を接続し）、ノードＥに容量１４０を接続し（ノードＥ’に容量１５２を接続し）、ノードＦに容量１４１を接続することで（ノードＦ’に容量１５３を接続することで）、データの保持時間を長くすることができる。また、データの保持時間は、容量１４０（容量１５０）、容量１４１（容量１５１）、容量１４２（容量１５２）、容量１４３（容量１５３）のそれぞれの容量値を変化させることにより、調整が可能である。データの保持時間をより長くしたい場合、それぞれの容量値を大きくすれば良い。
【０１６６】
また、ノードＢに容量１４２を接続し（ノードＢ’に容量１５０を接続し）、ノードＣに容量１４３を接続し（ノードＣ’に容量１５１を接続し）、ノードＥに容量１４０を接続し（ノードＥ’に容量１５２を接続し）、ノードＦに容量１４１を接続することで（ノードＦ’に容量１５３を接続することで）、ＮＡＮＤ回路内に生じる寄生容量等の負荷による影響を低減させ、ＮＡＮＤ回路における動作の安定性を高めることも可能である。
【０１６７】
ＮＡＮＤ回路３００の動作については、ＮＡＮＤ回路１００と同様であるため、実施の形態１を参酌できる。ＮＡＮＤ回路４００の動作については、ＮＡＮＤ回路２００と同様であるため、実施の形態２を参酌できる。
【０１６８】
なお、本実施の形態は、本明細書で示す他の実施の形態と適宜組み合わせることができる。
【０１６９】
（実施の形態４）
本実施の形態では、データの保持機能を有し、消費電力を削減したＮＯＲ回路について図１７乃至図２２を用いて説明する。
【０１７０】
＜ＮＯＲ回路５００の構成＞
図１７に本実施の形態のＮＯＲ回路の回路図を示す。図１７に示すＮＯＲ回路５００は、第１のトランジスタ５０１、第２のトランジスタ５０２、第３のトランジスタ５０３、第４のトランジスタ５０４、第５のトランジスタ５０５、第６のトランジスタ５０６、第７のトランジスタ５０７、第８のトランジスタ５０８、第９のトランジスタ５０９、第１０のトランジスタ５１０、第１１のトランジスタ５１１、第１２のトランジスタ５１２、第１３のトランジスタ５１３、を有している。
【０１７１】
第２のトランジスタ５０２、第４のトランジスタ５０４、第５のトランジスタ５０５、第７のトランジスタ５０７、第９のトランジスタ５０９の５個のトランジスタとして、ｎチャネル型トランジスタを用いる。第１０のトランジスタ５１０、第１１のトランジスタ５１１、第１２のトランジスタ５１２、第１３のトランジスタ５１３の４個のトランジスタとして、ｐチャネル型トランジスタを用いる。
【０１７２】
第１のトランジスタ５０１、第３のトランジスタ５０３、第６のトランジスタ５０６、第８のトランジスタ５０８の４個のトランジスタとして、例えば酸化物半導体層にチャネルが形成されるトランジスタを用いる。酸化物半導体を用いたトランジスタはリーク電流（オフ電流ともいう）が極小という利点を有する。なお当該酸化物半導体を用いたトランジスタは、ｎチャネル型トランジスタである。
【０１７３】
第２のトランジスタ５０２、第４のトランジスタ５０４、第５のトランジスタ５０５、第７のトランジスタ５０７、第９のトランジスタ５０９、第１０のトランジスタ５１０、第１１のトランジスタ５１１、第１２のトランジスタ５１２、第１３のトランジスタ５１３の９個のトランジスタとして、例えば珪素層にチャネルが形成されるトランジスタを用いる。当該珪素層は、単結晶珪素層、微結晶珪素層、非晶質珪素層であってもよい。
【０１７４】
なお、第２のトランジスタ５０２、第４のトランジスタ５０４、第５のトランジスタ５０５、第７のトランジスタ５０７、第９のトランジスタ５０９の５個のトランジスタ全て、又は一部を、酸化物半導体を用いたトランジスタに置き換えることもできる。ただし、酸化物半導体を用いたトランジスタはオフ電流が極小という利点を有する一方、動作速度が、シリコン半導体を用いたトランジスタと比べて劣るため、ＮＯＲ回路５００の動作速度への影響を考慮して、これらのトランジスタを、酸化物半導体を用いたトランジスタに置き換えることが必要である。
【０１７５】
ＮＯＲ回路５００に入力される２つの信号のうち入力信号Ａは、第８のトランジスタ５０８のソース又はドレインの一方に、入力される。また入力信号Ｂは、第３のトランジスタ５０３のソース又はドレインの一方に、入力される。なお、第６のトランジスタ５０６のソース又はドレインの一方には、入力信号Ａと位相が反転した信号ＡＢが入力され、第１のトランジスタ５０１のソース又はドレインの一方には、入力信号Ｂと位相が反転した信号ＢＢが入力される。
【０１７６】
第１のトランジスタ５０１のゲートは、第６のトランジスタ５０６のゲートと電気的に接続されている。第１のトランジスタ５０１のソース又はドレインの他方は、第２のトランジスタ５０２のゲートと電気的に接続されている。なお、第１のトランジスタ５０１のソース又はドレインの他方と第２のトランジスタ５０２のゲートとの接続部分をノードＥとする。第２のトランジスタ５０２のソース又はドレインの一方は、第５のトランジスタ５０５のソース又はドレインの一方と電気的に接続され、第２のトランジスタ５０２のソース又はドレインの他方は、第９のトランジスタ５０９のソース又はドレインの一方、及び第４のトランジスタ５０４のソース又はドレインの一方、及び第７のトランジスタ５０７のソース又はドレインの一方と電気的に接続されている。
【０１７７】
第３のトランジスタ５０３のゲートは、第８のトランジスタ５０８のゲートと電気的に接続されている。第３のトランジスタ５０３のソース又はドレインの他方は、第４のトランジスタ５０４のゲートと電気的に接続されている。なお、第３のトランジスタ５０３のソース又はドレインの他方と第４のトランジスタ５０４のゲートとの接続部分をノードＢとする。第４のトランジスタ５０４のソース又はドレインの他方は、第７のトランジスタ５０７のソース又はドレインの他方、及び第１０のトランジスタ５１０のソース又はドレインの一方、及び第１２のトランジスタ５１２のソース又はドレインの一方、及び第１１のトランジスタ５１１のゲートと電気的に接続されている。なお、第４のトランジスタ５０４のソース又はドレインの一方と、第７のトランジスタ５０７のソース又はドレインの一方と、第１０のトランジスタ５１０のソース又はドレインの一方と、第１２のトランジスタ５１２のソース又はドレインの一方と、第１１のトランジスタ５１１のゲートとの接続部分をノードＡとする。
【０１７８】
第５のトランジスタ５０５のゲートは、第６のトランジスタ５０６のソース又はドレインの他方と電気的に接続されている。なお、第５のトランジスタ５０５のゲートと、第６のトランジスタ５０６のソース又はドレインの他方との接続部分をノードＦとする。第５のトランジスタ５０５のソース又はドレインの他方は、第１０のトランジスタ５１０のゲート、及び第１１のトランジスタ５１１のソース又はドレインの一方、及び第１３のトランジスタ５１３のソース又はドレインの一方と電気的に接続されている。なお、第５のトランジスタ５０５のソース又はドレインの他方と、第１０のトランジスタ５１０のゲートと、第１１のトランジスタ５１１のソース又はドレインの一方と、第１３のトランジスタ５１３のソース又はドレインの一方との接続部分をノードＤとする。
【０１７９】
第６のトランジスタ５０６のゲートには、クロック信号ＣＬＫと位相が反転した信号ＣＬＫＢが入力されている。第７のトランジスタ５０７のゲートは、第８のトランジスタ５０８のソース又はドレインの他方と電気的に接続されている。なお、第７のトランジスタ５０７のゲートと、第８のトランジスタ５０８のソース又はドレインの他方との接続部分をノードＣとする。第８のトランジスタ５０８のゲートには、クロック信号ＣＬＫと位相が反転した信号ＣＬＫＢが入力されている。第９のトランジスタ５０９のゲートには、クロック信号ＣＬＫが入力され、第９のトランジスタ５０９のソース又はドレインの他方は、接地電位ＧＮＤ端子と電気的に接続されている。なお、第９のトランジスタ５０９のソース又はドレインの他方と、接地電位ＧＮＤとの接続部分をノードＧとする。
【０１８０】
第１０のトランジスタ５１０のソース又はドレインの他方と、第１１のトランジスタ５１１のソース又はドレインの他方と、第１２のトランジスタ５１２のソース又はドレインの他方と、第１３のトランジスタ５１３のソース又はドレインの他方とは、電気的に接続されており、電源電位ＶＤＤが供給されている。第１２のトランジスタ５１２のゲートには、クロック信号ＣＬＫが入力され、第１３のトランジスタ５１３のゲートには、クロック信号ＣＬＫが入力されている。
【０１８１】
ノードＡの電位は、ＮＯＲ回路５００の出力信号ＯＵＴとして出力される。ノードＤの電位は、ＮＯＲ回路５００の出力信号ＯＵＴと、位相が反転した信号ＯＵＴＢとして出力される。
【０１８２】
本実施の形態のＮＯＲ回路５００において、酸化物半導体を用いたトランジスタのゲートが閉じている時、電源電位ＶＤＤ端子から接地電位ＧＮＤ端子までのリーク電流のパスは、１つである。そのため、本実施の形態のＮＯＲ回路５００では消費電力が抑制できる。
【０１８３】
また本実施の形態のＮＯＲ回路５００は、４個の酸化物半導体を用いたトランジスタ及び９個のシリコン半導体を用いたトランジスタを有している。
【０１８４】
酸化物半導体を用いたトランジスタは、上述のようにリーク電流が極小である。そのため、ＮＯＲ回路５００に電源電位ＶＤＤの供給を停止しても、例えば酸化物半導体を用いたトランジスタである第１のトランジスタ５０１のソース又はドレインの他方と、第２のトランジスタ５０２のゲートとの間（ノードＥ）に蓄えられている電荷は保持される。よって、電源電位ＶＤＤの供給を再開すると、ＮＯＲ回路５００は、電源電位ＶＤＤの供給を停止する前の状態から、動作を開始することができる。
【０１８５】
このように、ＮＯＲ回路５００は電源電位ＶＤＤの供給を停止してもデータが消失しない。すなわち、本実施の形態のＮＯＲ回路５００は、不揮発性の記憶回路である。従って、電源電位ＶＤＤの供給を停止してもデータが消失しないので、ＮＯＲ回路５００において、酸化物半導体を用いたトランジスタのゲートが閉じている時は、電源電位ＶＤＤの供給を停止することが可能である。即ち不揮発性のＮＯＲ回路５００は消費電力を抑制することができる。
【０１８６】
また本実施の形態のＮＯＲ回路５００において、酸化物半導体を用いたトランジスタとシリコン半導体を用いたトランジスタは積層して形成することが可能である（後述）。そのため、ＮＯＲ回路５００の回路面積を小さくすることができる。
【０１８７】
＜ＮＯＲ回路５００の動作＞
図１８乃至図２２を用いて、本実施の形態のＮＯＲ回路５００の動作について説明する。図１８には、ＮＯＲ回路５００におけるタイミングチャートを示す。図１８では、期間Ｔ１、期間Ｔ２、期間Ｔ３、期間Ｔ４、期間Ｔ５、期間Ｔ６、期間Ｔ７、期間Ｔ８、期間Ｔ９、期間Ｔ１０、に分けてタイミングチャートを示す。図１９乃至図２２では、期間Ｔ１、期間Ｔ２、期間Ｔ３、期間Ｔ４におけるＮＯＲ回路５００の動作の状態を示す。
【０１８８】
ＮＯＲ回路５００は、クロック同期式であり、第９のトランジスタ５０９、第１２のトランジスタ５１２、第１３のトランジスタ５１３に同様のクロック信号ＣＬＫを入力することで、ＮＯＲ回路として動作する。なお、クロック信号ＣＬＫと同期して第９のトランジスタ５０９がオン状態となる、期間Ｔ２、期間Ｔ４、期間Ｔ６、期間Ｔ８、期間Ｔ１０においてのみ、出力信号ＯＵＴが決定される。
【０１８９】
＜期間Ｔ１（図１９参照。）＞
まず図１８の期間Ｔ１に示すように、入力信号ＡにＨ電位（ＶＤＤ）、入力信号ＢにＬ電位（ＶＳＳ）が入力された場合を考える。この時、クロック信号ＣＬＫがＬ電位（ＶＳＳ）なので、第１２のトランジスタ５１２のゲート、及び第１３のトランジスタ５１３のゲートにＬ電位（ＶＳＳ）が印加される。従って、第１２のトランジスタ５１２（Ｐｃｈ）及び第１３のトランジスタ５１３（Ｐｃｈ）は、オン状態となる。この時、ノードＡに対してＨ電位（ＶＤＤ）が入り込み、ノードＤに対してＨ電位（ＶＤＤ）が入り込む。（プリチャージ動作。）第１２のトランジスタ５１２及び第１３のトランジスタ５１３は、ノードＡとノードＤにＨ電位（ＶＤＤ）を充電するか否かを制御するために設けられている。
【０１９０】
クロック信号ＣＬＫと位相が反転した信号ＣＬＫＢがＨ電位（ＶＤＤ）なので、第３のトランジスタ５０３及び第８のトランジスタ５０８は、オン状態となる。従って、第４のトランジスタ５０４のゲート（ノードＢ）に入力信号Ｂと同じＬ電位（ＶＳＳ）がチャージされ、第７のトランジスタ５０７のゲート（ノードＣ）に入力信号Ａと同じＨ電位（ＶＤＤ）がチャージされる。
【０１９１】
また、クロック信号ＣＬＫと位相が反転した信号ＣＬＫＢがＨ電位（ＶＤＤ）なので、第１のトランジスタ５０１及び第６のトランジスタ５０６は、オン状態となる。従って、第２のトランジスタ５０２のゲート（ノードＥ）に入力信号Ｂと位相が反転した信号ＢＢと同じＨ電位（ＶＤＤ）がチャージされ、第５のトランジスタ５０５のゲート（ノードＦ）に入力信号Ａと位相が反転した信号ＡＢと同じＬ電位（ＶＳＳ）がチャージされる。
【０１９２】
以上のように期間Ｔ１では、ノードＢ、ノードＣ、ノードＥ、ノードＦのそれぞれに、入力信号Ａ及び入力信号Ｂに応じた電位が、ノードＡ、ノードＤのそれぞれに、Ｈ電位（ＶＤＤ）がチャージされた状態となる。
【０１９３】
＜期間Ｔ２（図２０参照。）＞
次に図１８の期間Ｔ２に示すように、クロック信号ＣＬＫがＨ電位（ＶＤＤ）となるので、第１２のトランジスタ５１２のゲート、第１３のトランジスタ５１３のゲート、第９のトランジスタ５０９のゲートのそれぞれにＨ電位（ＶＤＤ）が印加される。この時、第１２のトランジスタ５１２（Ｐｃｈ）及び第１３のトランジスタ５１３（Ｐｃｈ）は、オフ状態となる。第１２のトランジスタ５１２がオフ状態となることにより、ノードＡに対してＨ電位（ＶＤＤ）の供給が無くなり、ノードＡはＨ電位（ＶＤＤ）を維持する状態となる。また、第１３のトランジスタ５１３がオフ状態となることにより、ノードＤに対してＨ電位（ＶＤＤ）の供給が無くなり、ノードＤはＨ電位（ＶＤＤ）を維持する状態となる。
【０１９４】
第９のトランジスタ５０９（Ｎｃｈ）は、オン状態となる。
【０１９５】
一方、クロック信号ＣＬＫと位相が反転した信号ＣＬＫＢがＬ電位（ＶＳＳ）となるので、第３のトランジスタ５０３（Ｎｃｈ）及び第８のトランジスタ５０８（Ｎｃｈ）は、オフ状態となる。ノードＢには、Ｌ電位（ＶＳＳ）に応じた電荷が蓄積されているため、第３のトランジスタ５０３がオフ状態となることで、ノードＢにはＬ電位（ＶＳＳ）に応じた電荷が保持される。（電荷保持動作。）更に、第４のトランジスタ５０４は、ノードＢの電位に応じて、オフ状態となる。ノードＣには、Ｈ電位（ＶＤＤ）に応じた電荷が蓄積されているため、第８のトランジスタ５０８がオフ状態となることで、ノードＣにはＨ電位（ＶＤＤ）に応じた電荷が保持される。（電荷保持動作。）更に、第７のトランジスタ５０７は、ノードＣの電位に応じて、オン状態となる。
【０１９６】
同様に、クロック信号ＣＬＫと位相が反転した信号ＣＬＫＢがＬ電位（ＶＳＳ）となるので、第１のトランジスタ５０１（Ｎｃｈ）及び第６のトランジスタ５０６（Ｎｃｈ）は、オフ状態となる。ノードＥには、Ｈ電位（ＶＤＤ）に応じた電荷が蓄積されているため、第１のトランジスタ５０１がオフ状態となることで、ノードＥにはＨ電位（ＶＤＤ）に応じた電荷が保持される。（電荷保持動作。）更に、第２のトランジスタ５０２は、ノードＥの電位に応じて、オン状態となる。ノードＦには、Ｌ電位（ＶＳＳ）に応じた電荷が蓄積されているため、第６のトランジスタ５０６がオフ状態となることで、ノードＦにはＬ電位（ＶＳＳ）に応じた電荷が保持される。（電荷保持動作。）更に、第５のトランジスタ５０５は、ノードＦの電位に応じて、オフ状態となる。
【０１９７】
この時、第４のトランジスタ５０４と、第７のトランジスタ５０７が電気的に並列で接続されているため、ノードＡから、ノードＧまでの電流経路が形成される。従ってノードＡに溜められたＨ電位（ＶＤＤ）に応じた電荷は、オン状態となっている第７のトランジスタ５０７及び、オン状態となっている第９のトランジスタ５０９を通して、ノードＧの有する基準電位（ＧＮＤ）へと引き抜かれていく。即ちノードＡからノードＧに向かって電流が流れる。なお、第２のトランジスタ５０２と、第５のトランジスタ５０５が電気的に直列で接続されているため、ノードＤから、ノードＧまでの電流経路は形成されない。この時、ノードＡの電位が確定し、出力信号ＯＵＴがＬ電位（ＶＳＳ）となる。
【０１９８】
ノードＡからノードＧに向かって電流が流れることで、ノードＡの電位は、Ｈ電位（ＶＤＤ）から徐々に減少し、Ｌ電位（ＶＳＳ）となる。その結果、第１１のトランジスタ５１１のゲートに、Ｌ電位（ＶＳＳ）が印加されるため、第１１のトランジスタ５１１（Ｐｃｈ）は、オン状態となる。オン状態となっている第１１のトランジスタ５１１を通して、ノードＤにＨ電位（ＶＤＤ）が供給される。
【０１９９】
第１０のトランジスタ５１０及び第１１のトランジスタ５１１は、ノードＡとノードＤに対して、該ノード間の電位を相互に補償し合う機能を有する。ノードＡとノードＤ間の電位を相互に補償し合うとは、例えば、ノードＡがＬ電位（ＶＳＳ）になった場合、第１１のトランジスタ５１１は、ノードＤにＨ電位（ＶＤＤ）を供給する。例えば、ノードＤがＬ電位（ＶＳＳ）になった場合、第１０のトランジスタ１１０は、ノードＡにＨ電位（ＶＤＤ）を供給する。即ち、ノードＡとノードＤ間において、Ｌ電位（ＶＳＳ）になったノードと逆のノードに、Ｈ電位（ＶＤＤ）を供給する。
【０２００】
なお、ノードＡの電位とノードＤの電位は、第９のトランジスタ５０９のオン状態及びオフ状態に依存する。即ち出力信号ＯＵＴの電位が確定するのは、クロック信号ＣＬＫがＨ電位（ＶＤＤ）の時に限られる。従ってＮＯＲ回路５００の出力信号ＯＵＴの電位が確定するのは図１８に示すタイミングチャートにおいて、期間Ｔ２、期間Ｔ４、期間Ｔ６、期間Ｔ８、期間Ｔ１０の時である。
【０２０１】
以上のように期間Ｔ２では、Ｈ電位（ＶＤＤ）の入力信号Ａ及びＬ電位（ＶＳＳ）の入力信号Ｂの入力に対して、Ｌ電位（ＶＳＳ）の出力信号ＯＵＴが、確定された状態となる。
【０２０２】
上述のように、第１０のトランジスタ５１０及び第１１のトランジスタ５１１は、電位補償機能を有し、第１２のトランジスタ５１２及び第１３のトランジスタ５１３は、充電機能を有する。従って、これら４つのトランジスタは、常にノードＡとノードＤの電位を比較し、Ｌ電位（ＶＳＳ）となったノードと逆のノードに、Ｈ電位（ＶＤＤ）を供給するという比較器としての機能を有する。
【０２０３】
また、第９のトランジスタ５０９は、放電機能を有する。オン状態となっている第９のトランジスタ５０９を通して、ノードＡ又はノードＤの電位はノードＧの有する基準電位（ＧＮＤ）へと引き抜かれていく。その結果、第９のトランジスタ５０９がオン状態となる時（クロック信号ＣＬＫがＨ電位（ＶＤＤ）の時）のみ、出力信号ＯＵＴの電位が確定することになるため、該トランジスタは、最終的な出力信号ＯＵＴを確定するという機能（電位確定機能）も有する。
【０２０４】
＜期間Ｔ３（図２１参照。）＞
次に図１８の期間Ｔ３に示すように、入力信号ＡにＬ電位（ＶＳＳ）、入力信号ＢにＬ電位（ＶＳＳ）が入力された場合を考える。この時、クロック信号ＣＬＫがＬ電位（ＶＳＳ）なので、第１２のトランジスタ５１２のゲート、及び第１３のトランジスタ５１３のゲートにＬ電位（ＶＳＳ）が印加される。従って、第１２のトランジスタ５１２（Ｐｃｈ）及び第１３のトランジスタ５１３（Ｐｃｈ）は、オン状態となる。この時、ノードＡに対してＨ電位（ＶＤＤ）が入り込み、ノードＤに対してＨ電位（ＶＤＤ）が入り込む。（プリチャージ動作。）
【０２０５】
クロック信号ＣＬＫと位相が反転した信号ＣＬＫＢがＨ電位（ＶＤＤ）なので、第３のトランジスタ５０３及び第８のトランジスタ５０８は、オン状態となる。従って、第４のトランジスタ５０４のゲート（ノードＢ）に入力信号Ｂと同じＬ電位（ＶＳＳ）がチャージされ、第７のトランジスタ５０７のゲート（ノードＣ）に入力信号Ａと同じＬ電位（ＶＳＳ）がチャージされる。
【０２０６】
また、クロック信号ＣＬＫと位相が反転した信号ＣＬＫＢがＨ電位（ＶＤＤ）なので、第１のトランジスタ５０１及び第６のトランジスタ５０６は、オン状態となる。従って、第２のトランジスタ５０２のゲート（ノードＥ）に入力信号Ｂと位相が反転した信号ＢＢと同じＨ電位（ＶＤＤ）がチャージされ、第５のトランジスタ５０５のゲート（ノードＦ）に入力信号Ａと位相が反転した信号ＡＢと同じＨ電位（ＶＤＤ）がチャージされる。
【０２０７】
以上のように期間Ｔ３では、ノードＢ、ノードＣ、ノードＥ、ノードＦのそれぞれに、入力信号Ａ及び入力信号Ｂに応じた電位が、ノードＡ、ノードＤのそれぞれに、Ｈ電位（ＶＤＤ）がチャージされた状態となる。
【０２０８】
＜期間Ｔ４（図２２参照。）＞
次に図１８の期間Ｔ４に示すように、クロック信号ＣＬＫがＨ電位（ＶＤＤ）となるので、第１２のトランジスタ５１２のゲート、第１３のトランジスタ５１３のゲート、第９のトランジスタ５０９のゲートのそれぞれにＨ電位（ＶＤＤ）が印加される。この時、第１２のトランジスタ５１２（Ｐｃｈ）及び第１３のトランジスタ５１３（Ｐｃｈ）は、オフ状態となる。第１２のトランジスタ５１２がオフ状態となることにより、ノードＡに対してＨ電位（ＶＤＤ）の供給が無くなり、ノードＡはＨ電位（ＶＤＤ）を維持する状態となる。また、第１３のトランジスタ５１３がオフ状態となることにより、ノードＤに対してＨ電位（ＶＤＤ）の供給が無くなり、ノードＤはＨ電位（ＶＤＤ）を維持する状態となる。
【０２０９】
第９のトランジスタ５０９（Ｎｃｈ）は、オン状態となる。
【０２１０】
一方、クロック信号ＣＬＫと位相が反転した信号ＣＬＫＢがＬ電位（ＶＳＳ）となるので、第３のトランジスタ５０３（Ｎｃｈ）及び第８のトランジスタ５０８（Ｎｃｈ）は、オフ状態となる。ノードＢには、Ｌ電位（ＶＳＳ）に応じた電荷が蓄積されているため、第３のトランジスタ５０３がオフ状態となることで、ノードＢにはＬ電位（ＶＳＳ）に応じた電荷が保持される。（電荷保持動作。）更に、第４のトランジスタ５０４は、ノードＢの電位に応じて、オフ状態となる。ノードＣには、Ｌ電位（ＶＳＳ）に応じた電荷が蓄積されているため、第８のトランジスタ５０８がオフ状態となることで、ノードＣにはＬ電位（ＶＳＳ）に応じた電荷が保持される。（電荷保持動作。）更に、第７のトランジスタ５０７は、ノードＣの電位に応じて、オフ状態となる。
【０２１１】
同様に、クロック信号ＣＬＫと位相が反転した信号ＣＬＫＢがＬ電位（ＶＳＳ）となるので、第１のトランジスタ５０１（Ｎｃｈ）及び第６のトランジスタ５０６（Ｎｃｈ）は、オフ状態となる。ノードＥには、Ｈ電位（ＶＤＤ）に応じた電荷が蓄積されているため、第１のトランジスタ５０１がオフ状態となることで、ノードＥにはＨ電位（ＶＤＤ）に応じた電荷が保持される。（電荷保持動作。）更に、第２のトランジスタ５０２は、ノードＥの電位に応じて、オン状態となる。ノードＦには、Ｈ電位（ＶＤＤ）に応じた電荷が蓄積されているため、第６のトランジスタ５０６がオフ状態となることで、ノードＦにはＨ電位（ＶＤＤ）に応じた電荷が保持される。（電荷保持動作。）更に、第５のトランジスタ５０５は、ノードＦの電位に応じて、オン状態となる。
【０２１２】
第２のトランジスタ５０２と、第５のトランジスタ５０５が電気的に直列で接続されているため、第２のトランジスタ５０２及び第５のトランジスタ５０５がオン状態となることで、ノードＤから、ノードＧまでの電流経路が形成される。即ちノードＤからノードＧに向かって電流が流れる。従ってノードＤに溜められたＨ電位（ＶＤＤ）に応じた電荷は、オン状態となっている第５のトランジスタ５０５及び、オン状態となっている第２のトランジスタ５０２及び、オン状態となっている第９のトランジスタ５０９を通して、ノードＧの有する基準電位（ＧＮＤ）へと引き抜かれていく。一方、第４のトランジスタ５０４と、第７のトランジスタ５０７が電気的に並列で接続されているため、ノードＡから、ノードＧまでの電流経路は形成されない。
【０２１３】
ノードＤからノードＧに向かって電流が流れることで、ノードＡの電位は、Ｈ電位（ＶＤＤ）から徐々に減少し、Ｌ電位（ＶＳＳ）となる。この時、ノードＤの電位が確定し、出力信号ＯＵＴと、位相が反転した信号ＯＵＴＢから、Ｌ電位（ＶＳＳ）が出力される。その結果、第１０のトランジスタ５１０のゲートに、Ｌ電位（ＶＳＳ）が印加されるため、第１０のトランジスタ５１０（Ｐｃｈ）は、オン状態となる。オン状態となっている第１０のトランジスタ５１０を通して、ノードＡにＨ電位（ＶＤＤ）が供給される。この時、ノードＡの電位が確定し、出力信号ＯＵＴがＨ電位（ＶＤＤ）となる。
【０２１４】
第１０のトランジスタ５１０及び第１１のトランジスタ５１１は、ノードＡとノードＤに対して、該ノード間の電位を相互に補償し合う機能を有する。ノードＡとノードＤ間の電位を相互に補償し合うとは、例えば、ノードＡがＬ電位（ＶＳＳ）になった場合、第１１のトランジスタ５１１は、ノードＤにＨ電位（ＶＤＤ）を供給する。例えば、ノードＤがＬ電位（ＶＳＳ）になった場合、第１０のトランジスタ５１０は、ノードＡにＨ電位（ＶＤＤ）を供給する。即ち、ノードＡとノードＤ間において、Ｌ電位（ＶＳＳ）になったノードと逆のノードに、Ｈ電位（ＶＤＤ）を供給する。
【０２１５】
なお、ノードＡの電位とノードＤの電位は、第９のトランジスタ５０９のオン状態及びオフ状態に依存する。即ち出力信号ＯＵＴの電位が確定するのは、クロック信号ＣＬＫがＨ電位（ＶＤＤ）の時に限られる。従ってＮＯＲ回路５００の出力信号ＯＵＴの電位が確定するのは図１８に示すタイミングチャートにおいて、期間Ｔ２、期間Ｔ４、期間Ｔ６、期間Ｔ８、期間Ｔ１０の時である。
【０２１６】
以上のように期間Ｔ４では、Ｌ電位（ＶＳＳ）の入力信号Ａ及びＬ電位（ＶＳＳ）の入力信号Ｂの入力に対して、Ｈ電位（ＶＤＤ）の出力信号ＯＵＴが、確定された状態となる。
【０２１７】
入力信号Ａに応じた電位を保持するノードＣをゲートに有する第７のトランジスタ５０７と、入力信号Ｂに応じた電位を保持するノードＢをゲートに有する第４のトランジスタ５０４とが電気的に並列で接続されている。従って、どちらかの入力信号にＨ電位（ＶＤＤ）が入力されれば、必ずノードＡからノードＧまでの電流経路が形成される。一方、第２のトランジスタ５０２と、第５のトランジスタ５０５とが電気的に直列で接続されているため、どちらかの入力信号にＨ電位（ＶＤＤ）が入力されてしまうと、ノードＤからノードＧまでの電流経路は形成されず、両方の入力信号に、Ｌ電位（ＶＳＳ）が入力された時のみノードＤからノードＧまでの電流経路が形成される。
【０２１８】
即ち、どちらかの入力信号にＨ電位（ＶＤＤ）が入力されれば、必ずノードＡは、Ｌ電位（ＶＳＳ）になる。従って、この時必ず出力信号ＯＵＴは、Ｌ電位（ＶＳＳ）になる。また、両方の入力信号に、Ｌ電位（ＶＳＳ）が入力されれば、必ずノードＤは、Ｌ電位（ＶＳＳ）になる。ノードＤの逆の電位がノードＡに供給されるため、この時必ず出力信号ＯＵＴは、Ｈ電位（ＶＤＤ）になる。このようにして、ＮＯＲ回路が形成できる。
【０２１９】
期間Ｔ５、期間Ｔ６の動作は、期間Ｔ１、期間Ｔ２の動作と全く同様である。期間Ｔ７、期間Ｔ８の動作は、期間Ｔ１、期間Ｔ２の動作において、入力信号ＡにＬ電位（ＶＳＳ）、入力信号ＢにＨ電位（ＶＤＤ）が入力された場合の動作に対応する。期間Ｔ９、期間Ｔ１０の動作は、期間Ｔ３、期間Ｔ４の動作において、入力信号ＡにＨ電位（ＶＤＤ）、入力信号ＢにＨ電位（ＶＤＤ）が入力された場合の動作に対応する。
【０２２０】
本実施の形態により、ＮＯＲ回路のリーク電流のパスを抑制することができる。従って、ＮＯＲ回路の消費電力を抑制することができる。
【０２２１】
本実施の形態により、ＮＯＲ回路において電源が遮断されてもデータを保持することができる。
【０２２２】
本実施の形態により、ＮＯＲ回路において酸化物半導体を用いたトランジスタとシリコン半導体を用いたトランジスタは積層して形成することが可能であるため、回路面積を縮小させることができる。
【０２２３】
なお、本実施の形態は、本明細書で示す他の実施の形態と適宜組み合わせることができる。
【０２２４】
（実施の形態５）
本実施の形態では、データの保持機能を有し、消費電力を削減したＮＯＲ回路の別の構成について図２３乃至図２８を用いて説明する。
【０２２５】
＜ＮＯＲ回路６００の構成＞
図２３に本実施の形態のＮＯＲ回路の回路図を示す。図２３に示すＮＯＲ回路６００は、第１５のトランジスタ５１５、第１６のトランジスタ５１６、第１７のトランジスタ５１７、第１８のトランジスタ５１８、第２４のトランジスタ５２４、第２５のトランジスタ５２５、第２６のトランジスタ５２６、第２７のトランジスタ５２７、第２８のトランジスタ５２８、第２９のトランジスタ５２９、第３０のトランジスタ５３０、第３１のトランジスタ５３１、第３２のトランジスタ５３２、を有している。
【０２２６】
第２８のトランジスタ５２８、第２９のトランジスタ５２９、第３０のトランジスタ５３０、第３１のトランジスタ５３１、第３２のトランジスタ５３２の５個のトランジスタとして、ｐチャネル型トランジスタを用いる。第１５のトランジスタ５１５、第１６のトランジスタ５１６、第１７のトランジスタ５１７、第１８のトランジスタ５１８の４個のトランジスタとして、ｎチャネル型トランジスタを用いる。
【０２２７】
第２４のトランジスタ５２４、第２５のトランジスタ５２５、第２６のトランジスタ５２６、第２７のトランジスタ５２７の４個のトランジスタとして、例えば酸化物半導体層にチャネルが形成されるトランジスタを用いる。酸化物半導体を用いたトランジスタはリーク電流（オフ電流ともいう）が極小という利点を有する。なお当該酸化物半導体を用いたトランジスタは、ｎチャネル型トランジスタである。
【０２２８】
第１５のトランジスタ５１５、第１６のトランジスタ５１６、第１７のトランジスタ５１７、第１８のトランジスタ５１８、第２８のトランジスタ５２８、第２９のトランジスタ５２９、第３０のトランジスタ５３０、第３１のトランジスタ５３１、第３２のトランジスタ５３２の９個のトランジスタとして、例えば珪素層にチャネルが形成されるトランジスタを用いる。当該珪素層は、単結晶珪素層、微結晶珪素層、非晶質珪素層であってもよい。
【０２２９】
なお、第１５のトランジスタ５１５、第１６のトランジスタ５１６、第１７のトランジスタ５１７、第１８のトランジスタ５１８の４個のトランジスタ全て、又は一部を、酸化物半導体を用いたトランジスタに置き換えることもできる。ただし、酸化物半導体を用いたトランジスタはオフ電流が極小という利点を有する一方、動作速度が、シリコン半導体を用いたトランジスタと比べて劣るため、ＮＯＲ回路６００の動作速度への影響を考慮して、これらのトランジスタを酸化物半導体を用いたトランジスタに置き換えることが必要である。
【０２３０】
ＮＯＲ回路６００に入力される２つの信号のうち入力信号Ａは、第２４のトランジスタ５２４のソース又はドレインの一方に、入力される。また入力信号Ｂは、第２５のトランジスタ５２５のソース又はドレインの一方に、入力される。なお、第２６のトランジスタ５２６のソース又はドレインの一方には、入力信号Ａと位相が反転した信号ＡＢが入力され、第２４のトランジスタ５２４のソース又はドレインの一方には、入力信号Ｂと位相が反転した信号ＢＢが入力される。
【０２３１】
第２５のトランジスタ５２５のゲートは、第２４のトランジスタ５２４のゲートと電気的に接続されている。第２５のトランジスタ５２５のソース又はドレインの他方は、第２９のトランジスタ５２９のゲートと電気的に接続されている。なお、第２５のトランジスタ５２５のソース又はドレインの他方と第２９のトランジスタ５２９のゲートとの接続部分をノードＢ’とする。第２９のトランジスタ５２９のソース又はドレインの一方は、第２８のトランジスタ５２８のソース又はドレインの一方と電気的に接続され、第２９のトランジスタ５２９のソース又はドレインの他方は、第１８のトランジスタ５１８のゲート、及び第１５のトランジスタ５１５のソース又はドレインの一方、及び第１６のトランジスタ５１６のソース又はドレインの一方と電気的に接続されている。なお、第２９のトランジスタ５２９のソース又はドレインの他方と、第１８のトランジスタ５１８のゲートと、第１５のトランジスタ５１５のソース又はドレインの一方と、第１６のトランジスタ５１６のソース又はドレインの一方との接続部分をノードＡ’とする。
【０２３２】
第２４のトランジスタ５２４のゲートには、クロック信号ＣＬＫが入力されている。第２６のトランジスタ５２６のゲートには、クロック信号ＣＬＫが入力されている。第３２のトランジスタ５３２のゲートには、クロック信号ＣＬＫが入力されている。
【０２３３】
第２７のトランジスタ５２７のゲートは、第２６のトランジスタ５２６のゲートと電気的に接続されている。第２７のトランジスタ５２７のソース又はドレインの他方は、第３１のトランジスタ５３１のゲートと電気的に接続されている。なお、第２７のトランジスタ５２７のソース又はドレインの他方と第３１のトランジスタ５３１のゲートとの接続部分をノードＥ’とする。
【０２３４】
第３１のトランジスタ５３１のソース又はドレインの一方は、第３０のトランジスタ５３０のソース又はドレインの一方、及び第３２のトランジスタ５３２のソース又はドレインの一方、及び第２８のトランジスタ５２８のソース又はドレインの他方と電気的に接続されている。第３１のトランジスタ５３１のソース又はドレインの他方は、第３０のトランジスタ５３０のソース又はドレインの他方、及び第１７のトランジスタ５１７のソース又はドレインの一方、及び第１８のトランジスタ５１８のソース又はドレインの一方、及び第１５のトランジスタ５１５のゲートと電気的に接続されている。なお、第３１のトランジスタ５３１のソース又はドレインの他方と、第３０のトランジスタ５３０のソース又はドレインの他方と、第１７のトランジスタ５１７のソース又はドレインの一方と、第１８のトランジスタ５１８のソース又はドレインの一方と、第１５のトランジスタ５１５のゲートとの接続部分をノードＤ’とする。
【０２３５】
第３０のトランジスタ５３０のゲートは、第２６のトランジスタ５２６のソース又はドレインの他方と電気的に接続されている。なお、第３０のトランジスタ５３０のゲートと、第２６のトランジスタ５２６のソース又はドレインの他方との接続部分をノードＦ’とする。
【０２３６】
第２８のトランジスタ５２８のゲートは、第２４のトランジスタ５２４のソース又はドレインの他方と電気的に接続されている。なお、第２８のトランジスタ５２８のゲートと、第２４のトランジスタ５２４のソース又はドレインの他方との接続部分をノードＣ’とする。
【０２３７】
第１５のトランジスタ５１５のソース又はドレインの他方と、第１６のトランジスタ５１６のソース又はドレインの他方と、第１７のトランジスタ５１７のソース又はドレインの他方と、第１８のトランジスタ５１８のソース又はドレインの他方とは、電気的に接続されており、接地電位ＧＮＤ端子と電気的に接続されている。なお、第１５のトランジスタ５１５のソース又はドレインの他方と、第１６のトランジスタ５１６のソース又はドレインの他方と、第１７のトランジスタ５１７のソース又はドレインの他方と、第１８のトランジスタ５１８のソース又はドレインの他方と、接地電位ＧＮＤ端子との接続部分をノードＧ’とする。
【０２３８】
第３２のトランジスタ５３２のソース又はドレインの他方には、電源電位ＶＤＤが供給されている。なお、第３２のトランジスタ５３２のソース又はドレインの他方と、電源電位ＶＤＤ端子との接続部分をノードＨ’とする。第１６のトランジスタ５１６のゲートには、クロック信号ＣＬＫが入力され、第１７のトランジスタ５１７のゲートには、クロック信号ＣＬＫが入力されている。
【０２３９】
ノードＡ’の電位は、ＮＯＲ回路６００の出力信号ＯＵＴとして出力される。ノードＤ’の電位は、ＮＯＲ回路６００の出力信号ＯＵＴと、位相が反転した信号ＯＵＴＢとして出力される。
【０２４０】
本実施の形態のＮＯＲ回路６００において、酸化物半導体を用いたトランジスタのゲートが閉じている時、リーク電流のパスは、電源電位ＶＤＤ端子から接地電位ＧＮＤ端子まで１つしか存在しない。リーク電流のパスが１つしか存在しないため、ＮＯＲ回路６００の消費電力を抑えることができる。
【０２４１】
また本実施の形態のＮＯＲ回路６００は、４個の酸化物半導体を用いたトランジスタ及び９個のシリコン半導体を用いたトランジスタを有している。
【０２４２】
酸化物半導体を用いたトランジスタは、上述のようにリーク電流が極小である。そのため、ＮＯＲ回路６００に電源電位ＶＤＤの供給を停止しても、例えば酸化物半導体を用いたトランジスタである第２４のトランジスタ５２４のソース又はドレインの他方と、第２８のトランジスタ５２８のゲートとの間（ノードＣ’）に蓄えられている電荷は保持される。よって、電源電位ＶＤＤの供給を再開すると、ＮＯＲ回路６００は、電源電位ＶＤＤの供給を停止する前の状態から、動作を開始することができる。
【０２４３】
このように、ＮＯＲ回路６００は電源電位ＶＤＤの供給を停止してもデータが消失しない。すなわち、本実施の形態のＮＯＲ回路６００は、不揮発性の記憶回路である。電源電位ＶＤＤの供給を停止してもデータが消失しないので、ＮＯＲ回路６００において、酸化物半導体を用いたトランジスタのゲートが閉じている時は、電源電位ＶＤＤの供給を停止することが可能である。即ち不揮発性のＮＯＲ回路６００は消費電力を抑制することができる。
【０２４４】
また本実施の形態のＮＯＲ回路６００において、酸化物半導体を用いたトランジスタとシリコン半導体を用いたトランジスタは積層して形成することが可能である（後述）。そのため、ＮＯＲ回路６００の回路面積を小さくすることができる。
【０２４５】
＜ＮＯＲ回路６００の動作＞
図２４乃至図２８を用いて、本実施の形態のＮＯＲ回路６００の動作について説明する。図２４には、ＮＯＲ回路６００におけるタイミングチャートを示す。図２４では、期間Ｔ１、期間Ｔ２、期間Ｔ３、期間Ｔ４、期間Ｔ５、期間Ｔ６、期間Ｔ７、期間Ｔ８、期間Ｔ９、期間Ｔ１０、に分けてタイミングチャートを示す。図２５乃至図２８では、期間Ｔ１、期間Ｔ２、期間Ｔ３、期間Ｔ４におけるＮＯＲ回路６００の動作の状態を示す。
【０２４６】
ＮＯＲ回路６００は、クロック同期式であり、第１６のトランジスタ５１６、第１７のトランジスタ５１７、第２４のトランジスタ５２４、第２６のトランジスタ５２６、第３２のトランジスタ５３２に同様のクロック信号ＣＬＫを入力することで、ＮＯＲ回路として動作する。なお、クロック信号ＣＬＫと同期して第３２のトランジスタ５３２がオン状態となる、期間Ｔ２、期間Ｔ４、期間Ｔ６、期間Ｔ８、期間Ｔ１０においてのみ、出力信号ＯＵＴが決定される。
【０２４７】
＜期間Ｔ１（図２５参照。）＞
まず図２４の期間Ｔ１に示すように、入力信号ＡにＨ電位（ＶＤＤ）、入力信号ＢにＬ電位（ＶＳＳ）が入力された場合を考える。この時、クロック信号ＣＬＫがＨ電位（ＶＤＤ）なので、第１６のトランジスタ５１６のゲート、及び第１７のトランジスタ５１７のゲートにＨ電位（ＶＤＤ）が印加される。従って、第１６のトランジスタ５１６（Ｎｃｈ）及び第１７のトランジスタ５１７（Ｎｃｈ）は、オン状態となる。この時、ノードＤ’の電位はノードＧ’の電位に引き込まれるため、ノードＤ’にはＬ電位（ＶＳＳ）が入り込み、ノードＡ’の電位はノードＧ’の電位に引き込まれるため、ノードＡ’にはＬ電位（ＶＳＳ）が入り込む。（放電動作。）第１６のトランジスタ５１６及び第１７のトランジスタ５１７は、ノードＡ’とノードＤ’をＬ電位（ＶＳＳ）へと放電するか否かを制御するために設けられている。
【０２４８】
クロック信号ＣＬＫがＨ電位（ＶＤＤ）なので、第２４のトランジスタ５２４及び第２５のトランジスタ５２５は、オン状態となる。従って、第２９のトランジスタ５２９のゲート（ノードＢ’）に入力信号Ｂと同じＬ電位（ＶＳＳ）がチャージされ、第２８のトランジスタ５２８のゲート（ノードＣ’）に入力信号Ａと同じＨ電位（ＶＤＤ）がチャージされる。
【０２４９】
また、クロック信号ＣＬＫがＨ電位（ＶＤＤ）なので、第２４のトランジスタ５２４及び第２６のトランジスタ５２６は、オン状態となる。従って、第３０のトランジスタ５３０のゲート（ノードＥ’）に入力信号Ｂと位相が反転した信号ＢＢと同じＨ電位（ＶＤＤ）がチャージされ、第３１のトランジスタ５３１のゲート（ノードＦ’）に入力信号Ａと位相が反転した信号ＡＢと同じＬ電位（ＶＳＳ）がチャージされる。
【０２５０】
以上のように期間Ｔ１では、ノードＢ’、ノードＣ’、ノードＥ’、ノードＦ’のそれぞれに、入力信号Ａ及び入力信号Ｂに応じた電位が、ノードＡ’、ノードＤ’のそれぞれに、Ｌ電位（ＶＳＳ）がチャージされた状態となる。
【０２５１】
＜期間Ｔ２（図２５参照。）＞
次に図２４の期間Ｔ２に示すように、クロック信号ＣＬＫがＬ電位（ＶＳＳ）となるので、第１６のトランジスタ５１６のゲート、第１７のトランジスタ５１７のゲート、第３２のトランジスタ５３２のゲートのそれぞれにＬ電位（ＶＳＳ）が印加される。この時、第１６のトランジスタ５１６（Ｎｃｈ）及び第１７のトランジスタ５１７（Ｎｃｈ）は、オフ状態となる。第１６のトランジスタ５１６がオフ状態となることにより、ノードＡ’に対してノードＧ’のＬ電位（ＶＳＳ）の引き込みは無くなり、ノードＡ’はＬ電位（ＶＳＳ）を維持する状態となる。また、第１７のトランジスタ５１７がオフ状態となることにより、ノードＤ’に対してノードＧ’のＬ電位（ＶＳＳ）の引き込みは無くなり、ノードＤ’はＬ電位（ＶＳＳ）を維持する状態となる。
【０２５２】
第３２のトランジスタ５３２（Ｐｃｈ）は、オン状態となる。
【０２５３】
一方、クロック信号ＣＬＫがＬ電位（ＶＳＳ）となるので、第２４のトランジスタ５２４（Ｎｃｈ）及び第２５のトランジスタ５２５（Ｎｃｈ）は、オフ状態となる。ノードＢ’には、Ｌ電位（ＶＳＳ）に応じた電荷が蓄積されているため、第２５のトランジスタ５２５がオフ状態となることで、ノードＢ’にはＬ電位（ＶＳＳ）に応じた電荷が保持される。（電荷保持動作。）更に、第２９のトランジスタ５２９（Ｐｃｈ）は、ノードＢ’の電位に応じて、オン状態となる。ノードＣ’には、Ｈ電位（ＶＤＤ）に応じた電荷が蓄積されているため、第２４のトランジスタ５２４がオフ状態となることで、ノードＣ’にはＨ電位（ＶＤＤ）に応じた電荷が保持される。（電荷保持動作。）更に、第２８のトランジスタ５２８（Ｐｃｈ）は、ノードＣ’の電位に応じて、オフ状態となる。
【０２５４】
同様に、クロック信号ＣＬＫがＬ電位（ＶＳＳ）となるので、第２６のトランジスタ５２６（Ｎｃｈ）及び第２７のトランジスタ５２７（Ｎｃｈ）は、オフ状態となる。ノードＥ’には、Ｈ電位（ＶＤＤ）に応じた電荷が蓄積されているため、第２７のトランジスタ５２７がオフ状態となることで、ノードＥ’にはＨ電位（ＶＤＤ）に応じた電荷が保持される。（電荷保持動作。）更に、第３１のトランジスタ５３１（Ｐｃｈ）は、ノードＥ’の電位に応じて、オフ状態となる。ノードＦ’には、Ｌ電位（ＶＳＳ）に応じた電荷が蓄積されているため、第２６のトランジスタ５２６がオフ状態となることで、ノードＦ’にはＬ電位（ＶＳＳ）に応じた電荷が保持される。（電荷保持動作。）更に、第３０のトランジスタ５３０（Ｐｃｈ）は、ノードＦ’の電位に応じて、オン状態となる。
【０２５５】
この時、第２８のトランジスタ１２８と、第２９のトランジスタ１２９が電気的に直列で接続されているため、ノードＨ’から、ノードＡ’までの電流経路は形成されない。一方、第３０のトランジスタ５３０と、第３１のトランジスタ５３１が電気的に並列で接続されているため、ノードＨ’から、ノードＤ’までの電流経路が形成される。従って、オン状態となっている第３２のトランジスタ５３２及び、オン状態となっている第３０のトランジスタ５３０を通して、ノードＨ’からノードＤ’に向かって電流が流れる。即ち、ノードＨ’の有する電源電位（ＶＤＤ）が、ノードＤ’へと供給される。
【０２５６】
ノードＨ’からノードＤ’に向かって電流が流れることで、ノードＤ’の電位は、Ｌ電位（ＶＳＳ）から徐々に増加し、Ｈ電位（ＶＤＤ）となる。その結果、第１５のトランジスタ５１５のゲートに、Ｈ電位（ＶＤＤ）が印加されるため、第１５のトランジスタ５１５（Ｎｃｈ）は、オン状態となる。第１５のトランジスタ５１５を通して、ノードＡ’から、ノードＧ’までの電流経路が形成される。従って、ノードＡ’の電位はノードＧ’の電位に引き込まれるため、ノードＡ’の電位はＬ電位（ＶＳＳ）となる。この時、ノードＡ’の電位が確定し、出力信号ＯＵＴがＬ電位（ＶＳＳ）となる。
【０２５７】
第１５のトランジスタ５１５及び第１８のトランジスタ５１８は、ノードＡ’とノードＤ’に対して、該ノード間の電位を相互に補償し合う機能を有する。ノードＡ’とノードＤ’間の電位を相互に補償し合うとは、例えば、ノードＡ’がＨ電位（ＶＤＤ）になった場合、第１５のトランジスタ５１５は、ノードＤ’の電位を、ノードＧ’の有するＬ電位（ＶＳＳ）に引き抜く。例えば、ノードＤ’がＨ電位（ＶＤＤ）になった場合、第１８のトランジスタ５１８は、ノードＡ’の電位を、ノードＧ’の有するＬ電位（ＶＳＳ）に引き抜く。即ち、ノードＡ’とノードＤ’間において、Ｈ電位（ＶＤＤ）になったノードと逆のノードの電位を、ノードＧ’の有するＬ電位（ＶＳＳ）に引き抜く。
【０２５８】
なお、ノードＡ’の電位とノードＤ’の電位は、第３２のトランジスタ５３２のオン状態及びオフ状態に依存する。即ち出力信号ＯＵＴの電位が確定するのは、クロック信号ＣＬＫがＬ電位（ＶＳＳ）の時に限られる。従ってＮＯＲ回路６００の出力信号ＯＵＴの電位が確定するのは図２４に示すタイミングチャートにおいて、期間Ｔ２、期間Ｔ４、期間Ｔ６、期間Ｔ８、期間Ｔ１０の時である。
【０２５９】
以上のように期間Ｔ２では、Ｈ電位（ＶＤＤ）の入力信号Ａ及びＬ電位（ＶＳＳ）の入力信号Ｂの入力に対して、Ｌ電位（ＶＳＳ）の出力信号ＯＵＴが、確定された状態となる。
【０２６０】
上述のように、第１５のトランジスタ５１５及び第１８のトランジスタ５１８は、電位補償機能を有し、第１６のトランジスタ５１６及び第１７のトランジスタ５１７は、放電機能を有する。従って、これら４つのトランジスタは、常にノードＡ’とノードＤ’の電位を比較し、Ｈ電位（ＶＤＤ）となったノードと逆のノードの電位を、ノードＧ’の有するＬ電位（ＶＳＳ）に引き抜くという比較器としての機能を有する。
【０２６１】
また、第３２のトランジスタ５３２は、充電機能を有する。オン状態となっている第３２のトランジスタ５３２を通して、ノードＡ’又はノードＤ’には、ノードＨ’の有する電源電位（ＶＤＤ）が供給される。その結果、第３２のトランジスタ５３２がオン状態となる時（クロック信号ＣＬＫがＬ電位（ＶＳＳ）の時）のみ、出力信号ＯＵＴの電位が確定することになるため、該トランジスタは、最終的な出力信号ＯＵＴを確定するという機能（電位確定機能）も有する。
【０２６２】
＜期間Ｔ３（図２７参照。）＞
次に図２４の期間Ｔ３に示すように、入力信号ＡにＬ電位（ＶＳＳ）、入力信号ＢにＬ電位（ＶＳＳ）が入力された場合を考える。この時、クロック信号ＣＬＫがＨ電位（ＶＤＤ）なので、第１６のトランジスタ５１６のゲート、及び第１７のトランジスタ５１７のゲートにＨ電位（ＶＤＤ）が印加される。従って、第１６のトランジスタ５１６（Ｎｃｈ）及び第１７のトランジスタ５１７（Ｎｃｈ）は、オン状態となる。この時、ノードＤ’の電位はノードＧ’の電位に引き込まれるため、ノードＤ’にはＬ電位（ＶＳＳ）が入り込み、ノードＡ’の電位はノードＧ’の電位に引き込まれるため、ノードＡ’にはＬ電位（ＶＳＳ）が入り込む。（放電動作。）
【０２６３】
クロック信号ＣＬＫがＨ電位（ＶＤＤ）なので、第２４のトランジスタ５２４及び第２５のトランジスタ５２５は、オン状態となる。従って、第２９のトランジスタ５２９のゲート（ノードＢ’）に入力信号Ｂと同じＬ電位（ＶＳＳ）がチャージされ、第２８のトランジスタ５２８のゲート（ノードＣ’）に入力信号Ａと同じＬ電位（ＶＳＳ）がチャージされる。
【０２６４】
また、クロック信号ＣＬＫがＨ電位（ＶＤＤ）なので、第２６のトランジスタ５２６及び第２７のトランジスタ５２７は、オン状態となる。従って、第３１のトランジスタ５３１のゲート（ノードＥ’）に入力信号Ｂと位相が反転した信号ＢＢと同じＨ電位（ＶＤＤ）がチャージされ、第３０のトランジスタ５３０のゲート（ノードＦ’）に入力信号Ａと位相が反転した信号ＡＢと同じＨ電位（ＶＤＤ）がチャージされる。
【０２６５】
以上のように期間Ｔ３では、ノードＢ’、ノードＣ’、ノードＥ’、ノードＦ’のそれぞれに、入力信号Ａ及び入力信号Ｂに応じた電位が、ノードＡ’、ノードＤ’のそれぞれに、Ｌ電位（ＶＳＳ）がチャージされた状態となる。
【０２６６】
＜期間Ｔ４（図２８参照。）＞
次に図２４の期間Ｔ４に示すように、クロック信号ＣＬＫがＬ電位（ＶＳＳ）となるので、第１６のトランジスタ５１６のゲート、第１７のトランジスタ５１７のゲート、第３２のトランジスタ５３２のゲートのそれぞれにＬ電位（ＶＳＳ）が印加される。この時、第１６のトランジスタ５１６（Ｎｃｈ）及び第１７のトランジスタ５１７（Ｎｃｈ）は、オフ状態となる。第１６のトランジスタ５１６がオフ状態となることにより、ノードＡ’に対してノードＧ’のＬ電位（ＶＳＳ）の引き込みは無くなり、ノードＡ’はＬ電位（ＶＳＳ）を維持する状態となる。また、第１７のトランジスタ５１７がオフ状態となることにより、ノードＤ’に対してノードＧ’のＬ電位（ＶＳＳ）の引き込みは無くなり、ノードＤ’はＬ電位（ＶＳＳ）を維持する状態となる。
【０２６７】
第３２のトランジスタ５３２（Ｐｃｈ）は、オン状態となる。
【０２６８】
一方、クロック信号ＣＬＫがＬ電位（ＶＳＳ）となるので、第２４のトランジスタ５２４（Ｎｃｈ）及び第２５のトランジスタ５２５（Ｎｃｈ）は、オフ状態となる。ノードＢ’には、Ｌ電位（ＶＳＳ）に応じた電荷が蓄積されているため、第２５のトランジスタ５２５がオフ状態となることで、ノードＢ’にはＬ電位（ＶＳＳ）に応じた電荷が保持される。（電荷保持動作。）更に、第２９のトランジスタ５２９（Ｐｃｈ）は、ノードＢ’の電位に応じて、オン状態となる。ノードＣ’には、Ｌ電位（ＶＳＳ）に応じた電荷が蓄積されているため、第２４のトランジスタ５２４がオフ状態となることで、ノードＣ’にはＬ電位（ＶＳＳ）に応じた電荷が保持される。（電荷保持動作。）更に、第２８のトランジスタ５２８（Ｐｃｈ）は、ノードＣ’の電位に応じて、オン状態となる。
【０２６９】
同様に、クロック信号ＣＬＫがＬ電位（ＶＳＳ）となるので、第２６のトランジスタ５２６（Ｎｃｈ）及び第２７のトランジスタ５２７（Ｎｃｈ）は、オフ状態となる。ノードＥ’には、Ｈ電位（ＶＤＤ）に応じた電荷が蓄積されているため、第２７のトランジスタ５２７がオフ状態となることで、ノードＥ’にはＨ電位（ＶＤＤ）に応じた電荷が保持される。（電荷保持動作。）更に、第３１のトランジスタ５３１（Ｐｃｈ）は、ノードＥ’の電位に応じて、オフ状態となる。ノードＦ’には、Ｈ電位（ＶＤＤ）に応じた電荷が蓄積されているため、第２６のトランジスタ５２６がオフ状態となることで、ノードＦ’にはＨ電位（ＶＤＤ）に応じた電荷が保持される。（電荷保持動作。）更に、第３０のトランジスタ５３０（Ｐｃｈ）は、ノードＦ’の電位に応じて、オフ状態となる。
【０２７０】
この時、第２８のトランジスタ５２８と、第２９のトランジスタ５２９が電気的に直列で接続されているため、ノードＨ’から、ノードＡ’までの電流経路が形成される。従って、オン状態となっている第３２のトランジスタ５３２及び、オン状態となっている第２８のトランジスタ５２８及び、オン状態となっている第２９のトランジスタ５２９を通してノードＨ’からノードＡ’に向かって電流が流れる。ノードＨ’からノードＡ’に向かって電流が流れることで、ノードＡ’の電位は、Ｌ電位（ＶＳＳ）から徐々に増加し、Ｈ電位（ＶＤＤ）となる。即ち、ノードＨ’の有する電源電位（ＶＤＤ）が、ノードＤ’へと供給される。この時、ノードＡ’の電位が確定し、出力信号ＯＵＴがＨ電位（ＶＤＤ）となる。一方、第３０のトランジスタ５３０と、第３１のトランジスタ５３１が電気的に並列で接続されているため、ノードＨ’から、ノードＤ’までの電流経路は形成されない。
【０２７１】
その結果、第１８のトランジスタ５１８のゲートに、Ｈ電位（ＶＤＤ）が印加されるため、第１８のトランジスタ５１８（Ｎｃｈ）は、オン状態となる。この時、第１８のトランジスタ５１８を通して、ノードＡ’から、ノードＧ’までの電流経路が形成される。従って、ノードＤ’の電位はノードＧ’の電位に引き込まれるため、ノードＤ’の電位はＬ電位（ＶＳＳ）となる。従って、出力信号ＯＵＴと、位相が反転した信号ＯＵＴＢから、Ｌ電位（ＶＳＳ）が出力される。
【０２７２】
以上のように期間Ｔ４では、Ｌ電位（ＶＳＳ）の入力信号Ａ及びＬ電位（ＶＳＳ）の入力信号Ｂの入力に対して、Ｈ電位（ＶＤＤ）の出力信号ＯＵＴが、確定された状態となる。
【０２７３】
入力信号Ａに応じた電位を保持するノードＣ’をゲートに有する第２８のトランジスタ５２８と、入力信号Ｂに応じた電位を保持するノードＢ’をゲートに有する第２９のトランジスタ５２９とが電気的に直列で接続されている。従って、どちらかの入力信号にＨ電位（ＶＤＤ）が入力されてしまうと、ノードＨ’からノードＡ’までの電流経路は形成されず、両方の入力信号に、Ｌ電位（ＶＳＳ）が入力された時のみノードＨ’からノードＡ’までの電流経路が形成され、ノードＡ’に対してノードＨ’の有する電源電位（ＶＤＤ）が供給される。一方、第３０のトランジスタ５３０と、第３１のトランジスタ５３１とが電気的に並列で接続されている。従って、両方の入力信号に、Ｌ電位（ＶＳＳ）が入力された時のみノードＨ’からノードＤ’までの電流経路は形成されずノードＤ’に対してノードＨ’の有する電源電位（ＶＤＤ）は供給されない。
【０２７４】
即ち、どちらかの入力信号にＨ電位（ＶＤＤ）が入力されれば、必ずノードＡ’は、Ｌ電位（ＶＳＳ）になる。この時必ず出力信号ＯＵＴは、Ｌ電位（ＶＳＳ）になる。また、両方の入力信号に、Ｌ電位（ＶＳＳ）が入力されれば、必ずノードＡ’は、Ｈ電位（ＶＤＤ）になる。この時必ず出力信号ＯＵＴは、Ｈ電位（ＶＤＤ）になる。このようにして、ＮＯＲ回路が形成できる。
【０２７５】
期間Ｔ５、期間Ｔ６の動作は、期間Ｔ１、期間Ｔ２の動作と全く同様である。期間Ｔ７、期間Ｔ８の動作は、期間Ｔ１、期間Ｔ２の動作において、入力信号ＡにＬ電位（ＶＳＳ）、入力信号ＢにＨ電位（ＶＤＤ）が入力された場合の動作に対応する。期間Ｔ９、期間Ｔ１０の動作は、期間Ｔ３、期間Ｔ４の動作において、入力信号ＡにＨ電位（ＶＤＤ）、入力信号ＢにＨ電位（ＶＤＤ）が入力された場合の動作に対応する。
【０２７６】
本実施の形態により、ＮＯＲ回路のリーク電流のパスを抑制することができる。従って、ＮＯＲ回路の消費電力を抑制することができる。
【０２７７】
本実施の形態により、ＮＯＲ回路において電源が遮断されてもデータを保持することができる。
【０２７８】
本実施の形態により、ＮＯＲ回路において酸化物半導体を用いたトランジスタとシリコン半導体を用いたトランジスタは積層して形成することが可能であるため、回路面積を縮小させることができる。
【０２７９】
なお、本実施の形態は、本明細書で示す他の実施の形態と適宜組み合わせることができる。
【０２８０】
（実施の形態６）
本実施の形態では、データの保持機能を有し、消費電力を削減したＮＯＲ回路の別の構成について図２９及び図３０を用いて説明する。
【０２８１】
図２９及び図３０に本実施の形態のＮＯＲ回路の回路図を示す。図２９に示すＮＯＲ回路７００は、図１７に示すＮＯＲ回路５００における、ノードＢに容量５４０を接続し、ノードＣに容量５４１を接続し、ノードＥに容量５４２を接続し、ノードＦに容量５４３を接続した構成を有する。容量５４０、容量５４１、容量５４２、容量５４３、以外の構成は、ＮＯＲ回路５００と全く同様である。
【０２８２】
図３０に示すＮＯＲ回路８００は、図２３に示すＮＯＲ回路６００における、ノードＢ’に容量５５２を接続し、ノードＣ’に容量５５３を接続し、ノードＥ’に容量５５０を接続し、ノードＦ’に容量５５１を接続した構成を有する。容量５５０、容量５５１、容量５５２、容量５５３、以外の構成は、ＮＯＲ回路６００と全く同様である。
【０２８３】
ノードＢ（ノードＢ’）に容量５４０（容量５５０）を接続し、ノードＣ（ノードＣ’）に容量５４１（容量５５１）を接続し、ノードＥ（ノードＥ’）に容量５４２（容量５５２）を接続し、ノードＦ（ノードＦ’）に容量５４３（容量５５３）を接続することで、データの保持時間を長くすることができる。また、データの保持時間は、容量５４０（容量５５０）、容量５４１（容量５５１）、容量５４２（容量５５２）、容量５４３（容量５５３）のそれぞれの容量値を変化させることにより、調整が可能である。データの保持時間をより長くしたい場合、それぞれの容量値を大きくすれば良い。
【０２８４】
また、ノードＢ（ノードＢ’）に容量５４０（容量５５０）を接続し、ノードＣ（ノードＣ’）に容量５４１（容量５５１）を接続し、ノードＥ（ノードＥ’）に容量５４２（容量５５２）を接続し、ノードＦ（ノードＦ’）に容量５４３（容量５５３）を接続することで、ＮＯＲ回路内に生じる寄生容量等の負荷による影響を低減させ、ＮＯＲ回路における動作の安定性を高めることも可能である。
【０２８５】
ＮＯＲ回路７００の動作については、ＮＯＲ回路５００と同様であるため、実施の形態１を参酌できる。ＮＯＲ回路８００の動作については、ＮＯＲ回路６００と同様であるため、実施の形態２を参酌できる。
【０２８６】
なお、本実施の形態は、本明細書で示す他の実施の形態と適宜組み合わせることができる。
【０２８７】
（実施の形態７）
本実施の形態では、上述した実施の形態１乃至実施の形態６に用いられる酸化物半導体を用いたトランジスタについて説明する。
【０２８８】
図３１（Ａ）に示す酸化物半導体を用いたトランジスタ９０１は、絶縁膜９０２上に形成された、半導体層として機能する酸化物半導体層９０３と、酸化物半導体層９０３上に形成されたソース電極９０４及びドレイン電極９０５と、酸化物半導体層９０３、ソース電極９０４及びドレイン電極９０５上に形成されたゲート絶縁膜９０６と、ゲート絶縁膜９０６上において酸化物半導体層９０３と重なる位置に設けられたゲート電極９０７とを有する。
【０２８９】
図３１（Ａ）に示す酸化物半導体を用いたトランジスタ９０１は、ゲート電極９０７が酸化物半導体層９０３の上に形成されているトップゲート型であり、なおかつ、ソース電極９０４及びドレイン電極９０５が酸化物半導体層９０３の上に形成されているトップコンタクト型である。そして、酸化物半導体を用いたトランジスタ９０１は、ソース電極９０４及びドレイン電極９０５と、ゲート電極９０７とが重なっていない。すなわち、ソース電極９０４とゲート電極９０７との間及びドレイン電極９０５とゲート電極９０７との間には、ゲート絶縁膜９０６の膜厚よりも大きい間隔が設けられている。よって、酸化物半導体を用いたトランジスタ９０１は、ソース電極９０４及びドレイン電極９０５とゲート電極９０７との間に形成される寄生容量を小さく抑えることができるので、高速動作を実現することができる。
【０２９０】
また、酸化物半導体層９０３は、ゲート電極９０７が形成された後、酸化物半導体層９０３にｎ型の導電性を付与するドーパントを添加することで得られる、一対の高濃度領域９０８を有する。また、酸化物半導体層９０３のうち、ゲート絶縁膜９０６を間に挟んでゲート電極９０７と重なる領域がチャネル形成領域９０９である。酸化物半導体層９０３では、一対の高濃度領域９０８の間にチャネル形成領域９０９が設けられている。高濃度領域９０８を形成するためのドーパントの添加は、イオン注入法を用いることができる。ドーパントは、例えばヘリウム、アルゴン、キセノンなどの希ガスや、窒素、リン、ヒ素、アンチモンなどの１５族原子などを用いることができる。
【０２９１】
例えば、窒素をドーパントとして用いた場合、高濃度領域９０８中の窒素原子の濃度は、５×１０１９／ｃｍ３以上１×１０２２／ｃｍ３以下であることが望ましい。
【０２９２】
ｎ型の導電性を付与するドーパントが添加されている高濃度領域９０８は、酸化物半導体層９０３中の他の領域に比べて導電性が高くなる。よって、高濃度領域９０８を酸化物半導体層９０３に設けることで、ソース電極９０４とドレイン電極９０５との間の抵抗を下げることができる。
【０２９３】
そして、ソース電極９０４とドレイン電極９０５との間の抵抗を下げることで、酸化物半導体を用いたトランジスタ９０１の微細化を進めても、高いオン電流と、高速動作を確保することができる。従って、当該トランジスタを用いた論理回路の面積を削減し、小型化を図ることができる。
【０２９４】
図３１（Ｂ）に示す酸化物半導体を用いたトランジスタ９１１は、絶縁膜９１２上に形成されたソース電極９１４及びドレイン電極９１５と、絶縁膜９１２、ソース電極９１４及びドレイン電極９１５上に形成された半導体層として機能する酸化物半導体層９１３と、酸化物半導体層９１３、ソース電極９１４及びドレイン電極９１５上に形成されたゲート絶縁膜９１６と、ゲート絶縁膜９１６上において酸化物半導体層９１３と重なる位置に設けられたゲート電極９１７とを有する。
【０２９５】
図３１（Ｂ）に示す酸化物半導体を用いたトランジスタ９１１は、ゲート電極９１７が酸化物半導体層９１３の上に形成されているトップゲート型であり、なおかつ、ソース電極９１４及びドレイン電極９１５が酸化物半導体層９１３の下に形成されているボトムコンタクト型である。そして、トランジスタ９１１は、トランジスタ９０１と同様に、ソース電極９１４及びドレイン電極９１５と、ゲート電極９１７とが重なっていないので、ソース電極９１４とゲート電極９１７との間及びドレイン電極９１５とゲート電極９１７との間に形成される寄生容量を小さく抑えることができるので、高速動作を実現することができる。更に論理回路における単位面積当たりのデータの保持機能を高めることができる。
【０２９６】
また、酸化物半導体層９１３は、ゲート電極９１７が形成された後、酸化物半導体層９１３にｎ型の導電性を付与するドーパントを添加することで得られる、一対の高濃度領域９１８を有する。また、酸化物半導体層９１３のうち、ゲート絶縁膜９１６を間に挟んでゲート電極９１７と重なる領域がチャネル形成領域９１９である。酸化物半導体層９１３では、一対の高濃度領域９１８の間にチャネル形成領域９１９が設けられている。
【０２９７】
高濃度領域９１８は、上述した、トランジスタ９０１が有する高濃度領域９０８の場合と同様に、イオン注入法を用いて形成することができる。そして、高濃度領域９１８を形成するためのドーパントの種類については、高濃度領域９０８の場合を参照することができる。
【０２９８】
ｎ型の導電性を付与するドーパントが添加されている高濃度領域９１８は、酸化物半導体層９１３中の他の領域に比べて導電性が高くなる。よって、高濃度領域９１８を酸化物半導体層９１３に設けることで、ソース電極９１４とドレイン電極９１５との間の抵抗を下げることができる。
【０２９９】
そして、ソース電極９１４とドレイン電極９１５との間の抵抗を下げることで、酸化物半導体を用いたトランジスタ９１１の微細化を進めても、高いオン電流と、高速動作を確保することができる。従って、当該トランジスタを用いた論理回路の面積を削減し、小型化を図ることができる。更に論理回路における単位面積当たりのデータの保持機能を高めることができる。
【０３００】
以上のように、トランジスタ９０１又はトランジスタ９１１を、実施の形態１乃至実施の形態６で用いられる酸化物半導体を用いたトランジスタに適用することで、単位面積当たりのデータの保持機能を高めた論理回路を得ることができる。また、論理回路の面積を削減させたＮＡＮＤ回路やＮＯＲ回路を得ることができる。
【０３０１】
なお、実施の形態１乃至実施の形態６で用いられる酸化物半導体を用いたトランジスタは、該構成に限定されない。
【０３０２】
以上、本実施の形態に示す構成、方法などは、他の実施の形態に示す構成、方法などと適宜組み合わせて用いることができる。
【０３０３】
（実施の形態８）
本実施の形態では、上述した実施の形態１乃至実施の形態６における論理回路の構成の一形態について説明する。
【０３０４】
図３２は、論理回路の断面図である。図３２に示す記憶装置は上部に、２層に形成された記憶素子３１７０ａ、記憶素子３１７０ｂが配置され、下部に論理回路３００４が配置された積層構造を有する。なお、記憶素子の数、記憶素子が形成される層数、配置構造は特に限定されない。
【０３０５】
本実施の形態において記憶素子とは、酸化物半導体を用いたトランジスタを含み、電源が遮断されてもデータが保持される機能を有する素子を表すものとする。記憶素子３１７０ａは、酸化物半導体を用いたトランジスタ３１７１ａを含み、記憶素子３１７０ｂは、酸化物半導体を用いたトランジスタ３１７１ｂを含む。
【０３０６】
なお図３２では、記憶素子３１７０ａに用いるトランジスタ３１７１ａ、記憶素子３１７０ｂに用いるトランジスタ３１７１ｂとして、図３１（Ａ）に示すトランジスタ９０１と同様の構成を用いているが、該構成に限定されない。図３１（Ｂ）に示すトランジスタ９１１と同様の構成を用いてもよい。
【０３０７】
トランジスタ３１７１ａのソース電極及びドレイン電極と同じ層に形成された電極３５０１ａは、電極３５０２ａによって、電極３００３ａと電気的に接続されている。トランジスタ３１７１ｂのソース電極及びドレイン電極と同じ層に形成された電極３５０１ｃは、電極３５０２ｃによって、電極３００３ｃと電気的に接続されている。
【０３０８】
論理回路３００４は、シリコン半導体を用いたトランジスタ３００１を含む。なお、論理回路３００４には、酸化物半導体を用いたトランジスタが含まれていてもよいし、酸化物半導体以外を用いたトランジスタが含まれていてもよい。シリコン半導体を用いたトランジスタと酸化物半導体を用いたトランジスタは重畳して形成されていてもよい。
【０３０９】
また、トランジスタ３００１は、半導体材料（例えば、シリコンなど）を含む基板３０００に素子分離絶縁膜３１０６を設け、素子分離絶縁膜３１０６に囲まれた領域にチャネル形成領域を設ける。なお、トランジスタ３００１は、絶縁表面上に形成されたシリコン膜等の半導体膜や、ＳＯＩ基板のシリコン膜にチャネル形成領域が設けられていてもよい。トランジスタ３００１の構成については、公知の構成を用いることが可能であるため、説明は省略する。
【０３１０】
トランジスタ３１７１ａが形成された層と、トランジスタ３００１が形成された層との間には、配線３１００ａ及び配線３１００ｂが形成されている。配線３１００ａとトランジスタ３００１が形成された層との間には、絶縁膜３１４０ａが設けられ、配線３１００ａと配線３１００ｂとの間には、絶縁膜３１４１ａが設けられ、配線３１００ｂとトランジスタ３１７１ａが形成された層との間には、絶縁膜３１４２ａが設けられている。
【０３１１】
同様に、トランジスタ３１７１ｂが形成された層と、トランジスタ３１７１ａが形成された層との間には、配線３１００ｃ及び配線３１００ｄが形成されている。配線３１００ｃとトランジスタ３１７１ａが形成された層との間には、絶縁膜３１４０ｂが設けられ、配線３１００ｃと配線３１００ｄとの間には、絶縁膜３１４１ｂが設けられ、配線３１００ｄとトランジスタ３１７１ｂが形成された層との間には、絶縁膜３１４２ｂが設けられている。
【０３１２】
絶縁膜３１４０ａ、絶縁膜３１４１ａ、絶縁膜３１４２ａ、絶縁膜３１４０ｂ、絶縁膜３１４１ｂ、絶縁膜３１４２ｂは、層間絶縁膜として機能し、その表面は平坦化された構成とすることができる。
【０３１３】
配線３１００ａ、配線３１００ｂ、配線３１００ｃ、配線３１００ｄによって、記憶素子間の電気的接続や、論理回路と記憶素子との間の電気的接続等を行うことができる。
【０３１４】
論理回路３００４に含まれる電極３３０３、電極３５０５、電極３５０３ａによって、上部に設けられた記憶素子と、下部に設けられた論理回路とを電気的に接続することが可能になる。例えば、図３２に示すように、電極３５０５によって、電極３３０３は配線３１００ａと電気的に接続することができる。電極３５０３ａによって、配線３１００ａは電極３５０１ｂと電気的に接続することができる。こうして、論理回路３００４に含まれる電極３３０３と、記憶素子３１７０ａに含まれるトランジスタ３１７１ａのソース電極またはドレイン電極とを電気的に接続することができる。
【０３１５】
また、電極３５０２ｂによって、電極３５０１ｂは電極３００３ｂと電気的に接続することができる。電極３５０３ｂによって、電極３００３ｂは配線３１００ｃと電気的に接続することができる。
【０３１６】
図３２では、電極３３０３とトランジスタ３１７１ａとの電気的接続は、配線３１００ａを介して行われる例を示したがこれに限定されない。電極３３０３とトランジスタ３１７１ａとの電気的接続は、配線３１００ｂを介して行われてもよいし、配線３１００ａと配線３１００ｂの両方を介して行われてもよい。
【０３１７】
また、図３２では、トランジスタ３１７１ａが形成された層と、トランジスタ３００１が形成された層との間に、配線３１００ａが形成された配線層と、配線３１００ｂが形成された配線層との、２つの配線層が設けられた構成を示したがこれに限定されない。トランジスタ３１７１ａが形成された層と、トランジスタ３００１が形成された層との間に、１つの配線層が設けられていてもよいし、３つ以上の配線層が設けられていてもよい。
【０３１８】
また、図３２では、記憶素子３１７０ａが形成された層と、記憶素子３１７０ｂが形成された層との間に、配線３１００ｃが形成された配線層と、配線３１００ｄが形成された配線層との、２つの配線層が設けられた構成を示したがこれに限定されない。記憶素子３１７０ａが形成された層と、記憶素子３１７０ｂが形成された層との間に、１つの配線層が設けられていてもよいし、３つ以上の配線層が設けられていてもよい。
【０３１９】
以上のように、記憶素子に含まれる酸化物半導体を用いたトランジスタと、論理回路に含まれるシリコン半導体を用いたトランジスタを、積層することで、論理回路の面積を削減し、更なる小型化を図ることができる。また、電源が遮断されてもデータが保持される新規な論理回路を得ることができる。なお、実施の形態１乃至実施の形態６で用いられるトランジスタの積層構造は、限定されない。
【０３２０】
本実施の形態は、上記実施の形態と適宜組み合わせて実施することが可能である。
【０３２１】
（実施の形態９）
本実施の形態では、開示される発明の一態様に係る信号処理回路の一つである、ＣＰＵ（Ｃｅｎｔｒａｌ  Ｐｒｏｃｅｓｓｉｎｇ  Ｕｎｉｔ（中央処理装置、又は中央演算処理装置））の構成について説明する。
【０３２２】
図３３に、本実施の形態のＣＰＵの構成を示す。図３３に示すＣＰＵは、基板９９００上に、ＡＬＵ９９０１、ＡＬＵ  Ｃｏｎｔｒｏｌｌｅｒ９９０２、Ｉｎｓｔｒｕｃｔｉｏｎ  Ｄｅｃｏｄｅｒ９９０３、Ｉｎｔｅｒｒｕｐｔ  Ｃｏｎｔｒｏｌｌｅｒ９９０４、Ｔｉｍｉｎｇ  Ｃｏｎｔｒｏｌｌｅｒ９９０５、Ｒｅｇｉｓｔｅｒ９９０６、Ｒｅｇｉｓｔｅｒ  Ｃｏｎｔｒｏｌｌｅｒ９９０７、Ｂｕｓ  Ｉ／Ｆ９９０８、書き換え可能なＲＯＭ９９０９、ＲＯＭ  Ｉ／Ｆ９９２０と、を主に有している。なお、ＡＬＵはＡｒｉｔｈｍｅｔｉｃ  Ｌｏｇｉｃ  Ｕｎｉｔであり、Ｂｕｓ  Ｉ／Ｆはバスインターフェースであり、ＲＯＭ  Ｉ／ＦはＲＯＭインターフェースである。ＲＯＭ９９０９及びＲＯＭ  Ｉ／Ｆ９９２０は、別チップに設けても良い。勿論、図３３に示すＣＰＵは、その構成を簡略化して示した一例にすぎず、実際のＣＰＵはその用途によって多種多様な構成を有している。
【０３２３】
Ｂｕｓ  Ｉ／Ｆ９９０８を介してＣＰＵに入力された命令は、Ｉｎｓｔｒｕｃｔｉｏｎ  Ｄｅｃｏｄｅｒ９９０３に入力され、デコードされた後、ＡＬＵ  Ｃｏｎｔｒｏｌｌｅｒ９９０２、Ｉｎｔｅｒｒｕｐｔ  Ｃｏｎｔｒｏｌｌｅｒ９９０４、Ｒｅｇｉｓｔｅｒ  Ｃｏｎｔｒｏｌｌｅｒ９９０７、Ｔｉｍｉｎｇ  Ｃｏｎｔｒｏｌｌｅｒ９９０５に入力される。
【０３２４】
ＡＬＵ  Ｃｏｎｔｒｏｌｌｅｒ９９０２、Ｉｎｔｅｒｒｕｐｔ  Ｃｏｎｔｒｏｌｌｅｒ９９０４、Ｒｅｇｉｓｔｅｒ  Ｃｏｎｔｒｏｌｌｅｒ９９０７、Ｔｉｍｉｎｇ  Ｃｏｎｔｒｏｌｌｅｒ９９０５は、デコードされた命令に基づき、各種制御を行なう。具体的にＡＬＵ  Ｃｏｎｔｒｏｌｌｅｒ９９０２は、ＡＬＵ９９０１の動作を制御するための信号を生成する。また、Ｉｎｔｅｒｒｕｐｔ  Ｃｏｎｔｒｏｌｌｅｒ９９０４は、ＣＰＵのプログラム実行中に、外部の入出力装置や、周辺回路からの割り込み要求を、その優先度やマスク状態から判断し、処理する。Ｒｅｇｉｓｔｅｒ  Ｃｏｎｔｒｏｌｌｅｒ９９０７は、Ｒｅｇｉｓｔｅｒ９９０６のアドレスを生成し、ＣＰＵの状態に応じてＲｅｇｉｓｔｅｒ９９０６の読み出しや書き込みを行なう。
【０３２５】
またＴｉｍｉｎｇ  Ｃｏｎｔｒｏｌｌｅｒ９９０５は、ＡＬＵ９９０１、ＡＬＵ  Ｃｏｎｔｒｏｌｌｅｒ９９０２、Ｉｎｓｔｒｕｃｔｉｏｎ  Ｄｅｃｏｄｅｒ９９０３、Ｉｎｔｅｒｒｕｐｔ  Ｃｏｎｔｒｏｌｌｅｒ９９０４、Ｒｅｇｉｓｔｅｒ  Ｃｏｎｔｒｏｌｌｅｒ９９０７の動作のタイミングを制御する信号を生成する。例えばＴｉｍｉｎｇ  Ｃｏｎｔｒｏｌｌｅｒ９９０５は、基準クロック信号ＣＬＫ１を元に、内部クロック信号ＣＬＫ２を生成する内部クロック生成部を備えており、クロック信号ＣＬＫ２を上記各種回路に供給する。
【０３２６】
本実施の形態のＣＰＵでは、Ｒｅｇｉｓｔｅｒ９９０６に、実施の形態１乃至実施の形態６で示した論理回路が設けられている。電源が遮断されてもデータが保持される論理回路を設けることで、本実施の形態のＣＰＵにおいて、データの保持機能を高め、消費電力を低減することができる。また、面積が削減された論理回路を設けることで、ＣＰＵの面積、及び構成トランジスタの数を削減することができる。
【０３２７】
本実施の形態では、ＣＰＵを例に挙げて説明したが、開示される発明の一様態の信号処理回路はＣＰＵに限定されず、マイクロプロセッサ、画像処理回路、ＤＳＰ、ＦＰＧＡ等のＬＳＩにも応用可能である。
【０３２８】
本実施の形態は、上記実施の形態と組み合わせて実施することが可能である。
【０３２９】
（実施の形態１０）
本実施の形態では、開示される発明の一様態で用いられる酸化物半導体を用いたトランジスタについて詳細に説明する。なお本実施の形態の酸化物半導体を用いたトランジスタは、実施の形態１乃至実施の形態９で説明した酸化物半導体を用いたトランジスタに援用可能である。
【０３３０】
用いられる酸化物半導体としては、少なくともインジウム（Ｉｎ）あるいは亜鉛（Ｚｎ）を含むことが好ましい。特にＩｎとＺｎを含むことが好ましい。また、該酸化物半導体を用いたトランジスタの電気特性のばらつきを減らすためのスタビライザーとして、それらに加えてガリウム（Ｇａ）を有することが好ましい。また、スタビライザーとしてスズ（Ｓｎ）を有することが好ましい。また、スタビライザーとしてハフニウム（Ｈｆ）を有することが好ましい。また、スタビライザーとしてアルミニウム（Ａｌ）を有することが好ましい。
【０３３１】
また、他のスタビライザーとして、ランタノイドである、ランタン（Ｌａ）、セリウム（Ｃｅ）、プラセオジム（Ｐｒ）、ネオジム（Ｎｄ）、サマリウム（Ｓｍ）、ユウロピウム（Ｅｕ）、ガドリニウム（Ｇｄ）、テルビウム（Ｔｂ）、ジスプロシウム（Ｄｙ）、ホルミウム（Ｈｏ）、エルビウム（Ｅｒ）、ツリウム（Ｔｍ）、イッテルビウム（Ｙｂ）、ルテチウム（Ｌｕ）のいずれか一種あるいは複数種を有してもよい。
【０３３２】
例えば、酸化物半導体として、酸化インジウム、酸化スズ、酸化亜鉛、二元系金属の酸化物であるＩｎ−Ｚｎ系酸化物、Ｓｎ−Ｚｎ系酸化物、Ａｌ−Ｚｎ系酸化物、Ｚｎ−Ｍｇ系酸化物、Ｓｎ−Ｍｇ系酸化物、Ｉｎ−Ｍｇ系酸化物、Ｉｎ−Ｇａ系酸化物、三元系金属の酸化物であるＩｎ−Ｇａ−Ｚｎ系酸化物（ＩＧＺＯとも表記する）、Ｉｎ−Ａｌ−Ｚｎ系酸化物、Ｉｎ−Ｓｎ−Ｚｎ系酸化物、Ｓｎ−Ｇａ−Ｚｎ系酸化物、Ａｌ−Ｇａ−Ｚｎ系酸化物、Ｓｎ−Ａｌ−Ｚｎ系酸化物、Ｉｎ−Ｈｆ−Ｚｎ系酸化物、Ｉｎ−Ｌａ−Ｚｎ系酸化物、Ｉｎ−Ｃｅ−Ｚｎ系酸化物、Ｉｎ−Ｐｒ−Ｚｎ系酸化物、Ｉｎ−Ｎｄ−Ｚｎ系酸化物、Ｉｎ−Ｓｍ−Ｚｎ系酸化物、Ｉｎ−Ｅｕ−Ｚｎ系酸化物、Ｉｎ−Ｇｄ−Ｚｎ系酸化物、Ｉｎ−Ｔｂ−Ｚｎ系酸化物、Ｉｎ−Ｄｙ−Ｚｎ系酸化物、Ｉｎ−Ｈｏ−Ｚｎ系酸化物、Ｉｎ−Ｅｒ−Ｚｎ系酸化物、Ｉｎ−Ｔｍ−Ｚｎ系酸化物、Ｉｎ−Ｙｂ−Ｚｎ系酸化物、Ｉｎ−Ｌｕ−Ｚｎ系酸化物、四元系金属の酸化物であるＩｎ−Ｓｎ−Ｇａ−Ｚｎ系酸化物、Ｉｎ−Ｈｆ−Ｇａ−Ｚｎ系酸化物、Ｉｎ−Ａｌ−Ｇａ−Ｚｎ系酸化物、Ｉｎ−Ｓｎ−Ａｌ−Ｚｎ系酸化物、Ｉｎ−Ｓｎ−Ｈｆ−Ｚｎ系酸化物、Ｉｎ−Ｈｆ−Ａｌ−Ｚｎ系酸化物を用いることができる。
【０３３３】
なお、ここで、例えば、Ｉｎ−Ｇａ−Ｚｎ系酸化物とは、ＩｎとＧａとＺｎを主成分として有する酸化物という意味であり、ＩｎとＧａとＺｎの比率は問わない。また、ＩｎとＧａとＺｎ以外の金属元素が入っていてもよい。
【０３３４】
また、酸化物半導体として、ＩｎＭＯ３（ＺｎＯ）ｍ（ｍ＞０、且つ、ｍは整数でない）で表記される材料を用いてもよい。なお、Ｍは、Ｇａ、Ｆｅ、Ｍｎ及びＣｏから選ばれた一の金属元素または複数の金属元素を示す。また、酸化物半導体として、Ｉｎ３ＳｎＯ５（ＺｎＯ）ｎ（ｎ＞０、且つ、ｎは整数）で表記される材料を用いてもよい。
【０３３５】
例えば、Ｉｎ：Ｇａ：Ｚｎ＝１：１：１（＝１／３：１／３：１／３）あるいはＩｎ：Ｇａ：Ｚｎ＝２：２：１（＝２／５：２／５：１／５）の原子数比のＩｎ−Ｇａ−Ｚｎ系酸化物やその組成の近傍の酸化物を用いることができる。あるいは、Ｉｎ：Ｓｎ：Ｚｎ＝１：１：１（＝１／３：１／３：１／３）、Ｉｎ：Ｓｎ：Ｚｎ＝２：１：３（＝１／３：１／６：１／２）あるいはＩｎ：Ｓｎ：Ｚｎ＝２：１：５（＝１／４：１／８：５／８）の原子数比のＩｎ−Ｓｎ−Ｚｎ系酸化物やその組成の近傍の酸化物を用いるとよい。
【０３３６】
しかし、これらに限られず、必要とする半導体特性（移動度、しきい値、ばらつき等）に応じて適切な組成のものを用いればよい。また、必要とする半導体特性を得るために、キャリア濃度や不純物濃度、欠陥密度、金属元素と酸素の原子数比、原子間結合距離、密度等を適切なものとすることが好ましい。
【０３３７】
また、結晶性を有する酸化物半導体では、表面の平坦性を高めれば移動度を高めることができる。表面の平坦性を高めるためには、平坦な表面上に酸化物半導体を形成することが好ましく、具体的には、平均面粗さ（Ｒａ）が１ｎｍ以下、好ましくは０．３ｎｍ以下、より好ましくは０．１ｎｍ以下の表面上に形成するとよい。
【０３３８】
なお、Ｒａは、ＪＩＳ  Ｂ０６０１で定義されている中心線平均粗さを面に対して適用できるよう三次元に拡張したものであり、「基準面から指定面までの偏差の絶対値を平均した値」と表現でき、以下の式にて定義される。
【０３３９】
【数１】
0005844687.tif 000002
【０３４０】
なお、上記において、Ｓ０は、測定面（座標（ｘ１，ｙ１）（ｘ１，ｙ２）（ｘ２，ｙ１）（ｘ２，ｙ２）で表される４点によって囲まれる長方形の領域）の面積を指し、Ｚ０は測定面の平均高さを指す。Ｒａは原子間力顕微鏡（ＡＦＭ：Ａｔｏｍｉｃ  Ｆｏｒｃｅ  Ｍｉｃｒｏｓｃｏｐｅ）にて評価可能である。
【０３４１】
以下に、結晶性を有する酸化物について説明する。具体的には、ｃ軸配向し、かつａｂ面、表面または界面の方向から見て三角形状または六角形状の原子配列を有し、ｃ軸においては金属原子が層状または金属原子と酸素原子とが層状に配列しており、ａｂ面においてはａ軸またはｂ軸の向きが異なる（ｃ軸を中心に回転した）結晶（ＣＡＡＣ：Ｃ  Ａｘｉｓ  Ａｌｉｇｎｅｄ  Ｃｒｙｓｔａｌともいう。）を含む酸化物について説明する。
【０３４２】
ＣＡＡＣを含む酸化物とは、広義に、非単結晶であって、そのａｂ面に垂直な方向から見て、三角形、六角形、正三角形または正六角形の原子配列を有し、かつｃ軸方向に垂直な方向から見て、金属原子が層状、または金属原子と酸素原子が層状に配列した相を含む酸化物をいう。
【０３４３】
ＣＡＡＣは単結晶ではないが、非晶質のみから形成されているものでもない。また、ＣＡＡＣは結晶化した部分（結晶部分）を含むが、１つの結晶部分と他の結晶部分の境界を明確に判別できないこともある。
【０３４４】
ＣＡＡＣに酸素が含まれる場合、酸素の一部は窒素で置換されてもよい。また、ＣＡＡＣを構成する個々の結晶部分のｃ軸は一定の方向（例えば、ＣＡＡＣが形成される基板面、ＣＡＡＣの表面などに垂直な方向）に揃っていてもよい。または、ＣＡＡＣを構成する個々の結晶部分のａｂ面の法線は一定の方向（例えば、ＣＡＡＣが形成される基板面、ＣＡＡＣの表面などに垂直な方向）を向いていてもよい。
【０３４５】
ＣＡＡＣは、その組成などに応じて、導体であったり、半導体であったり、絶縁体であったりする。また、その組成などに応じて、可視光に対して透明であったり不透明であったりする。
【０３４６】
このようなＣＡＡＣの例として、膜状に形成され、膜表面または支持する基板面に垂直な方向から観察すると三角形または六角形の原子配列が認められ、かつその膜断面を観察すると金属原子または金属原子および酸素原子（または窒素原子）の層状配列が認められる結晶を挙げることもできる。
【０３４７】
ＣＡＡＣに含まれる結晶構造の一例について図３４乃至図３６を用いて詳細に説明する。なお、特に断りがない限り、図３４乃至図３６は上方向をｃ軸方向とし、ｃ軸方向と直交する面をａｂ面とする。なお、単に上半分、下半分という場合、ａｂ面を境にした場合の上半分、下半分をいう。また、図３４において丸で囲まれたＯは４配位のＯを示し、二重丸は３配位のＯを示す。
【０３４８】
図３４（Ａ）に、１個の６配位のＩｎと、Ｉｎに近接の６個の４配位の酸素原子（以下４配位のＯ）と、を有する構造を示す。ここでは、金属原子が１個に対して、近接の酸素原子のみ示した構造を小グループと呼ぶ。図３４（Ａ）の構造は、八面体構造をとるが、簡単のため平面構造で示している。なお、図３４（Ａ）の上半分および下半分にはそれぞれ３個ずつ４配位のＯがある。図３４（Ａ）に示す小グループは電荷が０である。
【０３４９】
図３４（Ｂ）に、１個の５配位のＧａと、Ｇａに近接の３個の３配位の酸素原子（以下３配位のＯ）と、近接の２個の４配位のＯと、を有する構造を示す。３配位のＯは、いずれもａｂ面に存在する。図３４（Ｂ）の上半分および下半分にはそれぞれ１個ずつ４配位のＯがある。また、Ｉｎも５配位をとるため、図３４（Ｂ）に示す構造をとりうる。図３４（Ｂ）に示す小グループは電荷が０である。
【０３５０】
図３４（Ｃ）に、１個の４配位のＺｎと、Ｚｎに近接の４個の４配位のＯと、を有する構造を示す。図３４（Ｃ）の上半分には１個の４配位のＯがあり、下半分には３個の４配位のＯがある。または、図３４（Ｃ）の上半分に３個の４配位のＯがあり、下半分に１個の４配位のＯがあってもよい。図３４（Ｃ）に示す小グループは電荷が０である。
【０３５１】
図３４（Ｄ）に、１個の６配位のＳｎと、Ｓｎに近接の６個の４配位のＯと、を有する構造を示す。図３４（Ｄ）の上半分には３個の４配位のＯがあり、下半分には３個の４配位のＯがある。図３４（Ｄ）に示す小グループは電荷が＋１となる。
【０３５２】
図３４（Ｅ）に、２個のＺｎを含む小グループを示す。図３４（Ｅ）の上半分には１個の４配位のＯがあり、下半分には１個の４配位のＯがある。図３４（Ｅ）に示す小グループは電荷が−１となる。
【０３５３】
ここでは、複数の小グループの集合体を中グループと呼び、複数の中グループの集合体を大グループ（ユニットセルともいう。）と呼ぶ。
【０３５４】
ここで、これらの小グループ同士が結合する規則について説明する。図３４（Ａ）に示す６配位のＩｎの上半分の３個のＯは下方向にそれぞれ３個の近接Ｉｎを有し、下半分の３個のＯは上方向にそれぞれ３個の近接Ｉｎを有する。図３４（Ｂ）に示す５配位のＧａの上半分の１個のＯは下方向に１個の近接Ｇａを有し、下半分の１個のＯは上方向に１個の近接Ｇａを有する。図３４（Ｃ）に示す４配位のＺｎの上半分の１個のＯは下方向に１個の近接Ｚｎを有し、下半分の３個のＯは上方向にそれぞれ３個の近接Ｚｎを有する。この様に、金属原子の上方向の４配位のＯの数と、そのＯの下方向にある近接金属原子の数は等しく、同様に金属原子の下方向の４配位のＯの数と、そのＯの上方向にある近接金属原子の数は等しい。Ｏは４配位なので、下方向にある近接金属原子の数と、上方向にある近接金属原子の数の和は４になる。従って、金属原子の上方向にある４配位のＯの数と、別の金属原子の下方向にある４配位のＯの数との和が４個のとき、金属原子を有する二種の小グループ同士は結合することができる。その理由を以下に示す。例えば、６配位の金属原子（ＩｎまたはＳｎ）が下半分の４配位のＯを介して結合する場合、４配位のＯが３個であるため、５配位の金属原子（ＧａまたはＩｎ）、または４配位の金属原子（Ｚｎ）のいずれかと結合することになる。
【０３５５】
これらの配位数を有する金属原子は、ｃ軸方向において、４配位のＯを介して結合する。また、このほかにも、層構造の合計の電荷が０となるように複数の小グループが結合して中グループを構成する。
【０３５６】
図３５（Ａ）に、Ｉｎ−Ｓｎ−Ｚｎ−Ｏ系の層構造を構成する中グループのモデル図を示す。図３５（Ｂ）に、３つの中グループで構成される大グループを示す。なお、図３５（Ｃ）は、図３５（Ｂ）の層構造をｃ軸方向から観察した場合の原子配列を示す。
【０３５７】
図３５（Ａ）においては、簡単のため、３配位のＯは省略し、４配位のＯは個数のみ示し、例えば、Ｓｎの上半分および下半分にはそれぞれ３個ずつ４配位のＯがあることを丸枠の３として示している。同様に、図３５（Ａ）において、Ｉｎの上半分および下半分にはそれぞれ１個ずつ４配位のＯがあり、丸枠の１として示している。また、同様に、図３５（Ａ）において、下半分には１個の４配位のＯがあり、上半分には３個の４配位のＯがあるＺｎと、上半分には１個の４配位のＯがあり、下半分には３個の４配位のＯがあるＺｎとを示している。
【０３５８】
図３５（Ａ）において、Ｉｎ−Ｓｎ−Ｚｎ−Ｏ系の層構造を構成する中グループは、上から順に４配位のＯが３個ずつ上半分および下半分にあるＳｎが、４配位のＯが１個ずつ上半分および下半分にあるＩｎと結合し、そのＩｎが、上半分に３個の４配位のＯがあるＺｎと結合し、そのＺｎの下半分の１個の４配位のＯを介して４配位のＯが３個ずつ上半分および下半分にあるＩｎと結合し、そのＩｎが、上半分に１個の４配位のＯがあるＺｎ２個からなる小グループと結合し、この小グループの下半分の１個の４配位のＯを介して４配位のＯが３個ずつ上半分および下半分にあるＳｎと結合している構成である。この中グループが複数結合して大グループを構成する。
【０３５９】
ここで、３配位のＯおよび４配位のＯの場合、結合１本当たりの電荷はそれぞれ−０．６６７、−０．５と考えることができる。例えば、Ｉｎ（６配位または５配位）、Ｚｎ（４配位）、Ｓｎ（５配位または６配位）の電荷は、それぞれ＋３、＋２、＋４である。従って、Ｓｎを含む小グループは電荷が＋１となる。そのため、Ｓｎを含む層構造を形成するためには、電荷＋１を打ち消す電荷−１が必要となる。電荷−１をとる構造として、図３４（Ｅ）に示すように、２個のＺｎを含む小グループが挙げられる。例えば、Ｓｎを含む小グループが１個に対し、２個のＺｎを含む小グループが１個あれば、電荷が打ち消されるため、層構造の合計の電荷を０とすることができる。
【０３６０】
具体的には、図３５（Ｂ）に示した大グループが繰り返されることで、Ｉｎ−Ｓｎ−Ｚｎ−Ｏ系の結晶（Ｉｎ２ＳｎＺｎ３Ｏ８）を得ることができる。なお、得られるＩｎ−Ｓｎ−Ｚｎ−Ｏ系の層構造は、Ｉｎ２ＳｎＺｎ２Ｏ７（ＺｎＯ）ｍ（ｍは０または自然数。）とする組成式で表すことができる。
【０３６１】
また、このほかにも、四元系金属の酸化物であるＩｎ−Ｓｎ−Ｇａ−Ｚｎ−Ｏ系酸化物や、三元系金属の酸化物であるＩｎ−Ｇａ−Ｚｎ−Ｏ系酸化物（ＩＧＺＯとも表記する。）、Ｉｎ−Ａｌ−Ｚｎ−Ｏ系酸化物、Ｓｎ−Ｇａ−Ｚｎ−Ｏ系酸化物、Ａｌ−Ｇａ−Ｚｎ−Ｏ系酸化物、Ｓｎ−Ａｌ−Ｚｎ−Ｏ系酸化物や、Ｉｎ−Ｈｆ−Ｚｎ−Ｏ系酸化物、Ｉｎ−Ｌａ−Ｚｎ−Ｏ系酸化物、Ｉｎ−Ｃｅ−Ｚｎ−Ｏ系酸化物、Ｉｎ−Ｐｒ−Ｚｎ−Ｏ系酸化物、Ｉｎ−Ｎｄ−Ｚｎ−Ｏ系酸化物、Ｉｎ−Ｓｍ−Ｚｎ−Ｏ系酸化物、Ｉｎ−Ｅｕ−Ｚｎ−Ｏ系酸化物、Ｉｎ−Ｇｄ−Ｚｎ−Ｏ系酸化物、Ｉｎ−Ｔｂ−Ｚｎ−Ｏ系酸化物、Ｉｎ−Ｄｙ−Ｚｎ−Ｏ系酸化物、Ｉｎ−Ｈｏ−Ｚｎ−Ｏ系酸化物、Ｉｎ−Ｅｒ−Ｚｎ−Ｏ系酸化物、Ｉｎ−Ｔｍ−Ｚｎ−Ｏ系酸化物、Ｉｎ−Ｙｂ−Ｚｎ−Ｏ系酸化物、Ｉｎ−Ｌｕ−Ｚｎ−Ｏ系酸化物や、二元系金属の酸化物であるＩｎ−Ｚｎ−Ｏ系酸化物、Ｓｎ−Ｚｎ−Ｏ系酸化物、Ａｌ−Ｚｎ−Ｏ系酸化物、Ｚｎ−Ｍｇ−Ｏ系酸化物、Ｓｎ−Ｍｇ−Ｏ系酸化物、Ｉｎ−Ｍｇ−Ｏ系酸化物や、Ｉｎ−Ｇａ−Ｏ系酸化物、などを用いた場合も同様である。
【０３６２】
例えば、図３６（Ａ）に、Ｉｎ−Ｇａ−Ｚｎ−Ｏ系の層構造を構成する中グループのモデル図を示す。
【０３６３】
図３６（Ａ）において、Ｉｎ−Ｇａ−Ｚｎ−Ｏ系の層構造を構成する中グループは、上から順に４配位のＯが３個ずつ上半分および下半分にあるＩｎが、４配位のＯが１個上半分にあるＺｎと結合し、そのＺｎの下半分の３個の４配位のＯを介して、４配位のＯが１個ずつ上半分および下半分にあるＧａと結合し、そのＧａの下半分の１個の４配位のＯを介して、４配位のＯが３個ずつ上半分および下半分にあるＩｎと結合している構成である。この中グループが複数結合して大グループを構成する。
【０３６４】
図３６（Ｂ）に３つの中グループで構成される大グループを示す。なお、図３６（Ｃ）は、図３６（Ｂ）の層構造をｃ軸方向から観察した場合の原子配列を示している。
【０３６５】
ここで、Ｉｎ（６配位または５配位）、Ｚｎ（４配位）、Ｇａ（５配位）の電荷は、それぞれ＋３、＋２、＋３であるため、Ｉｎ、ＺｎおよびＧａのいずれかを含む小グループは、電荷が０となる。そのため、これらの小グループの組み合わせであれば中グループの合計の電荷は常に０となる。
【０３６６】
また、Ｉｎ−Ｇａ−Ｚｎ−Ｏ系の層構造を構成する中グループは、図３６（Ａ）に示した中グループに限定されず、Ｉｎ、Ｇａ、Ｚｎの配列が異なる中グループを組み合わせた大グループも取りうる。
【０３６７】
具体的には、図３６（Ｂ）に示した大グループが繰り返されることで、Ｉｎ−Ｇａ−Ｚｎ−Ｏ系の結晶を得ることができる。なお、得られるＩｎ−Ｇａ−Ｚｎ−Ｏ系の層構造は、ＩｎＧａＯ３（ＺｎＯ）ｎ（ｎは自然数。）とする組成式で表すことができる。
【０３６８】
ｎ＝１（ＩｎＧａＺｎＯ４）の場合は、例えば、図３７（Ａ）に示す結晶構造を取りうる。なお、図３７（Ａ）に示す結晶構造において、図３４（Ｂ）で説明したように、Ｇａ及びＩｎは５配位をとるため、ＧａがＩｎに置き換わった構造も取りうる。
【０３６９】
また、ｎ＝２（ＩｎＧａＺｎ２Ｏ５）の場合は、例えば、図３７（Ｂ）に示す結晶構造を取りうる。なお、図３７（Ｂ）に示す結晶構造において、図３４（Ｂ）で説明したように、Ｇａ及びＩｎは５配位をとるため、ＧａがＩｎに置き換わった構造も取りうる。
【０３７０】
（実施の形態１１）
本実施の形態では、実施の形態１乃至実施の形態９で示したトランジスタに用いられる半導体における移動度について説明する。
【０３７１】
酸化物半導体に限らず、実際に測定される絶縁ゲート型トランジスタの電界効果移動度は、さまざまな理由によって本来の移動度よりも低くなる。移動度を低下させる要因としては半導体内部の欠陥や半導体と絶縁膜との界面の欠陥があるが、Ｌｅｖｉｎｓｏｎモデルを用いると、半導体内部に欠陥がないと仮定した場合の電界効果移動度を理論的に導き出せる。
【０３７２】
半導体本来の移動度をμ０、測定される電界効果移動度をμとし、半導体中に何らかのポテンシャル障壁（粒界等）が存在すると仮定すると、以下の式で表現できる。
【０３７３】
【数２】
0005844687.tif 000003
【０３７４】
ここで、Ｅはポテンシャル障壁の高さであり、ｋがボルツマン定数、Ｔは絶対温度である。また、ポテンシャル障壁が欠陥に由来すると仮定すると、Ｌｅｖｉｎｓｏｎモデルでは、以下の式で表される。
【０３７５】
【数３】
0005844687.tif 000004
【０３７６】
ここで、ｅは電気素量、Ｎはチャネル内の単位面積当たりの平均欠陥密度、εは半導体の誘電率、ｎは単位面積当たりのチャネルに含まれるキャリア数、Ｃｏｘは単位面積当たりの容量、Ｖｇはゲート電圧、ｔはチャネルの厚さである。なお、厚さ３０ｎｍ以下の半導体層であれば、チャネルの厚さは半導体層の厚さと同一として差し支えない。
線形領域におけるドレイン電流Ｉｄは、以下の式となる。
【０３７７】
【数４】
0005844687.tif 000005
【０３７８】
ここで、Ｌはチャネル長、Ｗはチャネル幅であり、ここでは、Ｌ＝Ｗ＝１０μｍである。また、Ｖｄはドレイン電圧である。
上式の両辺をＶｇで割り、更に両辺の対数を取ると、以下のようになる。
【０３７９】
【数５】
0005844687.tif 000006
【０３８０】
数５の右辺はＶｇの関数である。この式からわかるように、縦軸をｌｎ（Ｉｄ／Ｖｇ）、横軸を１／Ｖｇとして実測値をプロットして得られるグラフの直線の傾きから欠陥密度Ｎが求められる。すなわち、トランジスタのＩｄ―Ｖｇ特性から、欠陥密度を評価できる。酸化物半導体としては、インジウム（Ｉｎ）、スズ（Ｓｎ）、亜鉛（Ｚｎ）の比率が、Ｉｎ：Ｓｎ：Ｚｎ＝１：１：１のものでは欠陥密度Ｎは１×１０１２／ｃｍ２程度である。
【０３８１】
このようにして求めた欠陥密度等をもとに数２および数３よりμ０＝１２０ｃｍ２／Ｖｓが導出される。欠陥のあるＩｎ−Ｓｎ−Ｚｎ酸化物で測定される移動度は３５ｃｍ２／Ｖｓ程度である。しかし、半導体内部および半導体と絶縁膜との界面の欠陥が無い酸化物半導体の移動度μ０は１２０ｃｍ２／Ｖｓとなると予想できる。
【０３８２】
ただし、半導体内部に欠陥がなくても、チャネルとゲート絶縁膜との界面での散乱によってトランジスタの輸送特性は影響を受ける。すなわち、ゲート絶縁膜界面からｘだけ離れた場所における移動度μ１は、以下の式で表される。
【０３８３】
【数６】
0005844687.tif 000007
【０３８４】
ここで、Ｄはゲート方向の電界、Ｂ、Ｇは定数である。ＢおよびＧは、実際の測定結果より求めることができ、上記の測定結果からは、Ｂ＝４．７５×１０７ｃｍ／ｓ、Ｇ＝１０ｎｍ（界面散乱が及ぶ深さ）である。Ｄが増加する（すなわち、ゲート電圧が高くなる）と数６の第２項が増加するため、移動度μ１は低下することがわかる。
【０３８５】
半導体内部の欠陥が無い理想的な酸化物半導体をチャネルに用いたトランジスタの移動度μ２を計算した結果を図３８に示す。なお、計算にはシノプシス社製デバイスシミュレーションソフト、Ｓｅｎｔａｕｒｕｓ  Ｄｅｖｉｃｅを使用し、酸化物半導体のバンドギャップ、電子親和力、比誘電率、厚さをそれぞれ、２．８電子ボルト、４．７電子ボルト、１５、１５ｎｍとした。これらの値は、スパッタリング法により形成された薄膜を測定して得られたものである。
【０３８６】
さらに、ゲート、ソース、ドレインの仕事関数をそれぞれ、５．５電子ボルト、４．６電子ボルト、４．６電子ボルトとした。また、ゲート絶縁膜の厚さは１００ｎｍ、比誘電率は４．１とした。チャネル長およびチャネル幅はともに１０μｍ、ドレイン電圧Ｖｄは０．１Ｖである。
【０３８７】
図３８で示されるように、ゲート電圧１Ｖ強で移動度１００ｃｍ２／Ｖｓ以上のピークをつけるが、ゲート電圧がさらに高くなると、界面散乱が大きくなり、移動度が低下する。なお、界面散乱を低減するためには、半導体層表面を原子レベルで平坦にすること（Ａｔｏｍｉｃ  Ｌａｙｅｒ  Ｆｌａｔｎｅｓｓ）が望ましい。
【０３８８】
このような移動度を有する酸化物半導体を用いて微細なトランジスタを作製した場合の特性を計算した結果を図３９乃至図４１に示す。なお、計算に用いたトランジスタの断面構造を図４２に示す。図４２に示すトランジスタは酸化物半導体層にｎ＋の導電型を呈する半導体領域４０３ａおよび半導体領域４０３ｃを有する。半導体領域４０３ａおよび半導体領域４０３ｃの抵抗率は２×１０−３Ωｃｍとする。
【０３８９】
図４２（Ａ）に示すトランジスタは、下地絶縁層４０１と、下地絶縁層４０１に埋め込まれるように形成された酸化アルミニウムよりなる埋め込み絶縁物４０２の上に形成される。トランジスタは半導体領域４０３ａ、半導体領域４０３ｃと、それらに挟まれ、チャネル形成領域となる真性の半導体領域４０３ｂと、ゲート４０５を有する。ゲート４０５の幅を３３ｎｍとする。
【０３９０】
ゲート４０５と半導体領域４０３ｂの間には、ゲート絶縁膜４０４を有し、また、ゲート４０５の両側面には側壁絶縁物４０６ａおよび側壁絶縁物４０６ｂ、ゲート４０５の上部には、ゲート４０５と他の配線との短絡を防止するための絶縁物４０７を有する。側壁絶縁物の幅は５ｎｍとする。また、半導体領域４０３ａおよび半導体領域４０３ｃに接して、ソース４０８ａおよびドレイン４０８ｂを有する。なお、このトランジスタにおけるチャネル幅を４０ｎｍとする。
【０３９１】
図４２（Ｂ）に示すトランジスタは、下地絶縁層４０１と、酸化アルミニウムよりなる埋め込み絶縁物４０２の上に形成され、半導体領域４０３ａ、半導体領域４０３ｃと、それらに挟まれた真性の半導体領域４０３ｂと、幅３３ｎｍのゲート４０５とゲート絶縁膜４０４と側壁絶縁物４０６ａおよび側壁絶縁物４０６ｂと絶縁物４０７とソース４０８ａおよびドレイン４０８ｂを有する点で図４２（Ａ）に示すトランジスタと同じである。
【０３９２】
図４２（Ａ）に示すトランジスタと図４２（Ｂ）に示すトランジスタの相違点は、側壁絶縁物４０６ａおよび側壁絶縁物４０６ｂの下の半導体領域の導電型である。図４２（Ａ）に示すトランジスタでは、側壁絶縁物４０６ａおよび側壁絶縁物４０６ｂの下の半導体領域はｎ＋の導電型を呈する半導体領域４０３ａおよび半導体領域４０３ｃであるが、図４２（Ｂ）に示すトランジスタでは、真性の半導体領域４０３ｂである。すなわち、図４２（Ｂ）に示す半導体層において、半導体領域４０３ａ（半導体領域４０３ｃ）とゲート４０５がＬｏｆｆだけ重ならない領域ができている。この領域をオフセット領域といい、その幅Ｌｏｆｆをオフセット長という。図から明らかなように、オフセット長は、側壁絶縁物４０６ａ（側壁絶縁物４０６ｂ）の幅と同じである。
【０３９３】
その他の計算に使用するパラメータは上述の通りである。計算にはシノプシス社製デバイスシミュレーションソフト、Ｓｅｎｔａｕｒｕｓ  Ｄｅｖｉｃｅを使用した。図３９は、図４２（Ａ）に示される構造のトランジスタのドレイン電流（Ｉｄ、実線）および移動度（μ、点線）のゲート電圧（Ｖｇ、ゲートとソースの電位差）依存性を示す。ドレイン電流Ｉｄは、ドレイン電圧（ドレインとソースの電位差）を＋１Ｖとし、移動度μはドレイン電圧を＋０．１Ｖとして計算したものである。
【０３９４】
図３９（Ａ）はゲート絶縁膜の厚さを１５ｎｍとしたものであり、図３９（Ｂ）は１０ｎｍとしたものであり、図３９（Ｃ）は５ｎｍとしたものである。ゲート絶縁膜が薄くなるほど、特にオフ状態でのドレイン電流Ｉｄ（オフ電流）が顕著に低下する。一方、移動度μのピーク値やオン状態でのドレイン電流Ｉｄ（オン電流）には目立った変化が無い。ゲート電圧１Ｖ前後で、ドレイン電流は１０μＡを超えることが示された。
【０３９５】
図４０は、図４２（Ｂ）に示される構造のトランジスタで、オフセット長Ｌｏｆｆを５ｎｍとしたもののドレイン電流Ｉｄ（実線）および移動度μ（点線）のゲート電圧Ｖｇ依存性を示す。ドレイン電流Ｉｄは、ドレイン電圧を＋１Ｖとし、移動度μはドレイン電圧を＋０．１Ｖとして計算したものである。図４０（Ａ）はゲート絶縁膜の厚さを１５ｎｍとしたものであり、図４０（Ｂ）は１０ｎｍとしたものであり、図４０（Ｃ）は５ｎｍとしたものである。
【０３９６】
また、図４１は、図４２（Ｂ）に示される構造のトランジスタで、オフセット長Ｌｏｆｆを１５ｎｍとしたもののドレイン電流Ｉｄ（実線）および移動度μ（点線）のゲート電圧依存性を示す。ドレイン電流Ｉｄは、ドレイン電圧を＋１Ｖとし、移動度μはドレイン電圧を＋０．１Ｖとして計算したものである。図４１（Ａ）はゲート絶縁膜の厚さを１５ｎｍとしたものであり、図４１（Ｂ）は１０ｎｍとしたものであり、図４１（Ｃ）は５ｎｍとしたものである。
【０３９７】
いずれもゲート絶縁膜が薄くなるほど、オフ電流が顕著に低下する一方、移動度μのピーク値やオン電流には目立った変化が無い。
【０３９８】
なお、移動度μのピークは、図３９では８０ｃｍ２／Ｖｓ程度であるが、図４０では６０ｃｍ２／Ｖｓ程度、図４１では４０ｃｍ２／Ｖｓ程度と、オフセット長Ｌｏｆｆが増加するほど低下する。また、オフ電流も同様な傾向がある。一方、オン電流にはオフセット長Ｌｏｆｆの増加にともなって減少するが、オフ電流の低下に比べるとはるかに緩やかである。また、いずれもゲート電圧１Ｖ前後で、ドレイン電流は１０μＡを超えることが示された。
【０３９９】
Ｉｎ、Ｓｎ、Ｚｎを主成分とする酸化物半導体膜をチャネル形成領域とするトランジスタは、該酸化物半導体膜を形成する際に基板を加熱して成膜すること、或いは酸化物半導体膜を形成した後に熱処理を行うことで良好な特性を得ることができる。なお、主成分とは組成比で５ａｔｏｍｉｃ％以上含まれる元素をいう。
【０４００】
Ｉｎ、Ｓｎ、Ｚｎを主成分とする酸化物半導体膜の成膜後に基板を意図的に加熱することで、トランジスタの電界効果移動度を向上させることが可能となる。また、トランジスタのしきい値電圧をプラスシフトさせ、ノーマリオフ化させることが可能となる。
【０４０１】
例えば、図４３（Ａ）〜（Ｃ）は、Ｉｎ、Ｓｎ、Ｚｎを主成分とし、チャネル長Ｌが３μｍ、チャネル幅Ｗが１０μｍである酸化物半導体膜と、厚さ１００ｎｍのゲート絶縁膜を用いたトランジスタの特性である。なお、Ｖｄは１０Ｖとした。
【０４０２】
図４３（Ａ）は基板を意図的に加熱せずにスパッタリング法でＩｎ、Ｓｎ、Ｚｎを主成分とする酸化物半導体膜を形成したときのトランジスタ特性である。このとき電界効果移動度は１８．８ｃｍ２／Ｖｓｅｃが得られている。一方、基板を意図的に加熱してＩｎ、Ｓｎ、Ｚｎを主成分とする酸化物半導体膜を形成すると電界効果移動度を向上させることが可能となる。図４３（Ｂ）は基板を２００℃に加熱してＩｎ、Ｓｎ、Ｚｎを主成分とする酸化物半導体膜を形成したときのトランジスタ特性を示すが、電界効果移動度は３２．２ｃｍ２／Ｖｓｅｃが得られている。
【０４０３】
電界効果移動度は、Ｉｎ、Ｓｎ、Ｚｎを主成分とする酸化物半導体膜を形成した後に熱処理をすることによって、さらに高めることができる。図４３（Ｃ）は、Ｉｎ、Ｓｎ、Ｚｎを主成分とする酸化物半導体膜を２００℃でスパッタリング成膜した後、６５０℃で熱処理をしたときのトランジスタ特性を示す。このとき電界効果移動度は３４．５ｃｍ２／Ｖｓｅｃが得られている。
【０４０４】
基板を意図的に加熱することでスパッタリング成膜中の水分が酸化物半導体膜中に取り込まれるのを低減する効果が期待できる。また、成膜後に熱処理をすることによっても、酸化物半導体膜から水素や水酸基若しくは水分を放出させ除去することができ、上記のように電界効果移動度を向上させることができる。このような電界効果移動度の向上は、脱水化、脱水素化による不純物の除去のみならず、高密度化により原子間距離が短くなるためとも推定される。また、酸化物半導体から不純物を除去して高純度化することで結晶化を図ることができる。このように高純度化された非単結晶酸化物半導体は、理想的には１００ｃｍ２／Ｖｓｅｃを超える電界効果移動度を実現することも可能になると推定される。
【０４０５】
Ｉｎ、Ｓｎ、Ｚｎを主成分とする酸化物半導体に酸素イオンを注入し、熱処理により該酸化物半導体に含まれる水素や水酸基若しくは水分を放出させ、その熱処理と同時に又はその後の熱処理により酸化物半導体を結晶化させても良い。このような結晶化若しくは再結晶化の処理により結晶性の良い非単結晶酸化物半導体を得ることができる。
【０４０６】
基板を意図的に加熱して成膜すること及び／又は成膜後に熱処理することの効果は、電界効果移動度の向上のみならず、トランジスタのノーマリオフ化を図ることにも寄与している。基板を意図的に加熱しないで形成されたＩｎ、Ｓｎ、Ｚｎを主成分とする酸化物半導体膜をチャネル形成領域としたトランジスタは、しきい値電圧がマイナスシフトしてしまう傾向がある。しかし、基板を意図的に加熱して形成された酸化物半導体膜を用いた場合、このしきい値電圧のマイナスシフト化は解消される。つまり、しきい値電圧はトランジスタがノーマリオフとなる方向に動き、このような傾向は図４３（Ａ）と図４３（Ｂ）の対比からも確認することができる。
【０４０７】
なお、しきい値電圧はＩｎ、Ｓｎ及びＺｎの比率を変えることによっても制御することが可能であり、組成比としてＩｎ：Ｓｎ：Ｚｎ＝２：１：３とすることでトランジスタのノーマリオフ化を期待することができる。また、ターゲットの組成比をＩｎ：Ｓｎ：Ｚｎ＝２：１：３とすることで結晶性の高い酸化物半導体膜を得ることができる。
【０４０８】
意図的な基板加熱温度若しくは熱処理温度は、１５０℃以上、好ましくは２００℃以上、より好ましくは４００℃以上であり、より高温で成膜し或いは熱処理することでトランジスタのノーマリオフ化を図ることが可能となる。
【０４０９】
また、意図的に基板を加熱した成膜及び／又は成膜後に熱処理をすることで、ゲートバイアスストレスに対する安定性を高めることができる。例えば、２ＭＶ／ｃｍ、１５０℃、１時間印加の条件において、ドリフトがそれぞれ±１．５Ｖ未満、好ましくは１．０Ｖ未満を得ることができる。
【０４１０】
熱処理は酸素雰囲気中で行うことができるが、まず窒素若しくは不活性ガス、または減圧下で熱処理を行ってから酸素を含む雰囲気中で熱処理を行っても良い。最初に脱水化、脱水素化を行ってから酸素を酸化物半導体に加えることで、熱処理の効果をより高めることができる。また、後から酸素を加えるには、酸素イオンを電界で加速して酸化物半導体膜に注入する方法を適用しても良い。
【０４１１】
酸化物半導体中及び積層される膜との界面には、酸素欠損による欠陥が生成されやすいが、かかる熱処理により酸化物半導体中に酸素を過剰に含ませることにより、定常的に生成される酸素欠損を過剰な酸素によって補償することが可能となる。過剰酸素は主に格子間に存在する酸素であり、その酸素濃度は１×１０１６／ｃｍ３以上２×１０２０／ｃｍ３以下とすれば、結晶に歪み等を与えることなく酸化物半導体中に含ませることができる。
【０４１２】
また、熱処理によって酸化物半導体に結晶が少なくとも一部に含まれるようにすることで、より安定な酸化物半導体膜を得ることができる。例えば、組成比Ｉｎ：Ｓｎ：Ｚｎ＝１：１：１のターゲットを用いて、基板を意図的に加熱せずにスパッタリング成膜した酸化物半導体膜は、Ｘ線回折（ＸＲＤ：Ｘ−Ｒａｙ  Ｄｉｆｆｒａｃｔｉｏｎ）でハローパタンが観測される。この成膜された酸化物半導体膜を熱処理することによって結晶化させることができる。熱処理温度は任意であるが、例えば６５０℃の熱処理を行うことで、Ｘ線回折により明確な回折ピークを観測することができる。
【０４１３】
実際に、Ｉｎ−Ｓｎ−Ｚｎ−Ｏ膜のＸＲＤ分析を行った。ＸＲＤ分析には、Ｂｒｕｋｅｒ  ＡＸＳ社製Ｘ線回折装置Ｄ８  ＡＤＶＡＮＣＥを用い、Ｏｕｔ−ｏｆ−Ｐｌａｎｅ法で測定した。
【０４１４】
ＸＲＤ分析を行った試料として、試料Ａおよび試料Ｂを用意した。以下に試料Ａおよび試料Ｂの作製方法を説明する。
【０４１５】
脱水素化処理済みの石英基板上にＩｎ−Ｓｎ−Ｚｎ−Ｏ膜を１００ｎｍの厚さで成膜した。
【０４１６】
Ｉｎ−Ｓｎ−Ｚｎ−Ｏ膜は、スパッタリング装置を用い、酸素雰囲気で電力を１００Ｗ（ＤＣ）として成膜した。ターゲットは、Ｉｎ：Ｓｎ：Ｚｎ＝１：１：１［原子数比］のＩｎ−Ｓｎ−Ｚｎ−Ｏターゲットを用いた。なお、成膜時の基板加熱温度は２００℃とした。このようにして作製した試料を試料Ａとした。
【０４１７】
次に、試料Ａと同様の方法で作製した試料に対し加熱処理を６５０℃の温度で行った。加熱処理は、はじめに窒素雰囲気で１時間の加熱処理を行い、温度を下げずに酸素雰囲気でさらに１時間の加熱処理を行っている。このようにして作製した試料を試料Ｂとした。
【０４１８】
図４６に試料Ａおよび試料ＢのＸＲＤスペクトルを示す。試料Ａでは、結晶由来のピークが観測されなかったが、試料Ｂでは、２θが３５ｄｅｇ近傍および３７ｄｅｇ〜３８ｄｅｇに結晶由来のピークが観測された。
【０４１９】
このように、Ｉｎ、Ｓｎ、Ｚｎを主成分とする酸化物半導体は成膜時に意図的に加熱すること及び／又は成膜後に熱処理することによりトランジスタの特性を向上させることができる。
【０４２０】
この基板加熱や熱処理は、酸化物半導体にとって悪性の不純物である水素や水酸基を膜中に含ませないようにすること、或いは膜中から除去する作用がある。すなわち、酸化物半導体中でドナー不純物となる水素を除去することで高純度化を図ることができ、それによってトランジスタのノーマリオフ化を図ることができ、酸化物半導体が高純度化されることによりオフ電流を１ａＡ／μｍ以下にすることができる。ここで、上記オフ電流値の単位は、チャネル幅１μｍあたりの電流値を示す。
【０４２１】
図４７に、トランジスタのオフ電流と測定時の基板温度（絶対温度）の逆数との関係を示す。ここでは、簡単のため測定時の基板温度の逆数に１０００を掛けた数値（１０００／Ｔ）を横軸としている。
【０４２２】
具体的には、図４７に示すように、基板温度が１２５℃の場合には１ａＡ／μｍ（１×１０−１８Ａ／μｍ）以下、８５℃の場合には１００ｚＡ／μｍ（１×１０−１９Ａ／μｍ）以下である。電流値の対数が温度の逆数に比例することから、室温（２７℃）の場合には１ｚＡ／μｍ（１×１０−２１Ａ／μｍ）以下であると予想される。好ましくは、１２５℃において０．１ａＡ／μｍ（１×１０−１９Ａ／μｍ）以下に、８５℃において１０ｚＡ／μｍ（１×１０−２０Ａ／μｍ）以下に、室温において０．１ｚＡ／μｍ（１×１０−２２Ａ／μｍ）以下にすることができる。これらのオフ電流値は、Ｓｉを半導体膜として用いたトランジスタに比べて、極めて低いものであることは明らかである。オフ電流値の極めて低い酸化物半導体を用いたトランジスタを、実施の形態１乃至実施の形態６で用いられるトランジスタに適用することで、電源が遮断されても、極めて高いデータ保持特性を維持した論理回路を得ることができる。また、データ保持特性が高まることで、消費電力を低減させた論理回路を得ることができる。
【０４２３】
また、酸化物半導体膜成膜後に６５０℃の加熱処理を行った試料Ｂのトランジスタにおいて、基板温度と電気的特性の関係について評価した。
【０４２４】
測定に用いたトランジスタは、チャネル長Ｌが３μｍ、チャネル幅Ｗが１０μｍ、Ｌｏｖが０μｍ、ｄＷが０μｍである。なお、Ｖｄｓは１０Ｖとした。なお、基板温度は−４０℃、−２５℃、２５℃、７５℃、１２５℃および１５０℃で行った。
【０４２５】
測定に用いたトランジスタの一例について、図４４及び図４５を用いて説明する。なお、図４４及び図４５では、Ｉｎ−Ｓｎ−Ｚｎ−Ｏ膜を半導体膜に用いている。
【０４２６】
図４４は、コプラナー型であるトップゲート−トップコンタクト構造のトランジスタの上面図および断面図である。図４４（Ａ）にトランジスタの上面図を示す。また、図４４（Ｂ）は図４４（Ａ）の一点鎖線Ａ１−Ａ２に対応する断面図である。
【０４２７】
図４４（Ｂ）に示すトランジスタは、基板７０１と、基板７０１上に設けられた下地絶縁膜７０２と、下地絶縁膜７０２の周辺に設けられた保護絶縁膜７０４と、下地絶縁膜７０２および保護絶縁膜７０４上に設けられた高抵抗領域７０６ａおよび低抵抗領域７０６ｂを有する酸化物半導体膜７０６と、酸化物半導体膜７０６上に設けられたゲート絶縁膜７０８と、ゲート絶縁膜７０８を介して酸化物半導体膜７０６と重畳して設けられたゲート電極７１０と、ゲート電極７１０の側面と接して設けられた側壁絶縁膜７１２と、少なくとも低抵抗領域７０６ｂと接して設けられた一対の電極７１４と、少なくとも酸化物半導体膜７０６、ゲート電極７１０および一対の電極７１４を覆って設けられた層間絶縁膜７１６と、層間絶縁膜７１６に設けられた開口部を介して少なくとも一対の電極７１４の一方と接続して設けられた配線７１８と、を有する。
【０４２８】
なお、図示しないが、層間絶縁膜７１６および配線７１８を覆って設けられた保護膜を有していても構わない。該保護膜を設けることで、層間絶縁膜７１６の表面伝導に起因して生じる微小リーク電流を低減することができ、トランジスタのオフ電流を低減することができる。
【０４２９】
図４５は、トップゲート−トップコンタクト構造のトランジスタの上面図および断面図である。図４５（Ａ）はトランジスタの上面図である。また、図４５（Ｂ）は図４５（Ａ）の一点鎖線Ｂ１−Ｂ２に対応する断面図である。
【０４３０】
図４５（Ｂ）に示すトランジスタは、基板６０１と、基板６０１上に設けられた下地絶縁膜６０２と、下地絶縁膜６０２上に設けられた酸化物半導体膜６０６と、酸化物半導体膜６０６と接する一対の電極６１４と、酸化物半導体膜６０６および一対の電極６１４上に設けられたゲート絶縁膜６０８と、ゲート絶縁膜６０８を介して酸化物半導体膜６０６と重畳して設けられたゲート電極６１０と、ゲート絶縁膜６０８およびゲート電極６１０を覆って設けられた層間絶縁膜６１６と、層間絶縁膜６１６に設けられた開口部を介して一対の電極６１４と接続する配線６１８と、層間絶縁膜６１６および配線６１８を覆って設けられた保護膜６２０と、を有する。
【０４３１】
基板６０１としてはガラス基板を、下地絶縁膜６０２としては酸化シリコン膜を、酸化物半導体膜６０６としてはＩｎ−Ｓｎ−Ｚｎ−Ｏ膜を、一対の電極６１４としてはタングステン膜を、ゲート絶縁膜６０８としては酸化シリコン膜を、ゲート電極６１０としては窒化タンタル膜とタングステン膜との積層構造を、層間絶縁膜６１６としては酸化窒化シリコン膜とポリイミド膜との積層構造を、配線６１８としてはチタン膜、アルミニウム膜、チタン膜がこの順で形成された積層構造を、保護膜６２０としてはポリイミド膜を、それぞれ用いた。
【０４３２】
なお、図４５（Ａ）に示す構造のトランジスタにおいて、ゲート電極６１０と一対の電極６１４との重畳する幅をＬｏｖと呼ぶ。同様に、酸化物半導体膜６０６に対する一対の電極６１４のはみ出しをｄＷと呼ぶ。
【０４３３】
図４８に、Ｉｄｓ（実線）および電界効果移動度（点線）のＶｇｓ依存性を示す。また、図４９（Ａ）に基板温度としきい値電圧の関係を、図４９（Ｂ）に基板温度と電界効果移動度の関係を示す。
【０４３４】
図４９（Ａ）より、基板温度が高いほどしきい値電圧は低くなることがわかる。なお、その範囲は−４０℃〜１５０℃で１．０９Ｖ〜−０．２３Ｖであった。
【０４３５】
また、図４９（Ｂ）より、基板温度が高いほど電界効果移動度が低くなることがわかる。なお、その範囲は−４０℃〜１５０℃で３６ｃｍ２／Ｖｓ〜３２ｃｍ２／Ｖｓであった。従って、上述の温度範囲において電気的特性の変動が小さいことがわかる。
【０４３６】
上記のようなＩｎ、Ｓｎ、Ｚｎを主成分とする酸化物半導体をチャネル形成領域とするトランジスタによれば、オフ電流を１ａＡ／μｍ以下に保ちつつ、電界効果移動度を３０ｃｍ２／Ｖｓｅｃ以上、好ましくは４０ｃｍ２／Ｖｓｅｃ以上、より好ましくは６０ｃｍ２／Ｖｓｅｃ以上とすることができるため、論理回路で要求されるオン電流の値を満たすことができる。例えば、Ｌ／Ｗ＝３３ｎｍ／４０ｎｍのＦＥＴで、ゲート電圧２．７Ｖ、ドレイン電圧１．０Ｖのとき１２μＡ以上のオン電流を流すことができる。またトランジスタの動作に求められる温度範囲においても、十分な電気的特性を確保することができる。このような特性であれば、シリコン半導体で作られる論理回路の中に酸化物半導体で形成されるトランジスタを混載しても、動作速度を犠牲にすることなく新たな機能を有する論理回路を実現することができる。
【符号の説明】
【０４３７】
１００    ＮＡＮＤ回路
１０１    トランジスタ
１０２    トランジスタ
１０３    トランジスタ
１０４    トランジスタ
１０５    トランジスタ
１０６    トランジスタ
１０７    トランジスタ
１０８    トランジスタ
１０９    トランジスタ
１１０    トランジスタ
１１１    トランジスタ
１１２    トランジスタ
１１３    トランジスタ
１１５    トランジスタ
１１６    トランジスタ
１１７    トランジスタ
１１８    トランジスタ
１２０    ラッチ回路
１２１    クロックドインバータ
１２２    インバータ
１２３    クロックドインバータ
１２４    トランジスタ
１２５    トランジスタ
１２６    トランジスタ
１２７    トランジスタ
１２８    トランジスタ
１２９    トランジスタ
１３０    トランジスタ
１３１    トランジスタ
１３２    トランジスタ
１３３    インバータ
１４０    容量
１４１    容量
１４２    容量
１４３    容量
１５０    容量
１５１    容量
１５２    容量
１５３    容量
１６０    クロックドインバータ
１６０Ａ    クロックドインバータ
１６０Ｂ    クロックドインバータ
１６１    トランジスタ
１６２    トランジスタ
１６３    トランジスタ
１６４    トランジスタ
１６６    トランジスタ
２００    ＮＡＮＤ回路
３００    ＮＡＮＤ回路
４００    ＮＡＮＤ回路
４０１    下地絶縁層
４０２    埋め込み絶縁物
４０３ａ    半導体領域
４０３ｂ    半導体領域
４０３ｃ    半導体領域
４０４    ゲート絶縁膜
４０５    ゲート
４０６ａ    側壁絶縁物
４０６ｂ    側壁絶縁物
４０７    絶縁物
４０８ａ    ソース
４０８ｂ    ドレイン
５００    ＮＯＲ回路
５０１    トランジスタ
５０２    トランジスタ
５０３    トランジスタ
５０４    トランジスタ
５０５    トランジスタ
５０６    トランジスタ
５０７    トランジスタ
５０８    トランジスタ
５０９    トランジスタ
５１０    トランジスタ
５１１    トランジスタ
５１２    トランジスタ
５１３    トランジスタ
５１５    トランジスタ
５１６    トランジスタ
５１７    トランジスタ
５１８    トランジスタ
５２４    トランジスタ
５２５    トランジスタ
５２６    トランジスタ
５２７    トランジスタ
５２８    トランジスタ
５２９    トランジスタ
５３０    トランジスタ
５３１    トランジスタ
５３２    トランジスタ
５４０    容量
５４１    容量
５４２    容量
５４３    容量
５５０    容量
５５１    容量
５５２    容量
５５３    容量
６００    ＮＯＲ回路
６０１    基板
６０２    下地絶縁膜
６０６    酸化物半導体膜
６０８    ゲート絶縁膜
６１０    ゲート電極
６１４    電極
６１６    層間絶縁膜
６１８    配線
６２０    保護膜
７００    ＮＯＲ回路
７０１    基板
７０２    下地絶縁膜
７０４    保護絶縁膜
７０６    酸化物半導体膜
７０６ａ    高抵抗領域
７０６ｂ    低抵抗領域
７０８    ゲート絶縁膜
７１０    ゲート電極
７１２    側壁絶縁膜
７１４    電極
７１６    層間絶縁膜
７１８    配線
８００    ＮＯＲ回路
９０１    トランジスタ
９０２    絶縁膜
９０３    酸化物半導体層
９０４    ソース電極
９０５    ドレイン電極
９０６    ゲート絶縁膜
９０７    ゲート電極
９０８    高濃度領域
９０９    チャネル形成領域
９１１    トランジスタ
９１２    絶縁膜
９１３    酸化物半導体層
９１４    ソース電極
９１５    ドレイン電極
９１６    ゲート絶縁膜
９１７    ゲート電極
９１８    高濃度領域
９１９    チャネル形成領域
３０００    基板
３００１    トランジスタ
３００４    論理回路
３１０６    素子分離絶縁膜
３３０３    電極
３００３ａ    電極
３００３ｂ    電極
３００３ｃ    電極
３１００ａ    配線
３１００ｂ    配線
３１００ｃ    配線
３１００ｄ    配線
３１４０ａ    絶縁膜
３１４０ｂ    絶縁膜
３１４１ａ    絶縁膜
３１４１ｂ    絶縁膜
３１４２ａ    絶縁膜
３１４２ｂ    絶縁膜
３１７０ａ    記憶素子
３１７０ｂ    記憶素子
３１７１ａ    トランジスタ
３１７１ｂ    トランジスタ
３５０１ａ    電極
３５０１ｂ    電極
３５０１ｃ    電極
３５０２ａ    電極
３５０２ｂ    電極
３５０２ｃ    電極
３５０３ａ    電極
３５０３ｂ    電極
３５０５    電極
９９００    基板
９９０１    ＡＬＵ
９９０２    ＡＬＵ  Ｃｏｎｔｒｏｌｌｅｒ
９９０３    Ｉｎｓｔｒｕｃｔｉｏｎ  Ｄｅｃｏｄｅｒ
９９０４    Ｉｎｔｅｒｒｕｐｔ  Ｃｏｎｔｒｏｌｌｅｒ
９９０５    Ｔｉｍｉｎｇ  Ｃｏｎｔｒｏｌｌｅｒ
９９０６    Ｒｅｇｉｓｔｅｒ
９９０７    Ｒｅｇｉｓｔｅｒ  Ｃｏｎｔｒｏｌｌｅｒ
９９０８    Ｂｕｓ  Ｉ／Ｆ
９９０９    ＲＯＭ
９９２０    ＲＯＭ  Ｉ／Ｆ
【図１】
0005844687.tif 000008
【図２】
0005844687.tif 000009
【図３】
0005844687.tif 000010
【図４】
0005844687.tif 000011
【図５】
0005844687.tif 000012
【図６】
0005844687.tif 000013
【図７】
0005844687.tif 000014
【図８】
0005844687.tif 000015
【図９】
0005844687.tif 000016
【図１０】
0005844687.tif 000017
【図１１】
0005844687.tif 000018
【図１２】
0005844687.tif 000019
【図１３】
0005844687.tif 000020
【図１４】
0005844687.tif 000021
【図１５】
0005844687.tif 000022
【図１６】
0005844687.tif 000023
【図１７】
0005844687.tif 000024
【図１８】
0005844687.tif 000025
【図１９】
0005844687.tif 000026
【図２０】
0005844687.tif 000027
【図２１】
0005844687.tif 000028
【図２２】
0005844687.tif 000029
【図２３】
0005844687.tif 000030
【図２４】
0005844687.tif 000031
【図２５】
0005844687.tif 000032
【図２６】
0005844687.tif 000033
【図２７】
0005844687.tif 000034
【図２８】
0005844687.tif 000035
【図２９】
0005844687.tif 000036
【図３０】
0005844687.tif 000037
【図３１】
0005844687.tif 000038
【図３２】
0005844687.tif 000039
【図３３】
0005844687.tif 000040
【図３４】
0005844687.tif 000041
【図３８】
0005844687.tif 000042
【図３９】
0005844687.tif 000043
【図４０】
0005844687.tif 000044
【図４１】
0005844687.tif 000045
【図４２】
0005844687.tif 000046
【図４３】
0005844687.tif 000047
【図４４】
0005844687.tif 000048
【図４５】
0005844687.tif 000049
【図４６】
0005844687.tif 000050
【図４７】
0005844687.tif 000051
【図４８】
0005844687.tif 000052
【図４９】
0005844687.tif 000053
【図３５】
0005844687.tif 000054
【図３６】
0005844687.tif 000055
【図３７】
0005844687.tif 000056